(57)【要約】ＭＭＴフォーマットデータをＢＤＡＶまたはＳＰＡＶフォーマットデータとしてメディアに記録して再生可能とする構成を実現する。ＭＭＴフォーマットデータを再生データとして格納したＭＭＴフォーマットストリームファイルと、ＭＭＴフォーマット対応の再生制御情報ファイルを生成してメディアに記録する。再生制御情報ファイルには、ランダムアクセス再生データを格納した再生データ格納パケットの格納データ再生に適用するタイムスタンプ情報を記録した制御情報格納パケットのアクセス情報、またはタイムスタンプ情報を記録する。再生装置は、再生データ格納パケットの格納データ再生時に必要となるタイムスタンプを即時に取得して再生することができる。
2018135259.tif 000002
【特許請求の範囲】
【請求項１】
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部は、
ＭＭＴフォーマットデータを再生データとして格納したＭＭＴフォーマットストリームファイルと、前記ＭＭＴフォーマットストリームファイルの再生制御情報を格納した再生制御情報ファイルを生成し、
前記データ処理部は、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成する情報処理装置。
【請求項２】
前記データ処理部は、
前記制御情報格納パケットのアクセス情報を記録したＥＰマップ、または、
前記タイムスタンプ情報を記録したＥＰマップのいずれかのＥＰマップを生成して、前記再生制御情報ファイルに格納する請求項１に記載の情報処理装置。
【請求項３】
前記タイムスタンプ情報は、
再生時間情報を規定したＰＴＳ（Ｐｒｅｓｅｎｔａｔｉｏｎ  Ｔｉｍｅｓｔａｍｐ）と、復号時間情報を規定したＤＴＳ（Ｄｅｃｏｄｉｎｇ  Ｔｉｍｅｓｔａｍｐ）の少なくともいずれかのタイムスタンプを含む請求項１に記載の情報処理装置。
【請求項４】
前記データ処理部は、
前記制御情報格納パケットのアクセス情報として、
前記再生データ格納パケットと、前記制御情報格納パケットの記録位置の離間距離に相当するオフセット情報を記録した再生制御情報ファイルを生成する請求項１に記載の情報処理装置。
【請求項５】
前記データ処理部は、
前記再生データ格納パケットの記録位置識別情報と、
前記再生データ格納パケットの記録位置を基準位置として、前記基準位置と前記制御情報格納パケットの記録位置との離間距離に相当するオフセット情報を記録した再生制御情報ファイルを生成する請求項１に記載の情報処理装置。
【請求項６】
前記データ処理部は、
前記制御情報格納パケットの記録位置識別情報と、
前記制御情報格納パケットの記録位置を基準位置として、前記基準位置と前記再生データ格納パケットの記録位置との離間距離に相当するオフセット情報を記録した再生制御情報ファイルを生成する請求項１に記載の情報処理装置。
【請求項７】
前記データ処理部は、
前記再生データ格納パケットの記録位置識別情報と、
前記タイムスタンプ情報を記録した再生制御情報ファイルを生成する請求項１に記載の情報処理装置。
【請求項８】
前記データ処理部は、
前記タイムスタンプ情報を、
ＭＭＴフォーマットデータとして送信されるＭＭＴパッケージテーブル（ＭＰＴ）から取得する請求項７に記載の情報処理装置。
【請求項９】
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記データ処理部は、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行し、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行う情報処理装置。
【請求項１０】
前記データ処理部は、
前記制御情報格納パケットのアクセス情報を記録したＥＰマップ、または、
前記タイムスタンプ情報を記録したＥＰマップのいずれかのＥＰマップを利用して再生処理を行う請求項９に記載の情報処理装置。
【請求項１１】
前記タイムスタンプ情報は、
再生時間情報を規定したＰＴＳ（Ｐｒｅｓｅｎｔａｔｉｏｎ  Ｔｉｍｅｓｔａｍｐ）と、復号時間情報を規定したＤＴＳ（Ｄｅｃｏｄｉｎｇ  Ｔｉｍｅｓｔａｍｐ）の少なくともいずれかのタイムスタンプを含む請求項９に記載の情報処理装置。
【請求項１２】
前記データ処理部は、
前記再生制御情報ファイルから、
前記再生データ格納パケットの記録位置識別情報と、
前記再生データ格納パケットの記録位置を基準位置として、前記基準位置と前記制御情報格納パケットの記録位置との離間距離に相当するオフセット情報を読み取り、
前記オフセット情報に基づいて前記制御情報格納パケットの記録位置を判別して、前記制御情報格納パケットに記録されたタイムスタンプ情報に従って、再生処理を実行する請求項９に記載の情報処理装置。
【請求項１３】
前記データ処理部は、
前記再生制御情報ファイルから、
前記制御情報格納パケットの記録位置識別情報と、
前記制御情報格納パケットの記録位置を基準位置として、前記基準位置と前記再生データ格納パケットの記録位置との離間距離に相当するオフセット情報をを読み取り、
前記オフセット情報に基づいて前記再生データ格納パケットの記録位置を判別して、前記再生データ格納パケットから再生データを取得し、
前記制御情報格納パケットに記録されたタイムスタンプ情報に従って再生処理を実行する請求項９に記載の情報処理装置。
【請求項１４】
前記データ処理部は、
前記再生制御情報ファイルから、
前記再生データ格納パケットの記録位置識別情報と、
前記タイムスタンプ情報を読み取り、読み取ったタイムスタンプ情報に従って再生処理を実行する請求項９に記載の情報処理装置。
【請求項１５】
ＭＭＴ（ＭＰＥＧ  Ｍｅｄｉａ  Ｔｒａｎｓｐｏｒｔ）フォーマットデータを再生データとして格納したＭＭＴフォーマットストリームファイルと、
前記ＭＭＴフォーマットストリームファイルの再生制御情報を格納した再生制御情報ファイルを記録し、
前記再生制御情報ファイルは、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルであり、
前記ＭＭＴフォーマットストリームファイル格納データの再生を行う再生装置が、前記タイムスタンプ情報を取得して、再生に利用可能としたデータ記録構成を有する情報記録媒体。
【請求項１６】
前記再生制御情報ファイルは、
前記制御情報格納パケットのアクセス情報を記録したＥＰマップ、または、
前記タイムスタンプ情報を記録したＥＰマップのいずれかのＥＰマップを記録した再生制御情報ファイルである請求項１５に記載の情報記録媒体。
【請求項１７】
情報処理装置において実行する情報処理方法であり、
前記情報処理装置は、
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部が、
ＭＭＴフォーマットデータを再生データとして格納したＭＭＴフォーマットストリームファイルと、前記ＭＭＴフォーマットストリームファイルの再生制御情報を格納した再生制御情報ファイルを生成し、
前記データ処理部は、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成する情報処理方法。
【請求項１８】
情報処理装置において実行する情報処理方法であり、
前記情報処理装置は、
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記データ処理部が、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行し、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行う情報処理方法。
【請求項１９】
情報処理装置において情報処理を実行させるプログラムであり、
前記情報処理装置は、
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
ＭＭＴフォーマットデータを再生データとして格納したＭＭＴフォーマットストリームファイルと、前記ＭＭＴフォーマットストリームファイルの再生制御情報を格納した再生制御情報ファイルを生成させ、
さらに、前記プログラムは、前記データ処理部に、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成させるプログラム。
【請求項２０】
情報処理装置において情報処理を実行させるプログラムであり、
前記情報処理装置は、
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記プログラムは、前記データ処理部に、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行させ、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行わせるプログラム。
【発明の詳細な説明】
【技術分野】
【０００１】
本開示は、情報処理装置、情報記録媒体、および情報処理方法、並びにプログラムに関する。さらに詳細には、放送波等における今後のデータ伝送規格として規格化が進められているＭＭＴ（ＭＰＥＧ  Ｍｅｄｉａ  Ｔｒａｎｓｐｏｒｔ）フォーマットデータを入力して、メディアに記録し、再生可能とする情報処理装置、情報記録媒体、および情報処理方法、並びにプログラムに関する。
【背景技術】
【０００２】
現在、４Ｋ画像や８Ｋ画像等の放送等、高画質画像のデータ伝送を実現するための規格化が進められており、その一つとして、ＭＭＴ（ＭＰＥＧ  Ｍｅｄｉａ  Ｔｒａｎｓｐｏｒｔ）フォーマットを利用したデータ配信方式についての検討が進められている。【０００３】
ＭＭＴフォーマットは、画像（Ｖｉｄｅｏ）、音声（Ａｕｄｉｏ）、字幕（Ｓｕｂｔｉｔｌｅ）等、コンテンツを構成する符号化データや、制御情報や属性情報等の様々な管理情報からなる制御情報（ＳＩ：Ｓｉｇｎａｌｉｎｇ  Ｉｎｆｏｒｍａｔｉｏｎ（シグナリング情報））等のデータを、放送波やネットワークを介して伝送するデータ転送方式（トランスポートフォーマット）を規定したものである。【０００４】
ＭＭＴフォーマットは、例えば４Ｋ画像、高ダイナミックレンジ（ＨＤＲ：Ｈｉｇｈ  Ｄｙｎａｍｉｃ  Ｒａｎｇｅ）画像等の次世代コンテンツの放送等に利用される予定となっている。【０００５】
なお、現行の画像（Ｖｉｄｅｏ）、音声（Ａｕｄｉｏ）、字幕（Ｓｕｂｔｉｔｌｅ）等の伝送フォーマット、あるいは、メディアに対するデータ記録フォーマットとしては、ＭＰＥＧ−２ＴＳフォーマットが多く利用されている。
また、このＭＰＥＧ−２ＴＳフォーマット対応の記録再生アプリケーション規格（フォーマット）としてＢＤＭＶやＢＤＡＶ規格（フォーマット）が広く利用されている。【０００６】
なお、ＢＤＭＶやＢＤＡＶは、主にＢＤ（Ｂｌｕ−ｒａｙ（登録商標）  Ｄｉｓｃ）を利用したデータ記録再生のアプリケーション規格であるが、これらの規格はＢＤに限らず、フラッシュメモリやＨＤなど、その他のＢＤ以外のメディアを利用したデータ記録再生にも適用可能である。
ＢＤを利用したデータ記録再生処理構成については、例えば特許文献１（特開２０１１−０２３０７１号公報）等に記載がある。【０００７】
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。【０００８】
上述のＭＭＴフォーマットに従った配信コンテンツを、情報記録媒体（メディア）に記録し、メディアからのコンテンツ再生処理をＢＤＡＶフォーマット対応の再生アプリケーションを利用して行なうためには、このＢＤＡＶフォーマットに従ってデータ記録を行うことが必要である。【０００９】
現在、ＢＤＡＶフォーマットを拡張し、ＭＭＴフォーマットデータを記録、再生可能とするための構成について議論が進められている。
例えば、放送局等が送信するＭＭＴフォーマットに従った配信データをテレビ等の情報処理装置が受信し、受信データをＢＤやフラッシュメモリ、あるいはＨＤ（ハードディスク）等の記録メディアに記録する場合、画像、音声、字幕データや、制御情報（ＳＩ）等のデータを、ＭＭＴフォーマットに従ったデータを格納したパケットのパケット列としてメディアに記録する方向で議論が進んでいる。【００１０】
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列をメディアに記録する方向で議論が進んでいる。【００１１】
ＭＭＴＰパケットやＴＬＶパケットには、再生データである画像、音声、字幕、さらに、様々な管理情報からなる制御情報（ＳＩ：Ｓｉｇｎａｌｉｎｇ  Ｉｎｆｏｒｍａｔｉｏｎ）等が格納されている。【００１２】
例えばＢＤ（Ｂｌｕ−ｒａｙ（登録商標）  Ｄｉｓｃ）やフラッシュメモリやＨＤ（ハードディスク）等の記録メディアに、画像、音声、字幕等のコンテンツを格納したＭＭＴＰパケットやＴＬＶパケットを記録し、メディアからのコンテンツ再生を上述のＢＤＡＶフォーマット対応の再生アプリケーションを利用して行なうためには、このＢＤＡＶフォーマットに従ってデータ記録を行うことが必要である。【００１３】
ＢＤＡＶフォーマットは、再生制御情報ファイルとして、プレイリストファイルやクリップ情報ファイル等のデータベースファイルを規定しており、ＢＤＡＶ対応再生アプリケーションはこれらの再生制御情報ファイル（データベースファイル）を参照してデータ再生処理を実行する。
従って、ＭＭＴフォーマットデータについても、これらのプレイリストファイルやクリップ情報ファイルに記録された再生制御情報を利用して再生処理を行うことが必要となる。【００１４】
しかし、ＢＤＡＶフォーマット規定のプレイリストファイルやクリップ情報ファイル等のデータベースファイルは、もともと、ＭＰＥＧ−２ＴＳフォーマットデータに対応した再生制御情報を記録している。
従って、ＭＰＥＧ−２ＴＳフォーマットとはフォーマットの異なるＭＭＴフォーマットデータを再生する場合に、現行のＢＤＡＶフォーマット規定のプレイリストファイルやクリップ情報ファイルに記録された再生制御情報が適用できない場合がある。【００１５】
ＭＭＴフォーマットデータをＢＤ等の記録メディアに記録し、ＢＤＡＶフォーマット対応アプリを利用してコンテンツ再生を可能とするためには、メディアに対するＭＭＴフォーマットデータの記録処理に際して、ＭＭＴフォーマットデータ対応のプレイリストファイルやクリップ情報ファイルを生成してメディアに記録することが必要となる。
また、メディアに記録されたＭＭＴフォーマットデータの再生時には、ＭＭＴフォーマットデータ対応のプレイリストファイルやクリップ情報ファイルを利用して再生を行うことが必要となる。
しかし、これらの処理については、現時点で具体化されていないというのが現状である。
【先行技術文献】
【特許文献】
【００１６】
【特許文献１】特開２０１１−０２３０７１号公報
【発明の概要】
【発明が解決しようとする課題】
【００１７】
本開示は、例えば、上記の問題点に鑑みてなされたものであり、ＭＭＴフォーマットに従った配信データを入力して、ＢＤ等の記録メディアに記録し、記録メディアから、ＭＭＴフォーマットデータ再生することを可能とした情報処理装置、情報記録媒体、および情報処理方法、並びにプログラムを提供することを目的とする。
【課題を解決するための手段】
【００１８】
本開示の第１の側面は、
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部は、
ＭＭＴフォーマットデータを再生データとして格納したＭＭＴフォーマットストリームファイルと、前記ＭＭＴフォーマットストリームファイルの再生制御情報を格納した再生制御情報ファイルを生成し、
前記データ処理部は、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成する情報処理装置にある。【００１９】
さらに、本開示の第２の側面は、
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記データ処理部は、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行し、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行う情報処理装置にある。【００２０】
さらに、本開示の第３の側面は、
ＭＭＴ（ＭＰＥＧ  Ｍｅｄｉａ  Ｔｒａｎｓｐｏｒｔ）フォーマットデータを再生データとして格納したＭＭＴフォーマットストリームファイルと、
前記ＭＭＴフォーマットストリームファイルの再生制御情報を格納した再生制御情報ファイルを記録し、
前記再生制御情報ファイルは、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルであり、
前記ＭＭＴフォーマットストリームファイル格納データの再生を行う再生装置が、前記タイムスタンプ情報を取得して、再生に利用可能としたデータ記録構成を有する情報記録媒体にある。【００２１】
さらに、本開示の第４の側面は、
情報処理装置において実行する情報処理方法であり、
前記情報処理装置は、
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部が、
ＭＭＴフォーマットデータを再生データとして格納したＭＭＴフォーマットストリームファイルと、前記ＭＭＴフォーマットストリームファイルの再生制御情報を格納した再生制御情報ファイルを生成し、
前記データ処理部は、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成する情報処理方法にある。【００２２】
さらに、本開示の第５の側面は、
情報処理装置において実行する情報処理方法であり、
前記情報処理装置は、
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記データ処理部が、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行し、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行う情報処理方法にある。【００２３】
さらに、本開示の第６の側面は、
情報処理装置において情報処理を実行させるプログラムであり、
前記情報処理装置は、
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
ＭＭＴフォーマットデータを再生データとして格納したＭＭＴフォーマットストリームファイルと、前記ＭＭＴフォーマットストリームファイルの再生制御情報を格納した再生制御情報ファイルを生成させ、
さらに、前記プログラムは、前記データ処理部に、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成させるプログラムにある。【００２４】
さらに、本開示の第７の側面は、
情報処理装置において情報処理を実行させるプログラムであり、
前記情報処理装置は、
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記プログラムは、前記データ処理部に、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行させ、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行わせるプログラムにある。【００２５】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２６】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２７】
本開示の一実施例の構成によれば、ＭＭＴフォーマットデータをＢＤＡＶまたはＳＰＡＶフォーマットデータとしてメディアに記録して再生可能とする構成が実現される。
具体的には、例えば、ＭＭＴフォーマットデータを再生データとして格納したＭＭＴフォーマットストリームファイルと、ＭＭＴフォーマット対応の再生制御情報ファイルを生成してメディアに記録する。再生制御情報ファイルには、ランダムアクセス再生データを格納した再生データ格納パケットの格納データ再生に適用するタイムスタンプ情報を記録した制御情報格納パケットのアクセス情報、またはタイムスタンプ情報を記録する。再生装置は、再生データ格納パケットの格納データ再生時に必要となるタイムスタンプを即時に取得して再生することができる。
本構成により、ＭＭＴフォーマットデータをＢＤＡＶまたはＳＰＡＶフォーマットデータとしてメディアに記録して再生可能とする構成が実現される。
なお、本明細書に記載された効果はあくまで例示であって限定されるものではなく、また付加的な効果があってもよい。
【図面の簡単な説明】
【００２８】
【図１】本開示の処理を実行する情報処理装置の利用構成例について説明する図である。
【図２】ＭＭＴフォーマットについて説明する図である。
【図３】ＭＭＴフォーマットに従った画像データ格納構成例について説明する図である。
【図４】ＢＤＡＶフォーマットについて説明する図である。
【図５】ＢＤＡＶフォーマットに従ったデータ再生処理例について説明する図である。
【図６】ＭＰＥＧ−２ＴＳフォーマットについて説明する図である。
【図７】ＭＭＴフォーマットについて説明する図である。
【図８】ＳＰＡＶフォーマットについて説明する図である。
【図９】放送局等からの受信データをＭＭＴフォーマットデータであるＭＭＴＰパケット列として、情報記録媒体（メディア）に記録する処理例について説明する図である。
【図１０】放送局等からの受信データをＭＭＴフォーマットデータであるＭＭＴＰパケットを格納したＴＬＶパケット列として、情報記録媒体（メディア）に記録する処理例について説明する図である。
【図１１】ＭＭＴフォーマットデータを、ＢＤＡＶフォーマットデータとして記録する場合の処理例について説明する図である。
【図１２】プレイリストファイルのデータ構成について説明する図である。
【図１３】ＥＰマップについて説明する図である。
【図１４】ＥＰマップについて説明する図である。
【図１５】ＥＰマップについて説明する図である。
【図１６】プレイリストファイルのＣＰＩタイプ記録データについて説明する図である。
【図１７】プレイリストファイルのプレイアイテムのデータ構成について説明する図である。
【図１８】プレイリストファイルのプレイアイテム記録データについて説明する図である。
【図１９】ＭＭＴパッケージテーブル（ＭＰＴ）のデータ構成（シンタクス）を示す図である。
【図２０】ＭＭＴパッケージテーブル（ＭＰＴ）に記録されるアセットタイプ（ａｓｓｅｔ＿ｔｙｐｅ）の具体例について説明する図である。
【図２１】ＭＭＴパッケージテーブル（ＭＰＴ）に記録されるＭＰＵタイムスタンプ記述子のデータ構成（シンタクス）を示す図である。
【図２２】プレイリストファイルの構成要素であるプレイリストマークについて説明する図である。
【図２３】プレイリストマーク情報の記録データについて説明する図である。
【図２４】クリップ情報ファイルのデータ構成（シンタクス）を示す図である。
【図２５】クリップ情報ファイルのクリップ情報［ＣｌｉｐＩｎｆｏ（）］のデータ構成（シンタクス）を示す図である。
【図２６】クリップ情報ファイルのクリップ情報［ＣｌｉｐＩｎｆｏ（）］中に記録されるアプリケーションタイプの記録例について説明する図である。
【図２７】クリップ情報ファイルのクリップ情報［ＣｌｉｐＩｎｆｏ（）］中に記録されるクリップストリームタイプの記録例について説明する図である。
【図２８】クリップ情報ファイルのシーケンス情報［ＳｅｑｕｅｎｃｅＩｎｆｏ（）］のデータ構成（シンタクス）を示す図である。
【図２９】クリップ情報ファイルのシーケンス情報［ＳｅｑｕｅｎｃｅＩｎｆｏ（）］に記録されるＡＴＣとＳＴＣについて説明する図である。
【図３０】クリップ情報ファイルのプログラム情報［ＰｒｏｇｒａｍＩｎｆｏ（）］のデータ構成（シンタクス）を示す図である。
【図３１】クリップ情報ファイルのＣＰＩ情報［ＣＰＩ（）］のデータ構成（シンタクス）を示す図である。
【図３２】クリップ情報ファイルのＣＰＩ情報［ＣＰＩ（）］中に記録されるＥＰマップのデータ構成について説明する図である。
【図３３】クリップ情報ファイルのＣＰＩ情報［ＣＰＩ（）］中に記録されるＥＰマップのデータ構成について説明する図である。
【図３４】ＥＰマップを構成する２つのテーブルのデータ構成について説明する図である。
【図３５】ＭＭＴフォーマットデータのランダムアクセス処理の問題点について説明する図である。
【図３６】ＭＭＴＰパケットのデータ構成について説明する図である。
【図３７】ＲＡＰフラグについて説明する図である。
【図３８】ＭＭＴパッケージテーブル（ＭＰＴ）内に記録される拡張タイムスタンプ記述子のデータ構成（シンタクス）を示す図である。
【図３９】クリップ情報ファイルのＣＰＩ情報［ＣＰＩ（）］中に記録するＭＭＴフォーマットデータ対応のＥＰマップのデータ構成例について説明する図である。
【図４０】ＭＭＴフォーマットデータ対応のＥＰマップに対する記録データについて説明する図である。
【図４１】クリップ情報ファイルのＣＰＩ情報［ＣＰＩ（）］中に記録するＭＭＴフォーマットデータ対応のＥＰマップのデータ構成例について説明する図である。
【図４２】クリップ情報ファイルのＣＰＩ情報［ＣＰＩ（）］中に記録するＭＭＴフォーマットデータ対応のＥＰマップのデータ構成例について説明する図である。
【図４３】ＭＭＴフォーマットデータ対応のＥＰマップに対する記録データについて説明する図である。
【図４４】クリップ情報ファイルのＣＰＩ情報［ＣＰＩ（）］中に記録するＭＭＴフォーマットデータ対応のＥＰマップのデータ構成例について説明する図である。
【図４５】ＭＭＴフォーマットデータ対応のＥＰマップに対する記録データについて説明する図である。
【図４６】情報記録媒体（メディア）に対するデータ記録処理を実行する情報処理装置の構成例についてを説明する図である。
【図４７】情報記録媒体（メディア）に対するデータ記録処理の処理シーケンスを説明するフローチャートを示す図である。
【図４８】情報記録媒体（メディア）に対するデータ記録処理の処理シーケンスを説明するフローチャートを示す図である。
【図４９】情報記録媒体（メディア）に対するデータ記録処理の処理シーケンスを説明するフローチャートを示す図である。
【図５０】情報記録媒体（メディア）に対するデータ記録処理の処理シーケンスを説明するフローチャートを示す図である。
【図５１】情報記録媒体（メディア）に対するデータ記録処理の処理シーケンスを説明するフローチャートを示す図である。
【図５２】情報記録媒体（メディア）からのデータ再生処理を実行する情報処理装置の構成例についてを説明する図である。
【図５３】情報記録媒体（メディア）からのデータ再生処理の処理シーケンスを説明するフローチャートを示す図である。
【図５４】情報記録媒体（メディア）からのデータ再生処理の処理シーケンスを説明するフローチャートを示す図である。
【図５５】情報記録媒体（メディア）からのデータ再生処理の処理シーケンスを説明するフローチャートを示す図である。
【図５６】情報記録媒体（メディア）からのデータ再生処理の処理シーケンスを説明するフローチャートを示す図である。
【図５７】情報記録媒体（メディア）からのデータ再生処理の処理シーケンスを説明するフローチャートを示す図である。
【図５８】本開示の処理に適用される報処理装置のハードウェア構成例について説明する図である。
【発明を実施するための形態】
【００２９】
以下、図面を参照しながら本開示の情報処理装置、情報記録媒体、および情報処理方法、並びにプログラムの詳細について説明する。なお、説明は以下の項目に従って行なう。
１．通信システムの構成例について
２．ＭＭＴ（ＭＰＥＧ  Ｍｅｄｉａ  Ｔｒａｎｓｐｏｒｔ）フォーマットについて
３．ＢＤＡＶフォーマットとＳＰＡＶフォーマットについて
４．ＭＭＴフォーマットデータをＢＤＡＶフォーマットに従って記録する場合の処理について
５．ＭＭＴフォーマットデータ対応のプレイリストファイルについて
６．ＭＭＴフォーマットデータ対応のクリップ情報ファイルについて
７．ＭＭＴフォーマットデータに対応したＥＰマップの構成例について
７−１．ＭＭＴフォーマットデータ対応のＥＰマップ例１
７−２．ＭＭＴフォーマットデータ対応のＥＰマップ例２
７−３．ＭＭＴフォーマットデータ対応のＥＰマップ例３
８．情報記録媒体に対するデータ記録処理を実行する情報処理装置の構成と処理について
９．情報記録媒体からのデータ再生処理を実行する情報処理装置の構成と処理について
１０．情報処理装置の構成例について
１１．本開示の構成のまとめ
【００３０】
［１．通信システムの構成例について］
まず、図１を参照して本開示の処理を実行する情報処理装置の一つの利用構成例である通信システムの例について説明する。
図１に示す情報処理装置３０は、ＢＤ（Ｂｌｕ−ｒａｙ（登録商標）  Ｄｉｓｃ）や、フラッシュメモリ、ハードディスク（ＨＤＤ）などのメディアを装着し、これらの装着メディアに対するデータ記録処理や、装着メディアからのデータ再生処理を実行する。
【００３１】
情報処理装置３０がメディアに記録するデータは、例えば放送局（放送サーバ）２１や、データ配信サーバ２２等の送信装置２０の提供する送信コンテンツである。具体的には、テレビ局の提供する放送番組等である。
これらの送信コンテンツは、放送波、あるいはインターネット等のネットワークを介して送信装置２０から情報処理装置３０に送信される。
【００３２】
情報処理装置３０は、例えばＢＤプレーヤ３１、テレビ３２、ＰＣ３３、携帯端末３４等である、これらの情報処理装置は、例えば、ＢＤ（Ｂｌｕ−ｒａｙ（登録商標）  Ｄｉｓｃ）４１、ＨＤＤ（ハードディスク）４２、フラッシュメモリ４３等の様々なメディアを装着し、これらのメディアに対するデータ記録処理や、メディアからのデータ再生処理を実行する。
【００３３】
送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランンスポートフォーマット）を規定したものである。
【００３４】
送信装置２０は、コンテンツデータを符号化し、符号化データおよび符号化データのメタデータを含むデータファイルを生成し、生成した符号化データをＭＭＴにおいて規定されるＭＭＴＰ（ＭＭＴ  Ｐｒｏｔｏｃｏｌ）パケットに格納して放送波、またはネットワークを介して送信する。
【００３５】
送信装置２０が情報処理装置３０に提供するデータは、画像、音声、字幕等の再生対象データの他、番組ガイド等の案内情報や通知情報、制御メッセージ等の様々な管理情報によって構成される制御情報（ＳＩ：Ｓｉｇｎａｌｉｎｇ  Ｉｎｆｏｒｍａｔｉｏｎ（シグナリング情報））によって構成される。
【００３６】
［２．ＭＭＴ（ＭＰＥＧ  Ｍｅｄｉａ  Ｔｒａｎｓｐｏｒｔ）フォーマットについて］
上述したように、送信装置２０から情報処理装置３０に対するデータ送信は、ＭＭＴ（ＭＰＥＧ  Ｍｅｄｉａ  Ｔｒａｎｓｐｏｒｔ）フォーマットに従って実行される。
図２以下を参照して、ＭＭＴ（ＭＰＥＧ  Ｍｅｄｉａ  Ｔｒａｎｓｐｏｒｔ）フォーマットについて説明する。
【００３７】
図２は、ＭＭＴフォーマットのスタック・モデルを示す図である。
図２に示すＭＭＴスタック・モデルにおいて、最下層には、物理レイヤ（ＰＨＹ）がある。物理レイヤは、放送系の処理を行なうブロードキャスト（Ｂｒｏａｄｃａｓｔｉｎｇ）レイヤと、ネットワーク系の処理を行なうブロードバンド（Ｂｒｏａｄｂａｎｄ）レイヤに分割されている。
ＭＭＴは放送系、ネットワーク系の２つの通信網を利用した処理を可能としている。
【００３８】
物理レイヤ（ＰＨＹ）の上位レイヤとして、ＴＬＶ（Ｔｙｐｅ  Ｌｅｎｇｔｈ  Ｖａｌｕｅ）レイヤがある。ＴＬＶはＩＰパケットの多重化方式を規定したフォーマット規定レイヤである。複数のＩＰパケットが多重化されてＴＬＶパケットとして送信される。ＴＬＶ−ＳＩは、ＴＬＶフォーマットに従った制御メッセージ等の制御情報（ＳＩ）の伝送レイヤである。
【００３９】
制御情報（ＳＩ）は、情報処理装置３０側においてコンテンツ（番組）を受信、再生するために必要となる設定情報や、番組ガイド等の案内情報や通知情報、制御情報、管理情報によって構成される。
ＴＬＶレイヤで処理が生成されるＴＬＶパケットに格納される制御情報（ＳＩ）がＴＬＶ−ＳＩであり、主に受信処理に関する制御情報によって構成されている。
ＭＭＴプロトコル（ＭＭＴＰ）に従って生成されるパケットであるＭＭＴＰパケットに格納される制御情報（ＳＩ）は最上位レイヤに示すＭＭＴ−ＳＩであり、主に再生制御に関する制御情報によって構成されている。
【００４０】
ＴＬＶレイヤ上には、ＵＤＰ／ＩＰレイヤが設定される。
ＵＤＰ／ＩＰレイヤは、詳細にはＩＰレイヤとＵＤＰレイヤに分割可能であるが、ＩＰパケットのペイロードにＵＤＰパケットを格納する伝送を規定するレイヤである。
ＵＤＰ／ＩＰレイヤ上にＭＭＴレイヤ、およびＦｉｌｅ  ｄｅｌｉｖｅｒｙ  ｍｅｔｈｏｄレイヤ  が設定される。
ＭＭＴＰパケットをＩＰパケットに格納して送信する場合と、ＭＭＴＰパケットを用いないデータ伝送方式であるＦｉｌｅ  ｄｅｌｉｖｅｒｙ  ｍｅｔｈｏｄを利用してＩＰパケットとしてデータ送信する方式が併用可能な設定となっている。
【００４１】
ＭＭＴレイヤ上には、以下のレイヤが設定される。
画像符号化規格であるＨＥＶＣ（Ｈｉｇｈ  Ｅｆｆｉｃｉｅｎｃｙ  Ｖｉｄｅｏ  Ｃｏｄｉｎｇ）に従った符号化画像データである画像（Ｖｉｄｅｏ）データ、
音声符号化規格であるＡＡＣ（Ａｄｖａｎｃｅｄ  Ａｕｄｉｏ  Ｃｏｄｉｎｇ）に従った符号化音声データである音声（Ａｕｄｉｏ）データ、
字幕符号化規格であるＴＴＭＬ（Ｔｉｍｅｄ  Ｔｅｘｔ  Ｍａｒｋｕｐ  Ｌａｎｇｕａｇｅ）に従った符号化字幕データである字幕（Ｓｕｂｔｉｔｌｅ）データ、
ＭＭＴＰパケットを利用して送信される制御情報（ＭＭＴ−ＳＩ）、
さらに、ＨＴＭＬ５（Ｈｙｐｅｒ  Ｔｅｘｔ  Ｍａｒｋｕｐ  Ｌａｎｇｕａｇｅ  ５）に従って記述された様々なアプリケーション、
これらの各データがＭＭＴＰパケットに格納されて送信される。
【００４２】
制御情報（ＭＭＴ−ＳＩ）は、ＭＭＴＰパケットで送信される制御情報（シグナリング情報）であり、情報処理装置３０側においてコンテンツ（番組）を再生するために必要となる設定情報や、番組ガイド等の案内情報や通知情報、制御情報等の様々な管理情報によって構成される。
【００４３】
なお、時刻情報（ＮＴＰ：Ｎｅｔｗｏｒｋ  Ｔｉｍｅ  Ｐｒｏｔｏｃｏｌ）は絶対時刻情報であり、ＵＤＰパケットに直接格納され送信される。
その他のデータ配信を行うデータサービス（Ｄａｔａ  ｓｅｒｖｉｃｅ）、コンテンツダウンロード等（Ｃｏｎｔｅｎｔｄｏｗｎｌｏａｄ，ｅｔｃ．）がＭＭＴと異なるファイル配信メソッド（Ｆｉｌｅ  ｄｅｌｉｖｅｒｙ  ｍｅｔｈｏｄ）を利用して配信可能な構成を有している。
【００４４】
図２に示すように、画像、音声、字幕、さらに、様々な通知情報や制御情報等の様々な管理情報からなる制御情報（ＭＭＴ−ＳＩ）やアプリケーションは、ＭＭＴＰパケットによって送信される。
【００４５】
図３を参照してＭＭＴＰパケットの具体的構成例について説明する。
図３には以下の４種類のデータ構成例を示している。
（ａ）ＭＰＵ（Ｍｅｄｉａ  Ｐｒｅｓｅｎｔａｔｉｏｎ  Ｕｎｉｔ）
（ｂ）ＭＭＴＰペイロート
（ｃ）ＭＭＴＰパケット
（ｄ）ＴＬＶパケット
【００４６】
（ｄ）ＴＬＶパケットが放送波やネットワークを介して送信されるパケットであり、ＴＬＶパケットには、ＵＤＰヘッダ、ＩＰヘッダ、ＴＬＶヘッダの各ヘッダ情報が設定される。ＴＬＶパケットは、データ種類ごとに個別のパケットとして設定される。
【００４７】
すなわち、１つのＴＬＶパケットのＴＬＶペイロードには、１つの種類のデータが格納される。具体的には、例えば、画像（Ｖ）、音声（Ａ）、字幕（Ｓ）、あるいは、様々な管理情報からなる制御情報（ＳＩ）が個別に格納される。
なお、制御情報（ＳＩ）については、ＭＭＴＰパケットに格納する制御情報（ＭＭＴ−ＳＩ）と、ＴＬＶパケットで送信される制御情報（ＴＬＶ−ＳＩ）があり、それぞれ異なる個別のＴＬＶパケットに格納される。
【００４８】
ＴＬＶパケットのペイロードであるＴＬＶペイロートの一例が、図３（ｃ）に示すＭＭＴＰパケットである。
図３（ｃ）に示すＭＭＴＰパケットは、ＭＭＴＰヘッダと、ＭＭＴＰペイロードによって構成される。
【００４９】
１つのＭＭＴＰパケットのＭＭＴＰペイロードには、１つの種類のデータが格納される。具体的には、例えば、画像（Ｖ）、音声（Ａ）、字幕（Ｓ）、さらにＭＭＴＰパケットに格納する制御情報（ＭＭＴ−ＳＩ）、これらのいずれか一種類のデータが、個別のＭＭＴＰパケットに格納される。
【００５０】
図３（ａ），（ｂ）は、図３（ｃ）に示すＭＭＴＰパケットのＭＭＴＰペイロードに格納される画像データの詳細構成を示している。
図３（ｂ）は、図３（ｃ）に示すＭＭＴＰパケット中、ＭＭＴＰペイロードが画像データ（Ｖ）であるもののみを選択して示している。
図３（ｂ）に示すＭＭＴＰペイロードは、ヘッダとデータユニットによって構成される。
【００５１】
データユニットには、図３（ａ）に示すように、画像データおよび、以下の各種のパラメータが格納される。
ＡＵ  Ｄｅｌｉｍｉｔｅｒ（Ａｃｃｅｓｓ  Ｕｎｉｔ  Ｄｅｌｉｍｉｔｅｒ）
ＳＰＳ（Ｓｅｑｕｅｎｃｅ  Ｐａｒａｍｅｔｅｒ  Ｓｅｔ）
ＰＰＳ（Ｐｉｃｔｕｒｅ  Ｐａｒａｍｅｔｅｒ  Ｓｅｔ）
ＳＥＩｓ（Ｓｕｐｐｌｅｍｅｎｔａｌ  Ｅｎｈａｎｃｅｍｅｎｔ  Ｉｎｆｏｒｍａｔｉｏｎ）
これらのパラメータは、画像表示に利用されるパラメータである。
【００５２】
図３（ａ）に示すＭＰＵ（Ｍｅｄｉａ  Ｐｒｅｓｅｎｔａｔｉｏｎ  Ｕｎｉｔ）は、ＭＭＴフォーマットにおける画像、音声、字幕等の再生対象データの１つのデータ処理単位である。図３（ａ）に示す例は、画像データのＭＰＵの例であり、いわゆる符号化、復号処理単位としてのＧＯＰ（Ｇｒｏｕｐ  ｏｆ  Ｐｉｃｔｕｒｅｓ）と同じ単位である。
【００５３】
このように、例えば画像データは、図３（ａ）に示すように、ＭＭＴフォーマットにおいて規定されたパラメータと画像構成データに分割され、図３（ｂ）に示すＭＭＴＰペイロードに格納され、図３（ｃ）に示すＭＭＴＰパケットとして構成される。
さらに、ＭＭＴＰパケットは、図３（ｄ）に示すＴＬＶパケットのペイロードとして設定されて、ＴＬＶパケットが放送波やネットワークを介して送信される。
【００５４】
なお、音声、字幕等の各データ、ＭＭＴ−ＳＩの各データについても、それぞれデータ種類単位のＭＭＴＰパケット、ＴＬＶパケットが設定されて送信される。
ＴＬＶ−ＳＩは、ＭＭＴＰパケットに格納されることなくＴＬＶパケットに格納されて送信される。
【００５５】
［３．ＢＤＡＶフォーマットとＳＰＡＶフォーマットについて］
次に、上述のＭＭＴフォーマットに従った配信コンテンツを例えばＢＤ（Ｂｌｕ−ｒａｙ（登録商標）  Ｄｉｓｃ）やフラッシュメモリ、あるいはＨＤ（ハードディスク等のメディアに記録して再生する場合の記録データフォーマットであるＢＤＡＶフォーマットとＳＰＡＶフォーマットについて図４以下を参照して説明する。
【００５６】
例えばＢＤ（Ｂｌｕ−ｒａｙ（登録商標）  Ｄｉｓｃ）やフラッシュメモリやＨＤ等のメディアから、画像、音声、字幕等のコンテンツを再生する場合には、これらのコンテンツの再生処理を行なうための再生制御情報やインデックス情報が必要となる。再生制御情報やインデックス情報は一般的にデータベースファイルと呼ばれる。
これらの再生制御情報やインデックス情報は、メディアの記録データの再生処理を実行する再生アプリケーションに応じて異なるものとなる。
【００５７】
前述したように、現行の記録再生アプリケーション規格（＝データ記録フォーマット）としてＢＤＭＶやＢＤＡＶ規格（データ記録フォーマット）がある。これらのアプリケーション規格は、主にＢＤ（Ｂｌｕ−ｒａｙ（登録商標）  Ｄｉｓｃ）を利用したデータ記録再生アプリケーション規格として策定されたものである。
【００５８】
なお、ＢＤＭＶやＢＤＡＶは、主にＢＤを利用したデータ記録再生のアプリケーション規格であり、データ記録フォーマット（規格）であるが、これらの規格はＢＤに限らず、フラッシュメモリなど、その他のＢＤ以外のメディアを利用したデータ記録再生にも適用可能である。
ＢＤＭＶは、例えば映画コンテンツなどを予め記録したＢＤ−ＲＯＭ向けに開発されたアプリケーション規格であり、主に、パッケージコンテンツ等の書き換え不能なＢＤ−ＲＯＭで広く使われている。
一方、ＢＤＡＶは、主に書き換え可能なＢＤ−ＲＥ型ディスクや、一回のみ記録可能なＢＤ−Ｒ型ディスク等を利用したデータ記録再生処理に適用することを目的として開発された規格である。ＢＤＡＶは、例えばユーザがビデオカメラなどで撮影した映像の記録再生やテレビ放送を記録し再生するために利用される。
【００５９】
上述のＭＭＴフォーマットに従った配信コンテンツを記録したメディアからのコンテンツ再生処理を、ＢＤＡＶフォーマット対応の再生アプリケーションを利用して行なうためには、このＢＤＡＶフォーマットに従ってデータ記録を行うことが必要である。
前述のように、ＢＤＡＶフォーマットは、再生制御情報の記録ファイルとして、プレイリストファイルやクリップ情報ファイル等を規定しており、ＢＤＡＶ対応再生アプリケーションはこれらの再生制御情報ファイル（データベースファイル）の記録情報を利用してデータ再生処理を実行する。
【００６０】
図４は、情報記録媒体（メディア）４０にＢＤＡＶフォーマットに従って記録されたデータのディレクトリ構成例を示す図である。
ディレクトリには、図４に示すように様々な管理情報、再生制御情報、再生対象データの格納ファイルが設定される。
【００６１】
管理情報ファイルは、例えば、図４に示すインフォファイル（ｉｎｆｏ）、メニューファイル（ｍｅｎｕ）、マークファイル（ｍａｒｋ）等によって構成される。これらは、主にユーザに見せるタイトルの管理情報等を格納する。
また、再生制御情報ファイルとして、
プレイリストファイル（ｐｌａｙｌｉｓｔ）、
クリップ情報ファイル（ｃｌｉｐｉｎｆ）
例えば、これらのファイルが記録される。
さらに、再生データ格納ファイルとして、クリップＡＶストリームファイル（ｓｔｒｅａｍ）が記録される。
【００６２】
プレイリストファイルは、タイトルによって指定される再生プログラムのプログラム情報に従ってコンテンツの再生順等を規定したファイルであり、例えば、再生位置情報等を記録したクリップ情報ファイルの指定情報等を有する。
クリップ情報ファイルは、プレイリストファイルによって指定されるファイルであり、クリップＡＶストリームファイルの再生位置情報等を有する。
【００６３】
クリップＡＶストリームファイルは、再生対象となるＡＶストリームデータや管理情報を格納したファイルである。クリップＡＶストリームファイルは、再生対象となる画像、音声、字幕等の各データや、管理情報を格納したパケットによって構成される。
なお、ＭＰＥＧ−２ＴＳフォーマットにおいて規定され、クリップＡＶストリームファイルに記録される管理情報として、例えば、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）がある。
【００６４】
なお、従来の放送データや、ネットワーク配信データは、ＴＳ（Ｔｒａｎｓｐｏｒｔ  Ｓｔｒｅａｍ）パケットによって構成されたＭＰＥＧ−２ＴＳフォーマットデータであるが、今後の４Ｋ，８Ｋ画像等の高精細画像等を含むデータは前述したＭＭＴＰパケットによって構成されるＭＭＴフォーマットデータとなることが予想される。
【００６５】
図４にはクリップＡＶストリームファイル（ｓｔｒｅａｍ）として、
ＴＳパケットによって構成されたＭＰＥＧ−２ＴＳフォーマットデータからなるストリームファイル（ｎｎｎｎｎ．ｍ２ｔｓ）、
ＭＭＴＰパケットによって構成されるＭＭＴフォーマットデータ（ｎｎｎｎｎ．ｍｍｔｖ）、
これらの２種類のストリームファイルを示している。
【００６６】
図４に示すディレクトリ例は、情報処理装置３０が受信したデータがＭＰＥＧ−２ＴＳフォーマットデータである場合は、そのまま、ＭＰＥＧ−２ＴＳフォーマットデータとしてメディアに記録し、受信データがＭＭＴフォーマットデータである場合は、ＭＭＴフォーマットデータとしてメディアに記録する設定の場合のディレクトリ例である。
【００６７】
なお、ＭＭＴフォーマットデータをメディアに記録する場合のクリップＡＶストリームファイルは、ＭＭＴフォーマットに従ったデータを格納したパケットのパケット列として記録する方向で議論が進んでいる。
具体的には、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列として記録する方向で議論が進んでいる。
この具体例については後段で詳細に説明する。
【００６８】
管理情報ファイル、プレイリストファイル、クリップ情報ファイル、これらのデータファイルは、クリップＡＶストリームファイルに格納された再生データである画像、音声、字幕等の再生処理に適用する管理情報の格納ファイルである。これらは、再生制御情報や、再生データの属性情報等を格納したファイルであり、データベースファイルと呼ばれる。
【００６９】
情報記録媒体に記録されたコンテンツを再生するシーケンスは以下の通りである。
（ａ）まず、再生アプリケーションによって管理情報ファイルから特定のタイトルを指定する。
（ｂ）指定されたタイトルに関連付けられたプレイリストが選択される。
（ｃ）選択されたプレイリストに規定されたクリップ情報によって、コンテンツ実データとしてのＡＶストリームあるいはコマンドが読み出されて、ＡＶストリームの再生や、コマンドの実行処理が行われる。
【００７０】
図５は、情報記録媒体（メディア）４０に記録される以下のデータ、すなわち、
プレイリストファイル、
クリップ情報ファイル、
クリップＡＶストリームファイル、
これらのデータの対応関係を説明する図である。
【００７１】
実際の再生対象データである画像、音声、字幕等の再生対象データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００７２】
これら複数のカテゴリのファイルは、図５に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００７３】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）、あるいはクリップファイルと呼ぶ。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００７４】
なお、クリップＡＶストリーム（Ｃｌｉｐ  ＡＶ  Ｓｔｒｅａｍ）ファイルは、ＭＰＥＧ−２ＴＳフォーマットデータである場合はＴＳパケットによって構成される。
また、ＭＭＴフォーマットデータである場合はＭＭＴＰパケットによって構成される。
【００７５】
クリップ情報（Ｃｌｉｐ  Ｉｎｆｏｒｍａｔｉｏｎ）ファイルは、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報を格納している。
【００７６】
プレイリストは、クリップ（Ｃｌｉｐ）の再生開始位置や再生終了位置に対応するアクセスポイントを時間軸上の情報であるタイムスタンプで指し示す情報を有する。
例えば、コンテンツの開始点からの再生時間経過位置を示すタイムスタンプに基づいてクリップ情報ファイルを参照して、クリップＡＶストリームファイルのデータ読み出し位置、すなわち再生開始点としてのアドレスを取得することが可能となる。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【００７７】
このように、プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００７８】
なお、再生対象データを格納したクリップＡＶストリーム（Ｃｌｉｐ  ＡＶ  Ｓｔｒｅａｍ）ファイルは、前述したように、従来型のＭＰＥＧ−２ＴＳフォーマットデータである場合はＴＳパケットによって構成される。
また、今後、利用が拡大されると予想される４Ｋ，８Ｋ画像等の高精細画像データの場合は、ＭＭＴフォーマットデータである場合はＭＭＴＰパケットによって構成される。
図６、図７を参照して、ＭＭＴフォーマットと、ＭＰＥＧ−２ＴＳフォーマットについて説明する。
【００７９】
まず、図６を参照して、ＭＰＥＧ−２ＴＳフォーマットについて説明する。
ＭＰＥＧ−２ＴＳフォーマットは画像（Ｖｉｄｅｏ）、音声（Ａｕｄｉｏ）、字幕（Ｓｕｂｔｉｔｌｅ）等、コンテンツ構成データである符号化データや管理情報（ＰＳＩ／ＳＩ）を記録媒体（メディア）に格納、または放送波やネットワークを介して伝送する際の符号化データ等のデータ格納形式（コンテナフォーマット）を規定したフォーマットである。
【００８０】
ＭＰＥＧ−２ＴＳフォーマットは、ＩＳＯ１３８１８−１において標準化されたフォーマットであり、例えばＢＤ（Ｂｌｕ−ｒａｙ（登録商標）  Ｄｉｓｃ）に対するデータ記録や、デジタル放送等に用いられている。
【００８１】
図６（ａ）〜（ｃ）はＭＰＥＧ−２ＴＳフォーマットデータの構成を示す図である。
最下段に示す図６（ａ）は、ＭＰＥＧ−２ＴＳのフォーマットデータの全体構成を示す図である。
図６（ａ）に示すように、ＭＰＥＧ−２ＴＳフォーマットデータは、複数のエレメンタリストリーム（Ｅｌｅｍｅｎｔａｒｙ  ｓｔｒｅａｍ）によって構成される。
エレメンタリストリーム（Ｅｌｅｍｅｎｔａｒｙ  ｓｔｒｅａｍ）は、例えば画像、音声、字幕等の１つの単位として設定されるユニットである。
【００８２】
１つのエレメンタリストリーム（Ｅｌｅｍｅｎｔａｒｙ  ｓｔｒｅａｍ）は、図２（ｂ）に示すように、１つまたは複数のＰＥＳ（Ｐａｃｋｅｔｉｚｅｄ  Ｅｌｅｍｅｎｔａｒｙ  ｓｔｒｅａｍ）パケットによって構成される。
具体的には、１つのエレメンタリストリーム（Ｅｌｅｍｅｎｔａｒｙ  ｓｔｒｅａｍ）は、ペイロードタイプ（Ｐａｙｌｏａｄ＿ｔｙｐｅ）＝０ｘ０で、かつ同じパケット識別子（Ｐａｃｋｅｔ＿ｉｄ）を持つＰＥＳパケットの１つ、または複数から構成される。
【００８３】
１つのＰＥＳパケットは、図６（ｃ）に示すように、１つまたは複数のＴＳパケットによって構成される。
具体的には、１つのＰＥＳパケットは、ペイロードタイプ（Ｐａｙｌｏａｄ＿ｔｙｐｅ）＝０ｘ０で、かつ同じパケット識別子（Ｐａｃｋｅｔ＿ｉｄ）を持つＴＳパケットの１つ、または複数から構成される。
ＴＳパケットは、前述のＭＭＴＰパケットと異なり、固定長であり、１つのＴＳパケットのパケットサイズは、１８８バイトに固定されている。
【００８４】
次に、図７を参照してＭＭＴ（ＭＰＥＧ  Ｍｅｄｉａ  Ｔｒａｎｓｐｏｒｔ）フォーマットについて説明する。
ＭＭＴフォーマットについては、先に図３を参照しているが、図７に示すＭＭＴフォーマットの説明図は、図６を参照して説明したＭＰＥＧ−２ＴＳフォーマットとの対応関係を分かり易く説明した図である。
【００８５】
先に説明したように、ＭＭＴフォーマットは、画像（Ｖｉｄｅｏ）、音声（Ａｕｄｉｏ）、字幕（Ｓｕｂｔｉｔｌｅ）等、コンテンツ構成データである符号化データを放送波やネットワークを介して伝送する際のデータ転送方式（トランスポートフォーマット）を規定したものである。
図７は、ＩＳＯ／ＩＥＣ  ２３００８−１に規定されるファイルフォーマットであるＭＭＴフォーマットについて説明する図である。
【００８６】
図７（ａ）〜（ｃ）にはＭＭＴフォーマットデータの構成を示している。
最下段に示す図７（ａ）は、ＭＭＴフォーマットデータの全体構成を示す図である。
図７（ａ）に示すように、ＭＭＴフォーマットデータは、複数のメディアプレゼンテーションユニット（ＭＰＵ：Ｍｅｄｉａ  ｐｒｅｓｅｎｔａｔｉｏｎ  ｕｎｉｔ）によって構成される。
ＭＰＵは、例えば画像、音声、字幕等の１つの単位として設定されるユニットである。例えば、画像の場合、１ＭＰＵが１つのＭＰＥＧ圧縮画像単位である１ＧＯＰ（Ｇｒｏｕｐ  ｏｆ  ｐｉｃｔｕｒｅ）に相当する。
【００８７】
１つのＭＰＵは、図７（ｂ）に示すように、１つまたは複数のメディアフラグメントユニット（ＭＦＵ：Ｍｅｄｉａ  Ｆｒａｇｍｅｎｔ  ｕｎｉｔ）によって構成される。
具体的には、１つのＭＰＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＦＵの１つ、または複数から構成される。
【００８８】
１つのＭＦＵは、図７（ｃ）に示すように、１つまたは複数のＭＭＴＰパケットによって構成される。
具体的には、１つのＭＦＵは、ペイロードタイプ（Ｐａｙｌｏａｄ＿ｔｙｐｅ）＝０ｘ０（ＭＰＵ）で、かつ同じパケット識別子（Ｐａｃｋｅｔ＿ｉｄ）を持つＭＭＴＰパケットの１つ、または複数から構成される。
ＭＭＴＰパケットは可変長であり、様々なパケットサイズに設定可能である。
ＭＭＴＰパケットの各々は、属性情報等を格納するヘッダ（ＭＭＴＰヘッダ）と、符号化画像の実データ等を格納するペイロード（ＭＭＴＰペイロード）により、構成される。
【００８９】
なお、ＢＤＡＶフォーマットに類似するフォーマットとしてＳＰＡＶフォーマットがある。前述したように、ＢＤＭＶやＢＤＡＶは、主にＢＤを利用したデータ記録再生のアプリケーション規格である。これに対して、ＳＰＡＶフォーマットは、主にハードディスクに対するデータ記録再生のアプリケーション規格である。
ただし、ＢＤＡＶフォーマット、ＳＰＡＶフォーマットのいずれも、ＢＤ，フラッシュメモリ、ＨＤ等、様々なメディアを利用した記録再生に利用可能なフォーマットである。
【００９０】
ＳＰＡＶフォーマットデータは、ＢＤＡＶフォーマットにおけるデータ記録再生処理と同様の処理でデータ記録再生を実行することが可能である。ただし、ＳＰＡＶフォーマットは、ファイル名設定が、ＢＤＡＶフォーマットと一部、異なっている。
図８にＳＰＡＶフォーマットのディレクトリ構成例を示す。
【００９１】
図８に示すＳＰＡＶフォーマットのディレクトリには、先に図４を参照して説明したＢＤＡＶフォーマットと同様、様々な管理情報、再生制御情報、再生対象データの格納ファイルが設定される。
【００９２】
管理情報ファイルは、例えば、図８に示すインフォファイル（ＩＮＦＯ）、メニューファイル（ＭＥＮＵ）、マークファイル（ＭＡＲＫ）等によって構成される。これらは、主にユーザに見せるタイトルの管理情報等を格納する。
また、再生制御情報ファイルとして、
プレイリストファイル（ＰＬＡＹＬＩＳＴ）、
クリップ情報ファイル（ＣＬＩＰＩＮＦ）
例えば、これらのファイルが記録される。
さらに、再生データ格納ファイルとして、クリップＡＶストリームファイル（ＳＴＲＥＡＭ）が記録される。
【００９３】
図８に示すようにＳＰＡＶフォーマットのディレクトリ名や各ファイルの拡張子の設定が、図４を参照して説明したＢＤＡＶフォーマットと異なっている。
ただし、各ファイルに格納されるデータや、各ファイルの役割は、ＢＤＡＶフォーマットと同様である。
【００９４】
以下の実施例の説明では、ＭＭＴフォーマットデータをＢＤＡＶフォーマットデータとして記録し、再生する処理例について説明するが、以下に説明する実施例は、ＭＭＴフォーマットデータをＳＰＡＶフォーマットデータとして記録し、再生する処理にも適用可能である。
【００９５】
［４．ＭＭＴフォーマットデータをＢＤＡＶフォーマットに従って記録する場合の処理について］
次に、ＭＭＴフォーマットデータをＢＤＡＶフォーマットに従って記録する場合の処理について説明する。
【００９６】
先に説明したように、ＭＭＴフォーマットは、今後、放送局等によって配信が予定される４Ｋ画像等に利用されるデータ配信フォーマットであり、図３を参照して説明したプロトコルスタックに従ったフォーマットである。
一方、ＢＤＡＶフォーマットはメディアに対するデータ記録フォーマットであり、図４を参照して説明したようにプレイリストファイルやクリップ情報ファイル等の再生制御情報ファイルを含むデータベースファイルが規定されている。
なお、ＢＤＡＶフォーマットはデータ記録フォーマットであるとともにデータ記録再生アプリケーション規格にも対応しており、ＢＤＡＶフォーマットに従ってメディアに記録されたデータ再生は、ＢＤＡＶフォーマット対応の再生アプリケーションを利用して再生処理が実行される。
【００９７】
従って、ＭＭＴフォーマットに従った配信コンテンツをメディアに記録し、記録したメディアからのコンテンツ再生処理をＢＤＡＶフォーマット対応の再生アプリケーションを利用して行なうためには、ＢＤＡＶフォーマットに従ったデータ記録を行うことが必要である。
【００９８】
前述したように、現在、ＢＤＡＶフォーマットを拡張し、ＭＭＴフォーマットデータを記録、再生可能とするための規定について議論が進められている。
例えば、放送局等が送信するＭＭＴフォーマットに従った配信データをテレビ等の情報処理装置が受信し、受信データをＢＤやフラッシュメモリ、あるいはＨＤ（ハードディスク）等のメディアに記録する処理を行う場合、画像、音声、字幕データや管理情報（ＳＩ）等のデータについては、ＭＭＴフォーマットに従ったデータを格納したパケットのパケット列としてそのまま記録する方向で議論が進んでいる。
【００９９】
すなわち、図４に示すＢＤＡＶフォーマット、あるいは図８に示すＳＰＡＶフォーマットに設定されるクリップＡＶストリームファイル［０２００１．ｍｍｔｖ等］に、ＭＭＴフォーマットに従ったデータを格納したパケットのパケット列を記録する。
なお、ＭＭＴフォーマットデータを格納したクリップＡＶストリームファイル［０２００１．ｍｍｔｖ等］に対応する再生制御情報ファイルであるプレイリストファイルやクリップ情報ファイルについては、ＭＭＴフォーマットデータ対応の制御情報を設定したプレイリストファイルやクリップ情報ファイルを記録装置が生成してメディアに記録することになる。この処理については後段で説明する。
【０１００】
ＭＭＴフォーマットデータを格納したクリップＡＶストリームファイルは、ＭＭＴＰ（ＭＭＴ  Ｐｒｏｔｏｃｏｌ）パケット、あるいはＭＭＴＰパケットの上位パケットであるＴＬＶ（Ｔｙｐｅ  Ｌｅｎｇｔｈ  Ｖａｌｕｅ）パケットのパケット列として記録する方向で議論が進んでいる。
【０１０１】
ＭＭＴフォーマットデータを格納したクリップＡＶストリームファイルの具体的な記録構成例について図９、図１０を参照して説明する。
図９は、ＢＤやフラッシュメモリ、あるいはＨＤ（ハードディスク）等の記録メディアに、ＭＭＴフォーマットに従ったＭＭＴＰ（ＭＭＴ  Ｐｒｏｔｏｃｏｌ）パケット列を記録する処理例を説明する図である。
【０１０２】
図９には、以下の３つのデータを示している。
（Ａ）放送配信データであるＴＬＶパケット列
（Ｂ）受信再生データとして処理される１つのＴＬＶパケット
（Ｃ）メディア記録用データの構成として提案されているＭＭＴＰパケット列
【０１０３】
（Ａ）放送配信データであるＴＬＶパケット列は、先に図２を参照して説明したＭＭＴ（ＭＰＥＧ  Ｍｅｄｉａ  Ｔｒａｎｓｐｏｒｔ）フォーマットを有するＴＬＶパケットの列（シーケンス）である。
このＴＬＶパケット列が、放送局等の送信装置２０から送信される。
【０１０４】
（Ｂ）受信再生データとして処理される１つのＴＬＶパケットは、テレビや録画機等の情報処理装置３０が受信し、再生処理を行う１つのＴＬＶパケットである。（Ａ）に示すＴＬＶパケット列を構成する１つのＴＬＶパケットの詳細構成を示している。
先に図２を参照して説明したＭＭＴ（ＭＰＥＧ  Ｍｅｄｉａ  Ｔｒａｎｓｐｏｒｔ）フォーマットを有するＴＬＶパケットである。
【０１０５】
（Ｃ）メディア記録用データの構成として示すＭＭＴＰパケット列は、現在、メディアに対する記録データとして提案されているＭＭＴＰパケット列である。
メディアに記録されるＭＭＴＰパケットは、図９（Ｂ）との対応関係を示す点線から理解されるように、ＴＬＶパケットの一部の構成データであるＭＭＴＰパケットであり、以下の要素から構成される。
（ａ）ＭＭＴＰパケットヘッダ（ＭＭＴＰ＿ｐａｃｋｅｔ＿ｈｅａｄｅｒ）
（ｂ）ＭＭＴＰパケットデータ（ＭＭＴＰ＿ｐａｃｋｅｔ＿ｄａｔａ）（＝ペイロード）
【０１０６】
なお、ＭＭＴＰパケットデータ（ＭＭＴＰ＿ｐａｃｋｅｔ＿ｄａｔａ）（＝ペイロード）は以下の要素によって構成される。
（ｂ１）ＭＭＴＰペイロードヘッダ（ＭＭＴＰ＿ｐａｙｌｏａｄ＿ｈｅａｄｅｒ）
（ｂ２）ＭＭＴＰペイロードデータ（ＭＭＴＰ＿ｐａｙｌｏａｄ＿ｄａｔａ）
【０１０７】
現在、情報記録媒体（メディア）に対する記録データとして提案されている一つの構成が、この図９（Ｃ）に示すような、ＴＬＶパケットの構成要素であるＭＭＴＰパケットのみを取り出して、一列に並べて記録する構成である。
【０１０８】
図１０は、ＢＤやフラッシュメモリ、あるいはＨＤ（ハードディスク）等の記録メディアに、ＭＭＴＰ（ＭＭＴ  Ｐｒｏｔｏｃｏｌ）パケットではなく、ＭＭＴＰパケットを格納した上位のＴＬＶパケットのパケット列を記録する処理例を説明する図である。
【０１０９】
図１０には、図９と同様、以下の３つのデータを示している。
（Ａ）放送配信データであるＴＬＶパケット列
（Ｂ）受信再生データとして処理される１つのＴＬＶパケット
（Ｃ）メディア記録用データの構成として提案されているＴＬＶパケット列
【０１１０】
（Ａ），（Ｂ）は、図９を参照して説明したと同様のデータである。
（Ｃ）メディア記録用データの構成として示すＴＬＶパケット列は、現在、メディアに対する記録データとして提案されているもう１つの例であるＴＬＶパケット列である。
メディアに記録されるＴＬＶパケットは、図１０（Ｂ）との対応関係を示す点線から理解されるように、ＭＭＴＰパケットを含むＴＬＶパケットであり、以下の要素から構成される。
（ａ）ＴＬＶパケットヘッダ（ＴＬＶ＿ｈｅａｄｅｒ）
（ｂ）ＴＬＶパケットデータ（ＴＬＶ＿ｄａｔａ）（＝ペイロード）
【０１１１】
このように、現在、ＢＤ等のメディアに対するＭＭＴフォーマットデータの記録態様として、
図９を参照して説明したＭＭＴＰ（ＭＭＴ  Ｐｒｏｔｏｃｏｌ）パケットのパケット列、あるいは、
図１０を参照して説明したＴＬＶ（Ｔｙｐｅ  Ｌｅｎｇｔｈ  Ｖａｌｕｅ）パケットのパケット列、
これらいずれかのパケット列として記録する方向で議論が進んでいる。
【０１１２】
図９、または図１０に示すような設定でＭＭＴフォーマットデータをメディアに記録して、ＭＭＴフォーマットデータの再生処理をＢＤＡＶフォーマット対応の再生アプリケーションを利用して行う場合、ＢＤＡＶフォーマット対応の再生制御情報ファイル、すなわち、プレイリストファイルやクリップ情報ファイルを利用して再生を行うことになる。
なお、ＢＤＡＶフォーマットはデータ記録フォーマットであるとともにデータ記録再生アプリケーション規格にも対応しており、ＢＤＡＶフォーマットに従ってメディアに記録されたデータの再生は、ＢＤＡＶフォーマット対応の再生アプリケーションを利用して実行される。
【０１１３】
ＢＤＡＶフォーマットは、再生制御情報ファイルであるプレイリストファイルやクリップ情報ファイル等のＢＤＡＶフォーマット固有のデータベースファイルを規定しており、ＢＤＡＶ対応再生アプリケーションはこれらの再生制御情報ファイル（データベースファイル）の記録情報を利用してデータ再生処理を実行する。
【０１１４】
前述したように、ＢＤＡＶフォーマット規定のプレイリストファイルやクリップ情報ファイル等のデータベースファイルは、もともと、ＭＰＥＧ−２ＴＳフォーマットの配信データに基づいて生成可能なファイルとして規定されたものである。
従って、ＭＰＥＧ−２ＴＳフォーマットとはフォーマットの異なるＭＭＴフォーマットに従った配信データは、現行のＢＤＡＶフォーマット規定のプレイリストファイルやクリップ情報ファイルにそのまま記録しても、現行のＢＤＡＶ対応再生アプリケーションが利用できないデータとなる場合がある。
【０１１５】
ＭＭＴフォーマットデータをメディアに記録し、ＢＤＡＶフォーマット対応アプリを利用してコンテンツ再生を行うことを可能とするためには、メディアに対するＭＭＴフォーマットデータの記録処理に際して、ＭＭＴフォーマットデータ対応のプレイリストファイルやクリップ情報ファイルを生成してメディアに記録することが必要となる。
また、メディアに記録されたＭＭＴフォーマットデータの再生時には、ＭＭＴフォーマットデータ対応のプレイリストファイルやクリップ情報ファイルを利用して再生を行うことが必要となる。
【０１１６】
具体的には、図１１に示すように、ＭＭＴフォーマットデータ格納クリップＡＶストリームファイル７１対応のクリップ情報ファイル（ｎｎｎｎｎ．ｃｌｐｉ）７２と、プレイリストファイル（ｎｎｎｎｎ．ｒｐｌｓ）７３を生成して、メディア（ＢＤ，フラッシュメモリ，ＨＤＤ等）に記録して再生に利用する処理が必要となる。
【０１１７】
メディアに記録されたＭＭＴフォーマットデータ格納クリップＡＶストリームファイル７１を再生する場合には、このＭＭＴフォーマットデータ格納クリップＡＶストリームファイル７１対応のクリップ情報ファイル（ｎｎｎｎｎ．ｃｌｐｉ）７２と、プレイリストファイル（ｎｎｎｎｎ．ｒｐｌｓ）７３を利用して再生処理を行うことができる。
【０１１８】
しかし、前述したように、放送局の配信データであるＭＭＴフォーマットに従って配信されるデータは、ＢＤＡＶフォーマットで規定するプレイリストファイルやクリップ情報ファイルの記録用データを全て含むようには構成されていない。
また、ＭＭＴフォーマットデータ格納クリップＡＶストリームファイル７１は、ＭＰＥＧ−２ＴＳフォーマットデータとは異なるデータ形式となり、ＭＰＥＧ−２ＴＳフォーマットデータ対応のプレイリストファイルやクリップ情報ファイルと同一形式のデータを持つプレイリストファイルやクリップ情報ファイルを利用しても、正しい再生処理は実行できないという問題がある。
【０１１９】
従って、このＭＭＴフォーマットデータをメディアに記録して、ＢＤＡＶフォーマット対応アプリを利用してコンテンツ再生を行うためには、ＭＭＴフォーマットデータ格納クリップＡＶストリームファイル７１の再生制御を行うことができるＭＭＴフォーマットデータ固有のデータ形式を持つプレイリストファイルやクリップ情報ファイルを生成してメディアに記録することが必要となる。
以下、この具体的な処理について説明する。
【０１２０】
［５．ＭＭＴフォーマットデータ対応のプレイリストファイルについて］
まず、図１２以下を参照してＭＭＴフォーマットデータ対応のプレイリストファイルについて説明する。
【０１２１】
先に説明したように、プレイリストファイルには、そのプレイリストを適用して再生されるデータに関する情報が記録される。具体的には、例えばコンテンツの再生処理に適用するプレイアイテムに関する情報、さらに、再生位置情報等を記録したクリップ情報ファイルの指定情報等を有する。
【０１２２】
図１２は、１つのプレイリスト（ＰｌａｙＬｉｓｔ）ファイルに記録される［ＰｌａｙＬｉｓｔ］のデータ構成（シンタクス）を示す図である。
図１２に示す［ＰｌａｙＬｉｓｔ］の主な記録データについて説明する。
レングス（ｌｅｎｇｔｈ）は、このレングスフィールドの直後からプレイリストファイル構成データの最後までのバイト数を示す。
【０１２３】
ＰＬ＿ＣＰＩタイプ（ＰＬ＿ＣＰＩ＿ｔｙｐｅ）１０１は、プレイリストファイルに規定されたプレイアイテム（ＰｌａｙＩｔｅｍ）によって参照されるクリップ情報ファイル内のＣＰＩタイプを示す情報である。
【０１２４】
プレイアイテム数（ｎｕｍｂｅｒ＿ｏｆ＿ＰｌａｙＩｔｅｍｓ）１０２は、このプレイリストファイルに規定されたプレイアイテム（ＰｌａｙＩｔｅｍ）の数を示す。
サブプレイアイテム数（ｎｕｍｂｅｒ＿ｏｆ＿ＳｕｂＰｌａｙＩｔｅｍｓ）１０３は、このプレイリストファイルに規定されたプレイアイテム（ＰｌａｙＩｔｅｍ）の数を示す。
プレイアイテム情報（ＰｌａｙＩｔｅｍ（））１０４には、各プレイアイテム、サブプレイアイテムの詳細情報が記録される。
【０１２５】
上述したように、ＰＬ＿ＣＰＩタイプ（ＰＬ＿ＣＰＩ＿ｔｙｐｅ）１０１は、プレイリストファイルに規定されたプレイアイテム（ＰｌａｙＩｔｅｍ）によって参照されるクリップ情報ファイル内のＣＰＩタイプを示す情報である。
ＣＰＩ（Ｃｈａｒａｃｔｅｒｉｓｔｉｃ  Ｐｏｉｎｔ  Ｉｎｆｏｒｍａｔｉｏｎ）は、クリップ情報ファイルの記録データであり、例えば、ランダムアクセス再生開始可能な再生開始点のデータアドレスを取得するためのデータである。
【０１２６】
なお、ＢＤＡＶフォーマットにおいて規定されているＣＰＩとしては、例えばＥＰマップ（ＥＰ＿ｍａｐ）や、ＴＵマップ（ＴＵ＿ｍａｐ）の異なる種類のマップがある。
これらのマップは、いずれも、例えばランダムアクセスポイントとなる再生時間情報（ＰＴＳ：Ｐｒｅｓｅｎｔａｔｉｏｎ  Ｔｉｍｅｓｔａｍｐ）と、その位置のパケットのパケット識別子であるソースパケットナンバー（ＳＰＮ：Ｓｏｕｒｃｅ  Ｐａｃｋｅｔ  Ｎｕｍｂｅｒ）との対応データであり、ランダムアクセスポイントの再生データが格納されたパケットを取得するために利用可能なマップ情報である
【０１２７】
ＥＰマップ、ＴＵマップとも、ランダムアクセスポイント情報を記録したマップデータであるが、ＥＰマップは、より細かなランダムアクセスポイント情報を記録したマップデータであり、ＴＵマップはＥＰマップに比較してラフなランダムアクセスポイント情報を記録したマップデータである。
ＢＤＡＶフォーマットでは、ＥＰマップとＴＵマップの２種類のマップを規定しているが、ＴＵマップの利用はほとんどなされておらず、ＥＰマップのみ利用されているのが現状である。
ＥＰ＿ｍａｐやＴＵ＿ｍａｐは、ＡＶストリームの中でデコードを開始すべきエントリポイント（ＥＰ）の場所を見つけるためのアドレス情報を持つ。
【０１２８】
ＥＰマップについて、図１３以下を参照して説明する。
先に、図５を参照して説明したように、プレイリストは、クリップ（Ｃｌｉｐ）の再生開始位置や再生終了位置に対応するアクセスポイントを時間軸上の情報であるタイムスタンプで指し示す情報を有する。
クリップ情報ファイル（Ｃｌｉｐ  Ｉｎｆｏｒｍａｔｉｏｎ  ｆｉｌｅ）は、このタイムスタンプから、クリップＡＶストリームファイル中のストリームのデコードを開始すべきアドレス情報を見つけるために利用される。
【０１２９】
また、クリップ情報ファイル（Ｃｌｉｐ  Ｉｎｆｏｒｍａｔｉｏｎ  ｆｉｌｅ）は、図１３に示すＥＰマップ（ＥＰ＿ｍａｐ）を有する。
ＥＰマップは、クリップＡＶストリームファイルに格納された再生データ中におけるランダム再生開始可能な再生開始位置や再生終了位置に対応するアクセスポイント情報を記録している。
すなわち、ＥＰマップには、再生開始位置を時間軸上で表現したタイムスタンプと、パケット位置情報に相当するパケット取得のためのアドレス情報との対応データが記録されている。
【０１３０】
具体的には、
（ａ）アクセスポイントを時間軸上で表現したタイムスタンプ（ＰＴＳ：Ｐｒｅｓｅｎｔａｔｉｏｎ  Ｔｉｍｅｓｔａｍｐ）と、
（ｂ）アクセスポイントをクリップＡＶストリーム中のパケット位置を示すアドレスに相当するソースパケット番号（ＳＰＮ：Ｓｏｕｒｃｅ  Ｐａｃｋｅｔ  Ｎｕｍｂｅｒ）、
これらの対応情報を有する。
【０１３１】
このような対応情報を有するＥＰマップを参照することで、タイムスタンプに基づいて対応するアドレス（ＳＰＮ）を取得し、アドレス（ＳＰＮ）に従って、例えばＡＶストリーム中の再生開始位置であるデコード開始点などを見つけることができる。
【０１３２】
図１４は、ＥＰマップ（ＥＰ＿ｍａｐ）の具体的な構成と利用例を説明する図である。図１４（Ａ）に示すクリップＡＶストリーム（Ｃｌｉｐ  ＡＶ  ｓｔｒｅａｍ）は、パケット識別子：ＰＩＤで識別されるソースパケットからなるビデオストリームが多重化されている。ビデオストリームは、ソースパケット毎に、ソースパケット内のトランスポートパケットのヘッダに含まれるＰＩＤにより区別される。
【０１３３】
ビデオストリームのソースパケットは、ＭＰＥＧデータを構成するＩＰＢピクチャ、すなわち、Ｉ（Ｉｎｔｒａ）ピクチャ、Ｐ（Ｐｒｅｄｉｃｔｉｖｅ）ピクチャ、Ｂ（Ｂｉｄｉｒｅｃｔｉｏｎａｌｌｙ  ｐｒｅｄｉｃｔｉｖｅ）ピクチャを有する。Ｉピクチャは単独で復号可能なピクチャデータであり、その他のＰピクチャ、Ｂピクチャは、復号する場合に前後のＩピクチャの参照が必要となる。例えば、ランダムアクセスによる再生開始点は、単独復号可能なＩピクチャを持つパケット位置に設定される。
【０１３４】
ＥＰマップはランダムアクセス可能な再生開始点位置情報としてＩピクチャの位置情報を、上述のＰＴＳとＳＰＮの対応データとして保持している。すなわち、
（ａ）アクセスポイントを時間軸上で表現したタイムスタンプ（ＰＴＳ：Ｐｒｅｓｅｎｔａｔｉｏｎ  Ｔｉｍｅｓｔａｍｐ）と、
（ｂ）アクセスポイントをクリップＡＶストリーム中のパケット位置を示すアドレスに相当するソースパケットナンバー（ＳＰＮ：Ｓｏｕｒｃｅ  Ｐａｃｋｅｔ  Ｎｕｍｂｅｒ）、
これらの対応情報である。
【０１３５】
このような設定としたＥＰマップを参照することで、ランダムアクセス可能な再生開始位置であるＩピクチャの場所を求めることができる。ＥＰマップ（ＥＰ＿ｍａｐ）は、クリップ情報ファイルに含まれるデータである。
【０１３６】
ＥＰマップに基づくＩピクチャ位置の検出について、図１４を参照して説明する。図１４（Ａ）はクリップＡＶストリームを示し、各矩形は１９２バイトのソースパケットを示している。
【０１３７】
図１４（Ａ）には、Ｉ（Ｉｎｔｒａ）ピクチャの先頭バイトを含むソースパケットを、斜線を付した四角で示している。斜線の無い白い四角はランダムアクセスポイントとならないデータが含まれるソースパケットや、他のストリームのデータが含まれているソースパケットを示す。
【０１３８】
例えば、ＰＩＤ＝ｘで区別されるビデオストリームのランダムアクセス可能なＩピクチャの先頭バイトを含むソースパケット番号Ｘ１のソースパケットは、クリップＡＶストリームの時間軸上でＰＴＳ＝ｐｔｓ（ｘ１）の位置に配置される。同様に、次にランダムアクセス可能なＩピクチャの先頭バイトを含むソースパケットはソースパケット番号Ｘ２のソースパケットとされ、ＰＴＳ＝ｐｔｓ（ｘ２）の位置に配置される。
【０１３９】
図１４（Ｂ）に示すように、ソースパケットは、１８８バイトのトランスポートパケットに４バイトのヘッダ（ＴＰ＿ｅｘｔｒａ＿ｈｅａｄｅｒ）を付加した形で構成される。トランスポートパケット部分は、ヘッダ部（ＴＰ  ｈｅａｄｅｒ）とペイロード部とからなる。
【０１４０】
図１４（Ｃ２）に示すＥＰマップの登録データであるＳＰＮ＿ＥＰ＿ｓｔａｒｔは、シーケンスヘッダ（ＳＱＨ）から始まるＩピクチャを含むアクセスユニット（Ａｃｃｅｓｓ  Ｕｎｉｔ）の第１バイト目を含むソースパケットのソースパケット番号（ＳＰＮ）を表す。
なお、クリップＡＶストリームファイル中のすべてのパケットに設定された一連の番号がソースパケット番号（ＳＰＮ）である。クリップＡＶストリームファイル中、最初のソースパケットのソースパケット番号をゼロ、その次のパケットのソースパケット番号は１であり、以後、次のパケット毎にソースパケット番号は１つずつ増加する。
【０１４１】
図１４（Ｃ２）に示すように、ＥＰマップ（ＥＰ＿ｍａｐ）は、
ストリームＰＩＤ（Ｓｔｒｅａｍ＿ＰＩＤ）、
ＥＰエントリ数（ｎｕｍｂｅｒ＿ｏｆ＿ＥＰ＿ｅｎｔｒｉｅｓ）、
プレゼンテーションタイムスタンプＥＰスタート（ＰＴＳ＿ＥＰ＿ｓｔａｒｔ）、および、
ソースパケット番号ＥＰスタート（ＳＰＮ＿ＥＰ＿ｓｔａｒｔ）、
これらのデータを記録している。
【０１４２】
ストリームＰＩＤ（Ｓｔｒｅａｍ＿ＰＩＤ）は、ビデオストリームを伝送するトランスポートパケットのパケット識別子（ＰＩＤ）である。
ＥＰエントリ数（ｎｕｍｂｅｒ＿ｏｆ＿ＥＰ＿ｅｎｔｒｉｅｓ）は、ＥＰ＿ｍａｐに含まれるＰＴＳ＿ＥＰ＿ｓｔａｒｔ  とＳＰＮ＿ＥＰ＿ｓｔａｒｔのペアのエントリの個数である。
【０１４３】
プレゼンテーションタイムスタンプＥＰスタート（ＰＴＳ＿ＥＰ＿ｓｔａｒｔ）は、ランダムアクセス可能なＩピクチャから始まるＡｃｃｅｓｓ  ＵｎｉｔのＰＴＳ（プレゼンテーション・タイムスタンプ）を表す。
ソースパケット番号ＥＰスタート（ＳＰＮ＿ＥＰ＿ｓｔａｒｔ）は、ＰＴＳ＿ＥＰ＿ｓｔａｒｔの値により参照されるアクセスユニット（Ａｃｃｅｓｓ  Ｕｎｉｔ）の第１バイト目を含むソースパケット番号（ＳＰＮ：Ｓｏｕｒｃｅ  Ｐａｃｋｅｔ  Ｎｕｍｂｅｒ）を表す。
【０１４４】
ビデオストリームのＰＩＤ（パケット識別子）の値がｓｔｒｅａｍ＿ＰＩＤに格納され、ＰＴＳ＿ＥＰ＿ｓｔａｒｔとＳＰＮ＿ＥＰ＿ｓｔａｒｔの対応関係を表すテーブル情報であるＥＰ＿ｍａｐ（）が生成される。
例えば、ＰＩＤ＝ｘのビデオストリームのＥＰマップには、
ＰＴＳ＝ｐｔｓ（ｘ１）とソースパケット番号（ＳＰＮ）Ｘ１、
ＰＴＳ＝ｐｔｓ（ｘ２）とソースパケット番号（ＳＰＮ）Ｘ２、
・・・、
ＰＴＳ＝ｐｔｓ（ｘｋ）とソースパケット番号（ＳＰＮ）Ｘｋ、
これらのＰＴＳとＳＰＮの対応データからなるテーブルが記述される。
上記のテーブルを含むＥＰマップ（ＥＰ＿ｍａｐ）が、１つのクリップＡＶストリームに対応するクリップ情報ファイルに格納される。
【０１４５】
このようなデータを持つＥＰマップ（ＥＰ＿ｍａｐ）は、例えばランダムアクセスなどを行うときのデコード開始位置を特定するために参照される。
クリップ中の時間軸上の時刻ｘから再生開始するとき、ＥＰ＿ｍａｐを利用して、クリップＡＶストリームファイルの中でストリームのデコードを開始すべきアドレス情報の計算方法について、図１５を参照して説明する。
【０１４６】
図１５に示すように、プレイリスト（ＰｌａｙＬｉｓｔ）が、クリップ中の時間軸上の時刻ｘから再生開始を指定する情報を有する場合、ｘよりも小さく最も近い値を持つタイムスタンプ［ＰＴＳ＿ＥＰ＿ｓｔａｒｔ［ｍ］］が特定される。
このプレイリスト情報に従って特定されるタイムスタンプ［ＰＴＳ＿ＥＰ＿ｓｔａｒｔ［ｍ］］に基づいて、クリップ情報ファイル中のＥＰマップを参照して、タイムスタンプ［ＰＴＳ＿ＥＰ＿ｓｔａｒｔ［ｍ］］に対応するソースパケット番号［ＳＰＮ＿ＥＰ＿ｓｔａｒｔ［ｍ］］を特定する。
【０１４７】
このようにＥＰマップを利用して、プレイリスト情報に従って決定される再生時間情報であるＰＴＳから、そのＰＴＳに対応するパケット位置情報であるＳＰＮ、すなわち、［ＳＰＮ＿ＥＰ＿ｓｔａｒｔ［ｍ］］を取得する。
このパケット位置［ＳＰＮ＿ＥＰ＿ｓｔａｒｔ［ｍ］］を、クリップＡＶストリームファイル中の再生開始点、すなわち、デコードを開始すべきアドレス情報として取得し、デコード処理を行って再生を行うことができる。
【０１４８】
図１３〜図１５を参照して説明したＥＰマップの利用例は、ＭＰＥＧ−２ＴＳフォーマットデータを利用したランダムアクセスポイント対応のパケット取得処理例である。ＭＰＥＧ−２ＴＳフォーマットデータでは、このように、ＥＰマップを利用して、プレイリスト情報に従って決定される再生時間情報であるＰＴＳから、そのＰＴＳに対応するパケット位置情報であるＳＰＮ、すなわち、［ＳＰＮ＿ＥＰ＿ｓｔａｒｔ［ｍ］］を取得する。
【０１４９】
しかし、ＭＭＴフォーマットデータは、ＭＰＥＧ−２ＴＳフォーマットデータとは異なるフォーマットを有するため、このＭＰＥＧ−２ＴＳフォーマットデータと同様の処理を実行してランダムアクセスポイント対応パケットを取得することはできない。
すなわち、再生対象データがＭＭＴフォーマットデータである場合は、上述した処理と異なるＭＭＴフォーマットデータ対応のデータ処理を行う必要がある。
【０１５０】
ＥＰマップは、クリップ情報ファイルに規定されており、ＭＭＴフォーマットデータに対応するランダムアクセスポイント取得処理を実行するためのＭＭＴフォーマットデータ対応のＥＰマップをＭＭＴフォーマットデータ対応のクリップ情報ファイルに記録する必要がある。
すなわち、図１１に示すＭＭＴフォーマットデータ格納クリップＡＶストリームファイル７１対応のクリップ情報ファイル（ｎｎｎｎｎ．ｃｌｐｉ）７２にＭＭＴフォーマットデータ対応のＥＰマップを記録することが必要となる。この具体例については、後段で説明する。
【０１５１】
このように、ＭＰＥＧ−２ＴＳフォーマットデータに対応するＥＰマップと、ＭＭＴフォーマットデータに対応するＥＰマップとは異なるデータとなる。
図１２を参照して説明したように、図１２に示すプレイリストファイルに記録されるＰＬ＿ＣＰＩタイプ（ＰＬ＿ＣＰＩ＿ｔｙｐｅ）は、プレイリストファイルに規定されたプレイアイテム（ＰｌａｙＩｔｅｍ）によって参照されるクリップ情報ファイル内のＣＰＩタイプを示す情報である。
【０１５２】
ＣＰＩ（Ｃｈａｒａｃｔｅｒｉｓｔｉｃ  Ｐｏｉｎｔ  Ｉｎｆｏｒｍａｔｉｏｎ）は、クリップ情報ファイルの記録データであり、再生開始点（ランダムアクセスポイント）のデータアドレスを取得するためのＥＰマップやＴＵマップの種類を示すデータを記録する領域である。
【０１５３】
従来のＰＬ＿ＣＰＩタイプ（ＰＬ＿ＣＰＩ＿ｔｙｐｅ）には、ＭＰＥＧ−２ＴＳフォーマットデータ対応のＥＰマップやＴＵマップの識別情報が記録されていた。
しかし、ＭＭＴフォーマットデータに対応のＥＰマップは、これまでのＭＰＥＧ−２ＴＳフォーマットデータ対応のＥＰマップとは異なるマップである。
従って、プレイリストファイルのＰＬ＿ＣＰＩタイプ（ＰＬ＿ＣＰＩ＿ｔｙｐｅ）についても、これらを区別した識別子を設定することが必要となる。
【０１５４】
図１６に、以下のＣＰＩタイプ記録データを示す。
（１）従来のＣＰＩタイプ記録データ（ＭＰＥＧ−２ＴＳ対応データのみ記録）
（２）新たなＣＰＩタイプ記録データ（ＭＰＥＧ−２ＴＳ対応データとＭＭＴ対応データを記録）
【０１５５】
図１６の「（１）従来のＣＰＩタイプ記録データ（ＭＰＥＧ−２ＴＳ対応データのみ記録）」に示すデータは、従来のプレイリストファイルのＰＬ＿ＣＰＩタイプ（ＰＬ＿ＣＰＩ＿ｔｙｐｅ）として定義されていたデータである。
ＰＬ＿ＣＰＩタイプ（ＰＬ＿ＣＰＩ＿ｔｙｐｅ）＝１は、このプレイリストファイルに規定されたプレイアイテム（ＰｌａｙＩｔｅｍ）によって参照されるクリップ情報ファイル内のＣＰＩタイプが、ＭＰＥＧ−２ＴＳ対応のＥＰマップであることを意味する。
ＰＬ＿ＣＰＩタイプ（ＰＬ＿ＣＰＩ＿ｔｙｐｅ）＝２は、このプレイリストファイルに規定されたプレイアイテム（ＰｌａｙＩｔｅｍ）によって参照されるクリップ情報ファイル内のＣＰＩタイプが、ＭＰＥＧ−２ＴＳ対応のＴＵマップであることを意味する。
【０１５６】
このように、従来のＣＰＩタイプ記録データは、ＭＰＥＧ−２ＴＳ対応データのみ記録していた。
図１６の「（２）新たなＣＰＩタイプ記録データ（ＭＰＥＧ−２ＴＳ対応データとＭＭＴ対応データを記録）」は、上記設定に、さらに、
ＰＬ＿ＣＰＩタイプ（ＰＬ＿ＣＰＩ＿ｔｙｐｅ）＝３
このビット値＝３の設定を追加した構成となっている。
【０１５７】
ＰＬ＿ＣＰＩタイプ（ＰＬ＿ＣＰＩ＿ｔｙｐｅ）＝３は、このプレイリストファイルに規定されたプレイアイテム（ＰｌａｙＩｔｅｍ）によって参照されるクリップ情報ファイル内のＣＰＩタイプが、ＭＭＴ対応のＥＰマップであることを意味する。
このように、ＰＬ＿ＣＰＩタイプ（ＰＬ＿ＣＰＩ＿ｔｙｐｅ）＝１〜３の３種類の定義を可能として、３つのＣＰＩタイプを識別可能としている。
【０１５８】
次に、先に図１２を参照して説明した［ＰｌａｙＬｉｓｔ］内に記録されるプレイアイテム情報（ＰｌａｙＩｔｅｍ（））１０４の詳細（シンタクス）について、図１７以下を参照して説明する。
先に説明したように、プレイアイテム情報（ＰｌａｙＩｔｅｍ（））１０４には、各プレイアイテム、サブプレイアイテムの詳細情報が記録される。
【０１５９】
図１７は、プレイアイテム情報（ＰｌａｙＩｔｅｍ（））１０４のデータ構成（シンタクス）を示す図である。
クリップ情報ファイルネーム（Ｃｌｉｐ＿Ｉｎｆｏｒｍａｔｉｏｎ＿ｆｉｌｅ＿ｎａｍｅ）１１１には、このプレイアイテムを利用した再生処理に適用するクリップ情報ファイルのファイル名が記録される。
【０１６０】
参照ＳＴＣ識別子（ｒｅｆ＿ｔｏ＿ＳＴＣ＿ｉｄ）１１２は、このプレイアイテムが参照すべきＳＴＣ（システムタイムクロック）連続区間のＳＴＣ識別子を示す。
ＳＴＣ（システムタイムクロック）は、ＡＶストリーム再生時の基準クロックであり、連続再生区間では、１つのＳＴＣが利用される。例えば１つのプレイアイテムが再生する連続再生区間では１つのＳＴＣが利用され、プレイアイテムの切り替えによって異なるＳＴＣが参照されることになる。
参照ＳＴＣ識別子（ｒｅｆ＿ｔｏ＿ＳＴＣ＿ｉｄ）１１２には、このプレイアイテムが参照すべきＳＴＣ（システムタイムクロック）を指定する情報が記録される。
【０１６１】
開始時間（ＩＮ＿ｔｉｍｅ）１１３は、プレイアイテムの再生開始時間の記録領域である。
終了時間（ＯＵＴ＿ｔｉｍｅ）１１４は、プレイアイテムの再生終了時間の記録領域である。
これらの開始時間、終了時間情報は、従来のＭＰＥＧ−２ＴＳフォーマットデータを再生対象とする場合、参照ＳＴＣ識別子（ｒｅｆ＿ｔｏ＿ＳＴＣ＿ｉｄ）１１２によって指定されたプレイアイテム対応のＳＴＣの開始時間からの差分時間情報（４５ＫＨｚｈクロック）が記録される。
なお、４５ＫＨｚクロックは、ＭＰＥＧ−２ＴＳフォーマットデータの記録再生に用いられる一般的なクロックである。
【０１６２】
しかし、再生対象データが、ＭＭＴフォーマットデータの場合、ＭＰＥＧ−２ＴＳフォーマットデータのように、プレイアイテム対応の再生対象データ（ＭＭＴフォーマットデータ）各々に個別のＳＴＣが対応付けられた構成とはなっていない。
従って、ＭＭＴフォーマットデータを再生対象とするプレイリストのプレイアイテム情報（ＰｌａｙＩｔｅｍ（））に記録する、
開始時間（ＩＮ＿ｔｉｍｅ）１１３と、
終了時間（ＯＵＴ＿ｔｉｍｅ）１１４は、
ＭＭＴフォーマットデータに固有の時間情報とする必要がある。
この変更例について、図１８を参照して説明する。
【０１６３】
図１８には、以下のデータ例を示している。
（１）従来のプレイアイテム情報記録データ（ＭＰＥＧ−２ＴＳ対応プレイリスト）
（２）新たなプレイアイテム情報記録データ（ＭＭＴ対応プレイリスト）
【０１６４】
図１８（１）に示す「（１）従来のプレイアイテム情報記録データ（ＭＰＥＧ−２ＴＳ対応プレイリスト）」は、再生対象データが、ＭＰＥＧ−２ＴＳフォーマットデータの場合、プレイアイテム情報（ＰｌａｙＩｔｅｍ（））に記録される開始時間（ＩＮ＿ｔｉｍｅ）、終了時間（ＯＵＴ＿ｔｉｍｅ）の記録データを示している。
【０１６５】
開始時間（ＩＮ＿ｔｉｍｅ）は、プレイアイテム（ＰｌａｙＩｔｅｍ）再生開始点の再生開始時間情報であり、前述したように、このプレイアイテムを利用した再生処理に適用されるＳＴＣ［システムタイムクロック（４５ＫＨｚクロック）］）開始点からの経過時間情報を記録する。ＳＴＣは、図１７を参照して説明した参照ＳＴＣ識別子（ｒｅｆ＿ｔｏ＿ＳＴＣ＿ｉｄ）１１２によって特定されるＳＴＣである。
【０１６６】
また、終了時間（ＯＵＴ＿ｔｉｍｅ）は、プレイアイテム（ＰｌａｙＩｔｅｍ）再生終了点の再生終了時間情報であり、前述したように、このプレイアイテムを利用した再生処理に適用されるＳＴＣ［システムタイムクロック（４５ＫＨｚクロック）］）開始点からの経過時間情報を記録する。ＳＴＣは、図１７を参照して説明した参照ＳＴＣ識別子（ｒｅｆ＿ｔｏ＿ＳＴＣ＿ｉｄ）１１２によって特定されるＳＴＣである。
【０１６７】
図１８（２）に示す「（２）新たなプレイアイテム情報記録データ（ＭＭＴ対応プレイリスト）」は、再生対象データが、ＭＭＴフォーマットデータの場合、プレイアイテム情報（ＰｌａｙＩｔｅｍ（））に記録される開始時間（ＩＮ＿ｔｉｍｅ）、終了時間（ＯＵＴ＿ｔｉｍｅ）の記録データを示している。
【０１６８】
開始時間（ＩＮ＿ｔｉｍｅ）は、プレイアイテム（ＰｌａｙＩｔｅｍ）再生開始点の再生開始時間情報である。再生対象データがＭＭＴフォーマットデータである場合、ＮＴＰ（ネットワークタイムプロトコル）に従った時間情報を記録する。
終了時間（ＯＵＴ＿ｔｉｍｅ）は、プレイアイテム（ＰｌａｙＩｔｅｍ）再生終了点の再生終了時間情報である。再生対象データがＭＭＴフォーマットデータである場合、ＮＴＰ（ネットワークタイムプロトコル）に従った時間情報を記録する。
【０１６９】
ＮＴＰ（ネットワークタイムプロトコル）に従った時間情報は、例えば図１に示す放送サーバ（放送局）２１等の送信装置２０が送信する放送コンテンツ等を含むＭＭＴフォーマットデータに併せて送信される。
テレビ（ＴＶ）３２等の情報処理装置３０は、送信装置２０が送信するＮＴＰ（ネットワークタイムプロトコル）に従った時間情報を取得して、プレイリストに記録する。
【０１７０】
送信装置２０は、例えば、先に図３を参照して説明したＭＭＴフォーマットにおける１つのデータ処理単位であるＭＰＵ（Ｍｅｄｉａ  Ｐｒｅｓｅｎｔａｔｉｏｎ  Ｕｎｉｔ）単位の再生時間情報を、ＮＴＰ（ネットワークタイムプロトコル）に従った時間情報として記録した制御情報を、再生対象データ（番組コンテンツ）に併せて送信する。
具体例について、図１９以下を参照して説明する。
【０１７１】
例えば図１に示す放送サーバ（放送局）２１等の送信装置２０からの配信コンテンツ（番組）をＭＭＴフォーマットデータで受信し、受信コンテンツを情報記録媒体（メディア）に記録する情報処理装置３０は、受信データから様々な情報を抽出して、プレイリストファイルやクリップ情報ファイルを生成することが必要となる。
【０１７２】
先に図２他を参照して説明したように、ＭＭＴフォーマットデータには、情報処理装置３０側においてコンテンツ（番組）を受信、再生するために必要となる制御情報や、番組ガイド等の案内情報や通知情報、管理情報等によって構成される制御情報（シグナリング情報）が含まれる。
ＭＭＴフォーマットで規定された制御情報（シグナリング情報）には、ＭＭＴＰパケットで送信されるシグナリング情報（ＭＭＴ−ＳＩ）と、ＴＬＶパケットで送信されるシグナリング情報（ＴＬＶ−ＳＩ）がある。
【０１７３】
ＭＭＴフォーマットデータを受信して、受信データをメディアに記録する情報処理装置３０は、例えばＭＭＴフォーマットに含まれるＴＬＶ−ＳＩやＭＭＴ−ＳＩ等のシグナリング情報から様々な情報を抽出して、プレイリストファイルやクリップ情報ファイルを生成する。
【０１７４】
ＭＭＴＰパケットで送信されるシグナリング情報（ＭＭＴ−ＳＩ）の一つにＭＭＴパッケージテーブル（ＭＰＴ：ＭＭＴ  Ｐａｃｋａｇｅ  Ｔａｂｌｅ）がある。ＭＭＴパッケージテーブル（ＭＰＴ）は、例えば画像、音声、字幕等、のデータ種類（アセットタイプ）毎に、データの属性情報（アセット記述子）を詳細に記録したテーブルてある。
なお、ＭＭＴパッケージテーブル（ＭＰＴ：ＭＭＴ  Ｐａｃｋａｇｅ  Ｔａｂｌｅ）のパケットＩＤは、パケットＩＤ＝０ｘ００００のＭＭＴＰパケットに格納されており、情報処理装置は、パケットＩＤに基づいてＭＭＴパッケージテーブル（ＭＰＴ）の格納パケットを判別することができる。
【０１７５】
ＭＭＴパッケージテーブル（ＭＰＴ：ＭＭＴ  Ｐａｃｋａｇｅ  Ｔａｂｌｅ）の構成について図１９を参照して説明する。
【０１７６】
図１９は、ＭＭＴパッケージテーブル（ＭＰＴ）のデータ構成（シンタクス）を示す図である。
ＭＭＴフォーマットにおいて規定されたＭＭＴパッケージテーブル（ＭＰＴ：ＭＭＴ  Ｐａｃｋａｇｅ  Ｔａｂｌｅ）は、前述したように、例えば画像、音声、字幕等、のデータ種類（アセットタイプ）毎に、データの属性情報（アセット記述子）を詳細に記録したテーブルてある。
【０１７７】
ＭＭＴパッケージテーブル（ＭＰＴ）には、図１９に示すように、
アセットタイプ（ａｓｓｅｔ＿ｔｙｐｅ）
アセット記述子（ａｓｓｅｔ＿ｄｅｓｃｒｉｐｔｏｒｓ＿ｂｙｔｅ）
これらのデータ記録領域が含まれる。
【０１７８】
アセットタイプ（ａｓｓｅｔ＿ｔｙｐｅ）は、画像、音声、字幕等のデータ種類別の識別子を記録する領域である。アセットとは、共通属性を持つデータ処理の単位であり、画像、音声、字幕等は、各々、異なるアセットとして設定される。
ＭＭＴパッケージテーブル（ＭＰＴ）に記録されるアセットタイプ（ａｓｓｅｔ＿ｔｙｐｅ）の具体例を図２０に示す。
【０１７９】
図２０に示すように、ＭＰＴに記録されるアセットタイプ（ａｓｓｅｔ＿ｔｙｐｅ）には、例えば以下の種類がある。
ｈｖｃ１：ＨＥＶＣ画像
ｍｐ４ａ：音声
ｓｔｐｐ：字幕等
ａａｐｐ：アプリケーション
図１９に示すＭＰＴのアセットタイプ（ａｓｓｅｔ＿ｔｙｐｅ）記録フィールドには、例えば上記のいずれかのタイプ情報が記録される。
【０１８０】
図１９のＭＰＴの下段に示す、
アセット記述子（ａｓｓｅｔ＿ｄｅｓｃｒｉｐｔｏｒｓ＿ｂｙｔｅ）
このフィールドには、各アセットタイプ（例えば画像、音声、字幕）、これらのデータ種類に応じた様々な属性情報が記録される。
【０１８１】
このアセット記述子（ａｓｓｅｔ＿ｄｅｓｃｒｉｐｔｏｒｓ＿ｂｙｔｅ）として記録される情報の一つに画像や音声等の再生時間情報が含まれる。
再生時間情報は、ＮＴＰ（ネットワークタイムプロトコル）に従った時間情報として記録される。
【０１８２】
図２１に、ＭＭＴパッケージテーブル（ＭＰＴ）にアセット記述子（ａｓｓｅｔ＿ｄｅｓｃｒｉｐｔｏｒｓ＿ｂｙｔｅ）として記録されるＭＰＵ単位の再生時間情報（タイムスタンプ）を記録したＭＰＵタイムスタンプ記述子のデータ構成（シンタクス）を示す。
【０１８３】
なお、ＭＰＵは、先に図３を参照して説明したように、図３（ａ）に示すＭＰＵ（Ｍｅｄｉａ  Ｐｒｅｓｅｎｔａｔｉｏｎ  Ｕｎｉｔ）であり、ＭＭＴフォーマットにおける１つのデータ処理単位である。図３（ａ）に示す例は、画像データのＭＰＵの例であり、いわゆる符号化、復号処理単位としてのＧＯＰ（Ｇｒｏｕｐ  ｏｆ  Ｐｉｃｔｕｒｅｓ）と同じ単位である。
【０１８４】
ＭＭＴパッケージテーブル（ＭＰＴ）に記録されるＭＰＵタイムスタンプ記述子は、このＭＰＵ単位の再生時間情報に相当する。
図２１に示すように、ＭＰＵタイムスタンプ記述子には、以下の各データが記録される。
ＭＰＵシーケンス番号（ＭＰＵ＿ｓｅｑｕｅｎｃ＿ｎｕｍｂｅｒ）
ＭＰＵ再生時刻（ＭＰＵ＿ｐｒｅｓｅｎｔａｔｉｏｎ＿ｔｉｍｅ）
【０１８５】
ＭＰＵシーケンス番号（ＭＰＵ＿ｓｅｑｕｅｎｃ＿ｎｕｍｂｅｒ）には、ＭＰＵの識別子が記録される。
ＭＰＵ再生時刻（ＭＰＵ＿ｐｒｅｓｅｎｔａｔｉｏｎ＿ｔｉｍｅ）には、ＭＰＵの再生時間（提示時間）がＮＴＰ（ネットワークタイムプロトコル）に従った時間情報として記録される。
なお、ＮＴＰ時間（ＮＴＰタイムスタンプ）は、例えば６４ビットデータの絶対時刻情報、すなわち予め規定された基準時刻からの経過時間を示す絶対時刻情報である。上位３２ビットで１秒以上の時間情報（経過時間情報）を示し、下位３２ビットで１秒以下の時間情報（経過時間情報）を示す。
なお、全体を３２ビットとして、上位１６ビットで１秒以上の時間情報を示し、下位１６ビットで１秒以下の時間情報を示す短形式のＮＴＰ時間情報を用いる設定も可能である。
【０１８６】
このように、ＭＭＴパッケージテーブル（ＭＰＴ）には、アセット記述子（ａｓｓｅｔ＿ｄｅｓｃｒｉｐｔｏｒｓ＿ｂｙｔｅ）として、ＭＰＵ単位の再生時間情報（タイムスタンプ）であるＭＰＵタイムスタンプが記録される。
【０１８７】
図１に示す送信装置２０は、ＭＭＴパッケージテーブル（ＭＰＴ）にＭＭＴフォーマットにおける１つのデータ処理単位であるＭＰＵ（Ｍｅｄｉａ  Ｐｒｅｓｅｎｔａｔｉｏｎ  Ｕｎｉｔ）単位の再生時間情報を、ＮＴＰ時間情報として記録してテレビ等の情報処理装置３０に送信する。
情報処理装置３０は、この時間情報を取得してプレイリストに記録する。
【０１８８】
すなわち、情報処理装置３０は、情報記録媒体（メディア）にクリップＡＶストリームファイルとして記録するデータがＭＭＴフォーマットデータの場合、その再生制御情報ファイルであるプレイリストファイルに、ＭＭＴパッケージテーブル（ＭＰＴ）から取得したＮＴＰ時間情報を記録する。
【０１８９】
情報処理装置３０は、先に図１８（２）を参照して説明したように、情報記録媒体（メディア）にクリップＡＶストリームファイルとして記録する再生対象データがＭＭＴフォーマットデータである場合、プレイリストファイルのプレイアイテム情報（ＰｌａｙＩｔｅｍ（））の開始時間（ＩＮ＿ｔｉｍｅ）、終了時間（ＯＵＴ＿ｔｉｍｅ）として、ＮＴＰ（ネットワークタイムプロトコル）に従った時間情報を記録する。
【０１９０】
次に、図２２を参照して、プレイリストファイルに記録されるもう一つの要素であるプレイリストマーク（ＰｌａｙＬｉｓｔＭａｒｋ）について説明する。
まず、マーク（Ｍａｒｋ）について説明する。マークは、例えばクリップＡＶストリームファイルに格納された画像データのチャプタ区切り、シーンチェンジ点、ブックマーク、ハイライト、特徴的なシーンの時間指定情報として、プレイリストファイル、クリップ情報ファイルに記録可能なデータである。
プレイリストファイル、クリップ情報ファイルに対するマークの記録は、マークの時刻を示すタイムスタンプの記録処理により行われる。
【０１９１】
図２２は、プレイリストファイルの一要素であるプレイリストマーク（ＰｌａｙＬｉｓｔＭａｒｋ）のデータ構成（シンタクス）を示す図である。
プレイリストマーク数（ｎｕｍｂｅｒ＿ｏｆ＿ＰｌａｙＬｉｓｔ＿ｍａｒｋｓ）１２１は、このプレイリストマーク（ＰｌａｙＬｉｓｔＭａｒｋ）中にストアされているマークの個数を示す。
マークタイプ（ｍａｒｋ＿ｔｙｐｅ）１２２は、マークのタイプを示すフィールドである。たとえば、各マークが、プレイリストの代表画像位置、チャプタ開始位置、チャプタ終了位置、シーンチェンジ位置、編集位置等のどのタイプのマークであるかを示す情報を記録する。
【０１９２】
マークタイムスタンプ（ｍａｒｋ＿ｔｉｍｅ＿ｓｔａｍｐ）１２３は、マークが設定されたポイントを示すタイムスタンプを記録するフィールドである。
エレメンタリストリームパケットＩＤエントリ（ｅｎｔｒｙ＿ＥＳ＿ＰＩＤ）１２４は、マークが設定されたパケットの識別子を記録するフィールドである。
デュレーション（ｄｕｒａｔｉｏｎ）１２５は、隣接マーク間の時間間隔、例えばチャプタの長さを記録するフィールドである。
【０１９３】
この図２２に示すプレイリストマーク（ＰｌａｙＬｉｓｔＭａｒｋ）の記録データについても、クリップＡＶストリームファイルとして従来のＭＰＥＧ−２ＴＳフォーマットデータが記録されている場合については規定されているが、クリップＡＶストリームファイルとしてＭＭＴフォーマットデータが記録されている場合については、特に規定されていない。
従って、クリップＡＶストリームファイルとしてＭＭＴフォーマットデータを記録する場合のプレイリストマーク（ＰｌａｙＬｉｓｔＭａｒｋ）の記録データについて規定する必要がある。
【０１９４】
図２３に以下のデータ例を示す。
（１）従来のプレイリストマーク情報記録データ（ＭＰＥＧ−２ＴＳ対応プレイリスト）
（２）新たなプレイリストマーク情報記録データ（ＭＭＴ対応プレイリスト）
【０１９５】
図２３（１）に示す「（１）従来のプレイリストマーク情報記録データ（ＭＰＥＧ−２ＴＳ対応プレイリスト）」は、再生対象データが、ＭＰＥＧ−２ＴＳフォーマットデータの場合、プレイリストマーク（ＰｌａｙＬｉｓｔＭａｒｋ）に記録される記録データを示している。
【０１９６】
マークタイムスタンプ（ｍａｒｋ＿ｔｉｍｅ＿ｓｔａｍｐ）は、マークが設定されたポイントを示すタイムスタンプを記録するフィールドである。再生データが、ＭＰＥＧ−２ＴＳフォーマットデータである場合、ここには、マーク設定位置のタイムスタンプを記録する。このタイムスタンプは、ＭＰＥＧ−２ＴＳフォーマットデータの記録再生に用いられる一般的なクロックである４５ＫＨｚクロックデータとして記録される。
【０１９７】
エレメンタリストリームパケットＩＤエントリ（ｅｎｔｒｙ＿ＥＳ＿ＰＩＤ）は、マークが設定されたパケットの識別子を記録するフィールドである。再生データが、ＭＰＥＧ−２ＴＳフォーマットデータである場合、ここには、マーク設定位置のＴＳパケットのパケットＩＤ（ＰＩＤ）を記録する。
【０１９８】
デュレーション（ｄｕｒａｔｉｏｎ）は、隣接マーク間の時間間隔、例えばチャプタの長さを記録するフィールドである。再生データが、ＭＰＥＧ−２ＴＳフォーマットデータである場合、ここには、隣接マーク間の時間間隔を、ＭＰＥＧ−２ＴＳフォーマットデータの記録再生に用いられる一般的なクロックである４５ＫＨｚクロックデータとして記録する。
【０１９９】
図２３に示す「（２）新たなプレイリストマーク情報記録データ（ＭＭＴ対応プレイリスト）」は、再生対象データが、ＭＭＴフォーマットデータの場合、プレイリストマーク（ＰｌａｙＬｉｓｔＭａｒｋ）に記録される記録データを示している。
【０２００】
再生対象データがＭＭＴフォーマットデータの場合、マークタイムスタンプ（ｍａｒｋ＿ｔｉｍｅ＿ｓｔａｍｐ）には、マーク設定位置のタイムスタンプを、ＮＴＰ（ネットワークタイムプロトコル）に従った時間情報として記録する。
ＮＴＰ（ネットワークタイムプロトコル）に従った時間情報は、例えば、先に図１８他を参照して説明したＭＰＴ、すなわち、ＭＭＴフォーマットにおいて規定されたＭＭＴパッケージテーブル（ＭＰＴ：ＭＭＴ  Ｐａｃｋａｇｅ  Ｔａｂｌｅ）から取得される。
【０２０１】
また、エレメンタリストリームパケットＩＤエントリ（ｅｎｔｒｙ＿ＥＳ＿ＰＩＤ）は、マークが設定されたパケットの識別子を記録するフィールドであり、再生データが、ＭＭＴフォーマットデータである場合、マーク設定位置のパケットＩＤとして、ＭＭＴパケットのＩＤを記録する。
【０２０２】
デュレーション（ｄｕｒａｔｉｏｎ）は、隣接マーク間の時間間隔、例えばチャプタの長さを記録するフィールドである。このフィールドには、再生データが、ＭＭＴフォーマットデータである場合も、ＭＰＥＧ−２ＴＳフォーマットデータと同様、４５ＫＨｚクロックデータとして記録する。マーク間の時間間隔は、データ記録時に算出可能であり、従来のＭＰＥＧ−２ＴＳフォーマットデータのデータ記録形式に併せて記録する設定としている。
【０２０３】
［６．ＭＭＴフォーマットデータ対応のクリップ情報ファイルについて］
次に、図２４以下を参照してＭＭＴフォーマットデータ対応のクリップ情報ファイルについて説明する。
【０２０４】
先に説明したように、クリップ情報ファイルには、そのクリップ情報ファイルを適用して再生するデータに関する情報が記録される。具体的には、例えば、クリップＡＶストリームファイルの再生位置情報等を有する。
【０２０５】
図２４は、１つのクリップ情報ファイルのデータ構成（シンタクス）を示す図である。
クリップ情報ファイルには、クリップ情報に対応付けられた再生データに関する情報が記録される。図２４に示すように、例えば、以下の各情報が記録される。
クリップ情報［ＣｌｉｐＩｎｆｏ（）］２０１、
シーケンス情報［ＳｅｑｕｅｎｃｅＩｎｆｏ（）］２０２、
プログラム情報［ＰｒｏｇｒａｍＩｎｆｏ（）］２０３、
ＣＰＩ情報［ＣＰＩ（）］２０４
【０２０６】
クリップ情報［ＣｌｉｐＩｎｆｏ（）］２０１は、クリップ情報ファイルに対応するＡＶストリームファイルの属性情報を記録する。
シーケンス情報［ＳｅｑｕｅｎｃｅＩｎｆｏ（）］２０２は、このクリップ情報ファイルに対応するＡＶストリームファイルに格納された再生対象データの再生シーケンスに関する情報を記録する。
【０２０７】
プログラム情報［ＰｒｏｇｒａｍＩｎｆｏ（）］２０３は、クリップ情報ファイルによって再生されるクリップＡＶストリームの再生区間や時間区間の定義情報等を含むプログラム(ｐｒｏｇｒａｍ)に関する情報を記録する。
【０２０８】
ＣＰＩ情報［ＣＰＩ（）］２０４は、例えば、再生開始点のデータアドレスを取得するためのデータであり、先に図１３〜１５を参照して説明したＥＰ＿ｍａｐやＴＵ＿ｍａｐが記録される。
先に図１２を参照して説明したように、プレイリストファイルには、ＣＰＩタイプ（ＣＰＩ＿ｔｙｐｅ）が記録される。ＣＰＩタイプ（ＣＰＩ＿ｔｙｐｅ）は、プレイリストファイルに規定されたプレイアイテム（ＰｌａｙＩｔｅｍ）によって参照されるクリップ情報ファイル内のＣＰＩタイプを示す情報である。
【０２０９】
次に、図２５を参照して、クリップ情報ファイルに記録されるクリップ情報［ＣｌｉｐＩｎｆｏ（）］２０１のデータ構成（シンタクス）について説明する。
前述したように、クリップ情報［ＣｌｉｐＩｎｆｏ（）］２０１は、クリップ情報ファイルに対応するＡＶストリームファイルの属性情報を記録する領域である。
【０２１０】
図２５に示すように、クリップ情報［ＣｌｉｐＩｎｆｏ（）］２０１には、以下のデータが記録される。
（ａ）アプリケーションタイプ（Ａｐｐｌｉｃａｔｉｏｎ  ｔｙｐｅ）２１１
（ｂ）クリップストリームタイプ（Ｃｌｉｐ＿ｓｔｒｅａｍ＿ｔｙｐｅ）２１２
（ｃ）トランスコードモードフラグ（ｔｒａｎｓｃｏｄｅ＿ｍｏｄｅ＿ｆｌａｇ）２１３
（ｄ）ＴＳ平均レート（ＴＳ＿ａｖｅｒａｇｅ＿ｒａｔｅ）２１４、
（ｅ）ＴＳ記録レート（ＴＳ＿ｒｅｃｏｒｄｉｎｇ＿ｒａｔｅ）２１５、
（ｆ）ソースパケット数（ｎｕｍ＿ｏｆ＿ｓｏｕｒｃｅ＿ｐａｃｋｅｔｓ）２１６
【０２１１】
アプリケーションタイプ（ａｐｐｌｉｃａｔｉｏｎ  ｔｙｐｅ）２１１は、このクリップ情報ファイルによる再生アプリケーションのタイプを示す情報であり、具体的には、通常の画像再生タイプと、スライドショーの再生処理タイプ等が規定される。
【０２１２】
クリップストリームタイプ（Ｃｌｉｐ＿ｓｔｒｅａｍ＿ｔｙｐｅ）２１２は、このクリップ情報ファイルによる再生対象データであるクリップＡＶストリームファイルに格納されたデータのタイプを示す情報である。ＭＰＥＧ−２ＴＳフォーマットデータには、通常のＭＰＥＧ−２ＴＳストリームの他、ストリーム間に黒画を挿入したストリームタイプがあり、これらのタイプの識別情報が記録される。
【０２１３】
トランスコードモードフラグ（ｔｒａｎｓｃｏｄｅ＿ｍｏｄｅ＿ｆｌａｇ）２１３は、このクリップ情報ファイルによる再生対象データであるクリップＡＶストリームファイルに格納されたデータ、すなわち情報記録媒体（メディア）に記録された再生対象データが、放送等の受信データをそのまま記録したものであるか、あるいは所定の圧縮処理等の変換処理を施して記録されたものであるかを示すフラグである。
具体的には、
フラグ値＝０：記録時の変換なし（ｔｒａｎｓｐａｒｅｎｔ）
フラグ値＝１：記録時の変換あり（ｔｒａｎｓｃｏｄｅｄ）
このような設定のフラグが記録される。
【０２１４】
ＴＳ平均レート（ＴＳ＿ａｖｅｒａｇｅ＿ｒａｔｅ）２１４、
ＴＳ記録レート（ＴＳ＿ｒｅｃｏｒｄｉｎｇ＿ｒａｔｅ）２１５、
これらは、このクリップ情報ファイルによる再生対象データであるクリップＡＶストリームファイルのトランスポートストリームの平均ビットレートと、記録レートをｂｙｔｅｓ／ｓｅｃｏｎｄ  の単位で表したものである。
【０２１５】
ソースパケット数（ｎｕｍ＿ｏｆ＿ｓｏｕｒｃｅ＿ｐａｃｋｅｔｓ）２１６は、このクリップ情報ファイルによる再生対象データであるクリップＡＶストリームファイルのファイルサイズ情報であり、ＭＰＥＧ−２ＴＳフォーマットデータの場合、ソースパケット数が記録される。
【０２１６】
このように、図２５に示すクリップ情報［ＣｌｉｐＩｎｆｏ（）］２０１には、記録すべきデータとして以下のデータが規定されている。
（ａ）アプリケーションタイプ（Ａｐｐｌｉｃａｔｉｏｎ  ｔｙｐｅ）２１１
（ｂ）クリップストリームタイプ（Ｃｌｉｐ＿ｓｔｒｅａｍ＿ｔｙｐｅ）２１２
（ｃ）トランスコードモードフラグ（ｔｒａｎｓｃｏｄｅ＿ｍｏｄｅ＿ｆｌａｇ）２１３
（ｄ）ＴＳ平均レート（ＴＳ＿ａｖｅｒａｇｅ＿ｒａｔｅ）２１４、
（ｅ）ＴＳ記録レート（ＴＳ＿ｒｅｃｏｒｄｉｎｇ＿ｒａｔｅ）２１５、
（ｆ）ソースパケット数（ｎｕｍ＿ｏｆ＿ｓｏｕｒｃｅ＿ｐａｃｋｅｔｓ）２１６
【０２１７】
しかし、これらのデータは、このクリップ情報ファイルによる再生対象データであるクリップＡＶストリームファイルに格納されたデータがＭＰＥＧ−２ＴＳフォーマットデータであることを想定して規定されており、クリップＡＶストリームファイルに格納されたデータがＭＭＴフォーマットデータである場合を想定したものとはなっていない。
従って、クリップＡＶストリームファイルに格納されたデータがＭＭＴフォーマットデータある場合のデータ記録態様についての規定が必要となる。
【０２１８】
図２６は、図２５に示すクリップ情報［ＣｌｉｐＩｎｆｏ（）］に記録されるアプリケーションタイプ（Ａｐｐｌｉｃａｔｉｏｎ  ｔｙｐｅ）２１１について、
（１）従来のクリップ情報（ＣｌｉｐＩｎｆｏ）記録データ（ＭＰＥＧ−２ＴＳ対応クリップ情報ファイル）
（２）新たなクリップ情報（ＣｌｉｐＩｎｆｏ）記録データ（ＭＰＥＧ−２ＴＳ／ＭＭＴ対応クリップ情報ファイル）
これらの各データを示した図である。
【０２１９】
図２６（１）に示す「（１）従来のクリップ情報（ＣｌｉｐＩｎｆｏ）記録データ（ＭＰＥＧ−２ＴＳ対応クリップ情報ファイル）」は、再生対象データがＭＰＥＧ−２ＴＳフォーマットデータである場合にクリップ情報（ＣｌｉｐＩｎｆｏ）に記録されるアプリケーションタイプ（Ａｐｐｌｉｃａｔｉｏｎ  ｔｙｐｅ）の設定値と意味の対応データを示している。
【０２２０】
再生対象データがＭＰＥＧ−２ＴＳフォーマットデータである場合、以下の設定となる。
アプリケーションタイプ（Ａｐｐｌｉｃａｔｉｏｎ  ｔｙｐｅ）＝１の場合、このクリップ情報ファイルによる再生アプリケーションのタイプが、「Ｍａｉｎ  ＴＳ  ｆｏｒ  ａ  ｍａｉｎ−ｐａｔｈ  ｏｆ  Ｍｏｖｉｅｓ」、すなわち、画像メインパス対応のメインＴＳ（トランスポートストリーム）の再生アプリケーションであることを示す。
なお、画像再生パスには、メインパス、サブパス等の複数の再生パスが設定可能であり、それぞれ異なるプレイアイテムを利用して再生することができる。
【０２２１】
また、アプリケーションタイプ（Ａｐｐｌｉｃａｔｉｏｎ  ｔｙｐｅ）＝２の場合、このクリップ情報ファイルによる再生アプリケーションのタイプが、「Ｍａｉｎ  ＴＳ  ｆｏｒ  ａ  ｍａｉｎ−ｐａｔｈ  ｏｆ  Ｔｉｍｅ  ｂａｓｅｄ  ｓｌｉｄｅ  ｓｈｏｗ」、すなわち、タイムベーススライドショーのメインパス対応のメインＴＳの再生アプリケーションであることを示す。
このように、従来は、再生対象データがＭＰＥＧ−２ＴＳフォーマットデータのみであり、図２６（１）に示す設定が利用されていた。
【０２２２】
図２６（２）に示す「（２）新たなクリップ情報（ＣｌｉｐＩｎｆｏ）記録データ（ＭＰＥＧ−２ＴＳ／ＭＭＴ対応クリップ情報ファイル）」は、再生対象データがＭＰＥＧ−２ＴＳフォーマットデータ、またはＭＭＴフォーマットデータである場合の２つの異なるフォーマットデータが想定される場合のクリップ情報（ＣｌｉｐＩｎｆｏ）に記録されるアプリケーションタイプ（Ａｐｐｌｉｃａｔｉｏｎ  ｔｙｐｅ）の設定値と意味の対応データを示している。
【０２２３】
この設定では、図２６（１）において説明したアプリケーションタイプ（Ａｐｐｌｉｃａｔｉｏｎ  ｔｙｐｅ）＝１，２に加え、以下の設定を追加している。
アプリケーションタイプ（Ａｐｐｌｉｃａｔｉｏｎ  ｔｙｐｅ）＝３
【０２２４】
アプリケーションタイプ（Ａｐｐｌｉｃａｔｉｏｎ  ｔｙｐｅ）＝３の場合、このクリップ情報ファイルによる再生アプリケーションのタイプが、「Ｍａｉｎ  ＭＭＴ  ｆｏｒ  ａ  ｍａｉｎ−ｐａｔｈ  ｏｆ  Ｍｏｖｉｅｓ」、すなわち、画像メインパス対応のメインＭＭＴの再生アプリケーションであることを示す。
【０２２５】
このような設定を追加することで、再生装置は、クリップ情報ファイルの記録データに基づいて、情報記録媒体（メディア）に記録されたクリップＡＶストリームファイルに格納されたデータがＭＭＴフォーマットデータであることを確認し、ＭＭＴフォーマットデータに対応した再生処理を実行することができる。
【０２２６】
次に、図２７を参照して、図２５に示すクリップ情報［ＣｌｉｐＩｎｆｏ（）］に記録されるクリップストリームタイプ（Ｃｌｉｐ＿ｓｔｒｅａｍ＿ｔｙｐｅ）２１２について、
（１）従来のクリップ情報（ＣｌｉｐＩｎｆｏ）記録データ（ＭＰＥＧ−２ＴＳ対応クリップ情報ファイル）
（２）新たなクリップ情報（ＣｌｉｐＩｎｆｏ）記録データ（ＭＰＥＧ−２ＴＳ／ＭＭＴ対応クリップ情報ファイル）
これらの各データについて説明する。
【０２２７】
図２７（１）に示す「（１）従来のクリップ情報（ＣｌｉｐＩｎｆｏ）記録データ（ＭＰＥＧ−２ＴＳ対応クリップ情報ファイル）」は、再生対象データがＭＰＥＧ−２ＴＳフォーマットデータである場合にクリップ情報（ＣｌｉｐＩｎｆｏ）に記録されるクリップストリームタイプ（Ｃｌｉｐ＿ｓｔｒｅａｍ＿ｔｙｐｅ）の設定値と意味の対応データを示している。
【０２２８】
再生対象データがＭＰＥＧ−２ＴＳフォーマットデータである場合、以下の設定となる。
クリップストリームタイプ（Ｃｌｉｐ＿ｓｔｒｅａｍ＿ｔｙｐｅ）＝１の場合、このクリップ情報ファイルによる再生対象データであるクリップＡＶストリームファイルに格納されたデータのタイプが、「Ａ  Ｃｌｉｐ  ＡＶ  ｓｔｒｅａｍ  ｏｆ  ＢＤＡＶ  ＭＰＥＧ−２ＴＳ」、すなわち、ＢＤＡＶ  ＭＰＥＧ−２ＴＳフォーマットのクリップＡＶストリームであることを示す。
【０２２９】
また、クリップストリームタイプ（Ｃｌｉｐ＿ｓｔｒｅａｍ＿ｔｙｐｅ）＝２の場合、このクリップ情報ファイルによる再生データのタイプが、「Ａ  Ｂｒｉｄｇｅ−Ｃｌｉｐ  ＡＶ  ｓｔｒｅａｍ  ｏｆ  ＢＤＡＶ  ＭＰＥＧ−２ＴＳ」、すなわち、ＢＤＡＶ  ＭＰＥＧ−２ＴＳフォーマットのブリッジタイプのクリップＡＶストリームであることを示す。
なお、ブリッジタイプのクリップＡＶストリームとは、ストリーム間に黒画を挿入したタイプのストリームである。
【０２３０】
このように、従来は、再生対象データがＭＰＥＧ−２ＴＳフォーマットデータのみであり、図２７（１）に示す設定が利用されていた。
【０２３１】
図２７（２）に示す「（２）新たなクリップ情報（ＣｌｉｐＩｎｆｏ）記録データ（ＭＰＥＧ−２ＴＳ／ＭＭＴ対応クリップ情報ファイル）」は、再生対象データがＭＰＥＧ−２ＴＳフォーマットデータ、またはＭＭＴフォーマットデータである場合の２つの異なるフォーマットデータが想定される場合のクリップ情報（ＣｌｉｐＩｎｆｏ）に記録されるクリップストリームタイプ（Ｃｌｉｐ＿ｓｔｒｅａｍ＿ｔｙｐｅ）の設定値と意味の対応データを示している。
【０２３２】
この設定では、図２７（１）において説明したクリップストリームタイプ（Ｃｌｉｐ＿ｓｔｒｅａｍ＿ｔｙｐｅ）＝１，２に加え、以下の設定を追加している。
クリップストリームタイプ（Ｃｌｉｐ＿ｓｔｒｅａｍ＿ｔｙｐｅ）＝３
【０２３３】
クリップストリームタイプ（Ｃｌｉｐ＿ｓｔｒｅａｍ＿ｔｙｐｅ）＝３の場合、このクリップ情報ファイルによる再生対象データであるクリップＡＶストリームファイルに格納されたデータのタイプが、「Ａ  Ｃｌｉｐ  ＡＶ  ｓｔｒｅａｍ  ｏｆ  ＢＤＡＶ  ＭＭＴ」、すなわち、ＢＤＡＶ  ＭＭＴフォーマットのクリップＡＶストリームであることを示す。
【０２３４】
このような設定を追加することで、再生装置は、クリップ情報ファイルの記録データに基づいて、情報記録媒体（メディア）に記録されたクリップＡＶストリームファイルに格納されたデータがＭＭＴフォーマットデータであることを確認し、ＭＭＴフォーマットデータに対応した再生処理を実行することができる。
【０２３５】
ここまで、図２５に示すクリップ情報［ＣｌｉｐＩｎｆｏ（）］２０１に記録すべきデータの変更例として、
（ａ）アプリケーションタイプ（Ａｐｐｌｉｃａｔｉｏｎ  ｔｙｐｅ）２１１
（ｂ）クリップストリームタイプ（Ｃｌｉｐ＿ｓｔｒｅａｍ＿ｔｙｐｅ）２１２
これら２つのデータについて説明した。
【０２３６】
次に、図２５に示すクリップ情報［ＣｌｉｐＩｎｆｏ（）］２０１に記録すべき以下のデータについて、ＭＭＴフォーマットデータ対応のデータ記録例について説明する。
（ｃ）トランスコードモードフラグ（ｔｒａｎｓｃｏｄｅ＿ｍｏｄｅ＿ｆｌａｇ）２１３
（ｄ）ＴＳ平均レート（ＴＳ＿ａｖｅｒａｇｅ＿ｒａｔｅ）２１４、
（ｅ）ＴＳ記録レート（ＴＳ＿ｒｅｃｏｒｄｉｎｇ＿ｒａｔｅ）２１５、
（ｆ）ソースパケット数（ｎｕｍ＿ｏｆ＿ｓｏｕｒｃｅ＿ｐａｃｋｅｔｓ）２１６
【０２３７】
トランスコードモードフラグ（ｔｒａｎｓｃｏｄｅ＿ｍｏｄｅ＿ｆｌａｇ）２１３は、前述したように、このクリップ情報ファイルによる再生対象データであるクリップＡＶストリームファイル格納データが、放送等の受信データをそのまま記録したものであるか、あるいは所定の圧縮処理等の変換処理を施して記録されたものであるかを示すフラグである。
具体的には、
フラグ値＝０：記録時の変換なし（ｔｒａｎｓｐａｒｅｎｔ）
フラグ値＝１：記録時の変換あり（ｔｒａｎｓｃｏｄｅｄ）
このような設定のフラグが記録される。
この設定は、ＭＭＴフォーマットデータに対しても、同様の設定で利用できる。
【０２３８】
ＴＳ平均レート（ＴＳ＿ａｖｅｒａｇｅ＿ｒａｔｅ）２１４、
ＴＳ記録レート（ＴＳ＿ｒｅｃｏｒｄｉｎｇ＿ｒａｔｅ）２１５、
これらは、前述したように、このクリップ情報ファイルによる再生対象データであるクリップＡＶストリームファイルのトランスポートストリームの平均ビットレートと、記録レートをｂｙｔｅｓ／ｓｅｃｏｎｄの単位で表したものである。
【０２３９】
このビットレート情報は、ＴＳパケットを基準として算出することを前提としており、再生対象データがＭＭＴパケットを持つＭＭＴフォーマットである場合、ＭＭＴフォーマットに応じたビットレートを記録する必要がある。あるいは、再生対象データがＭＭＴフォーマットである場合、このフィールドには無効値を記録し、ビットレート情報を利用しない設定としてもよい。
【０２４０】
なお、ＭＭＴフォーマットに応じたビットレートを記録する場合には、以下のいずれかの方法でＭＭＴフォーマットに応じたビットレートを取得して記録する。
（例１）ＳＴＣシーケンス間でファイルサイズを時間で割り算してビットレートを算出して記録する。
（例２）データの記録時の圧縮処理において取得される記録データ情報に基づいてビットレートを算出して記録する。
（例３）送信装置からの受信情報、例えば制御情報であるシグナリング情報（ＳＩ）に含まれるコンテンツコピー制御記述子に含まれるビットレート情報を取得して記録する。
【０２４１】
なお、（例１）におけるＳＴＣシーケンスとは、一つのＳＴＣ（システムタイムクロック）による連続再生されるソースパケットのシーケンスである。ＳＴＣシーケンス間でファイルサイズを時間で割り算してビットレートを算出して記録することができる。
【０２４２】
一つのＳＴＣ（システムタイムクロック）は、一つのＰＣＲ（プログラムクロックリフェランス）を基準として規定されるクロックであり、一つのＳＴＣシーケンスに属するソースパケットは、１つのＳＴＣ（例えば４５ＫＨｚ）によって再生制御される。
なお、ＳＴＣについては、図２８以下を参照して説明するシーケンス情報［ＳｅｑｕｅｎｃｅＩｎｆｏ（）］の説明の中で詳細に説明する。
【０２４３】
（例３）における制御情報であるシグナリング情報（ＳＩ）とは、例えば、先に図２を参照して説明したＭＭＴフォーマットデータにおけるＴＬＶフォーマットに従ったシグナリング情報（ＴＬＶ−ＳＩ）や、ＭＭＴＰパケットに格納されるシグナリング情報（ＭＭＴ−ＳＩ）である。
これらのシグナリング情報内のコンテンツコピー制御記述子からビットレート情報を取得して記録することができる。
【０２４４】
さらに、ソースパケット数（ｎｕｍ＿ｏｆ＿ｓｏｕｒｃｅ＿ｐａｃｋｅｔｓ）２１６は、このクリップ情報ファイルによる再生対象データであるクリップＡＶストリームファイルのファイルサイズ情報である。
前述したように、再生対象データがＭＰＥＧ−２ＴＳフォーマットデータの場合、ソースパケット数が記録される。
【０２４５】
先に図６を参照して説明したように、ＴＳパケットは、前述のＭＭＴＰパケットと異なり、固定長であり、１つのＴＳパケットのパケットサイズは、１８８バイトに固定されている。
従って、パケット数に基づいてデータサイズが把握可能であるという特徴がある。
【０２４６】
しかし、再生対象データがＭＭＴフォーマットデータである場合は、先に図７を参照して説明したように、ＭＭＴフォーマットデータの構成パケットとなるＭＭＴＰパケットは可変長であり、様々なパケットサイズに設定可能である。
従って、ソースパケット数（ｎｕｍ＿ｏｆ＿ｓｏｕｒｃｅ＿ｐａｃｋｅｔｓ）２１６のフィールドにパケット数を記録してもデータサイズが把握できない。
【０２４７】
再生対象データがＭＭＴフォーマットの場合、このフィールドには、ＭＭＴフォーマットに従ったＭＭＴＰパケットのファイルサイズ、すなわち、図７（ｃ）や図３（ｃ）に示すＭＭＴＰパケットのファイルサイズを取得して記録する。
あるいは、再生対象データがＭＭＴフォーマットの場合、このフィールドには無効値を記録して非利用フィールドとしてもよい。
【０２４８】
次に、図２８を参照して、先に図２４を参照して説明したクリップ情報ファイルに記録されるシーケンス情報［ＳｅｑｕｅｎｃｅＩｎｆｏ（）］２０２のデータ構成（シンタクス）について説明する。
前述したように、シーケンス情報［ＳｅｑｕｅｎｃｅＩｎｆｏ（）］２０２には、クリップ情報ファイルに対応するＡＶストリームファイルに格納された再生対象データの再生シーケンスに関する情報を記録する。
【０２４９】
図２８に示すように、シーケンス情報［ＳｅｑｕｅｎｃｅＩｎｆｏ（）］２０２には、以下のデータが記録される。
（ａ）ＡＴＣスタート位置ＳＰＮ（ＳＰＮ＿ＡＴＣ＿ｓｔａｒｔ）２２１
（ｂ）ＳＴＣシーケンス数（ｎｕｍ＿ｏｆ＿ＳＴＣ＿ｓｅｑｕｅｎｃｅ）２２２
（ｃ）プログラムクロックリフェランス・パケットＩＤ（ＰＣＲ＿ＰＩＤ）２２３
（ｄ）ＳＴＣスタート位置ＳＰＮ（ＳＰＮ＿ＳＴＣ＿ｓｔａｒｔ）２２４、
（ｅ）表示開始時間（ｐｒｅｓｅｎｔａｔｉｏｎ＿ｓｔａｒｔ＿ｔｉｍｅ）２２５、
（ｆ）表示終了時間（ｐｒｅｓｅｎｔａｔｉｏｎ＿ｅｎｄ＿ｔｉｍｅ）２２６
【０２５０】
これらのデータの説明の前に、図２９を参照して、再生対象データを格納したクリップＡＶストリームファイルのパケット構成と再生処理例について説明する。
図２９には、（ａ）クリップＡＶストリームファイルに格納されたパケット列を示している。ＭＰＥＧ−２ＴＳフォーマットデータの場合、１つの矩形が１つのＴＳパケットに相当する。
図２９の例ではパケットナンバー０〜ｎｎまでが１つのクリップＡＶストリームファイルの構成データである。
【０２５１】
この一つのクリップＡＶストリームファイルのパケットは、一つのＡＴＣ（アライバルタイムクロック）に従って並べられたパケット列である。
この一つのＡＴＣに従って並べられたパケット列をＡＴＣシーケンスと呼ぶ。
【０２５２】
図２９に示す一つのクリップ情報ファイルのパケット０〜ｎｎには、１つ以上のＳＴＣシーケンスが含まれる。図２９に示す例では、３つのＳＴＣシーケンスを含んでいる。ＳＴＣシーケンス＃０〜＃２である。
一つのＳＴＣ（システムタイムクロック）は、一つのＰＣＲ（プログラムクロックリフェランス）を基準として規定されるクロックであり、一つのＳＴＣシーケンスに属するソースパケットは、１つのＳＴＣ（例えば４５ＫＨｚ）によって再生制御される。
【０２５３】
図２９に示すＳＴＣシーケンス＃０は、ＰＣＲ格納パケットａに格納されたＰＣＲ（プログラムクロックリフェランス）を基準として規定されるクロックであるＳＴＣ（システムタイムクロック）に従って連続再生可能なパケット列である。
ＳＴＣシーケンス＃１は、ＰＣＲ格納パケットｂに格納されたＰＣＲ、
また、ＳＴＣシーケンス＃２は、ＰＣＲ格納パケットｃに格納されたＰＣＲを、各々基準として規定されるＳＴＣに従って連続再生可能なパケット列である。
【０２５４】
なお、図２９に示す例は、１つのＡＴＣシーケンス中に３つのＳＴＣシーケンスを含む例として説明したが、１つのＡＴＣシーケンス中に含まれるＳＴＣシーケンスの数は様々な設定が可能である。
【０２５５】
図２８に戻り、クリップ情報ファイルに記録されるシーケンス情報［ＳｅｑｕｅｎｃｅＩｎｆｏ（）］２０２の記録データについて説明する。
（ａ）ＡＴＣスタート位置ＳＰＮ（ＳＰＮ＿ＡＴＣ＿ｓｔａｒｔ）２２１は、このクリップ情報ファイルによる再生対象となるクリップＡＶストリームファイルのＡＴＣスタート位置のＳＰＮ（ソースパケットナンバー）を記録する領域である。
図２９を参照して説明した例では、
ＡＴＣスタート位置ＳＰＮ（ＳＰＮ＿ＡＴＣ＿ｓｔａｒｔ）＝０となる。
【０２５６】
（ｂ）ＳＴＣシーケンス数（ｎｕｍ＿ｏｆ＿ＳＴＣ＿ｓｅｑｕｅｎｃｅ）２２２には、このクリップ情報ファイルによる再生対象となるクリップＡＶストリームファイルに含まれるＳＴＣシーケンス数を記録する。
図２９を参照して説明した例では、
ＳＴＣシーケンス数（ｎｕｍ＿ｏｆ＿ＳＴＣ＿ｓｅｑｕｅｎｃｅ）＝３となる。
【０２５７】
（ｃ）プログラムクロックリフェランス・パケットＩＤ（ＰＣＲ＿ＰＩＤ）２２３には、このクリップ情報ファイルによる再生対象となるクリップＡＶストリームファイルに含まれる各ＳＴＣシーケンス対応のＰＣＲ（プログラムクロックリフェランス）を格納したパケットのパケット識別子を記録する。
【０２５８】
（ｄ）ＳＴＣスタート位置ＳＰＮ（ＳＰＮ＿ＳＴＣ＿ｓｔａｒｔ）２２４には、このクリップ情報ファイルによる再生対象となるクリップＡＶストリームファイルに含まれる、各ＳＴＣシーケンスのスタート位置のＳＰＮ（ソースパケットナンバー）を記録する。
【０２５９】
（ｅ）表示開始時間（ｐｒｅｓｅｎｔａｔｉｏｎ＿ｓｔａｒｔ＿ｔｉｍｅ）２２５、
（ｆ）表示終了時間（ｐｒｅｓｅｎｔａｔｉｏｎ＿ｅｎｄ＿ｔｉｍｅ）２２６
これらには、このクリップ情報ファイルによる再生対象となるクリップＡＶストリームファイルに含まれる各ＳＴＣシーケンスの表示開始時間と、終了時間を記録する。なお、この時間情報としては、ＳＴＣ時間情報（ｓｔｃ＿ｉｄ）、ＡＴＣ時間情報（ａｔｃ＿ｉｄ）の両者を記録する。
【０２６０】
上述した説明は、このクリップ情報ファイルによる再生対象データがＭＰＥＧ−２ＴＳフォーマットデータの場合の記録データの例である。
次に、このクリップ情報ファイルによる再生対象データがＭＭＴフォーマットデータの場合の各記録データについて説明する。
【０２６１】
（ａ）ＡＴＣスタート位置ＳＰＮ（ＳＰＮ＿ＡＴＣ＿ｓｔａｒｔ）２２１は、前述したように、クリップ情報ファイルによる再生対象となるクリップＡＶストリームファイルのＡＴＣスタート位置のＳＰＮ（ソースパケットナンバー）を記録する領域である。
【０２６２】
先に図６を参照して説明したように、ＴＳパケットは、前述のＭＭＴＰパケットと異なり、固定長であり、１つのＴＳパケットのパケットサイズは、１８８バイトに固定されている。
従って、パケット数に基づいてデータサイズが把握可能であるという特徴がある。
【０２６３】
しかし、再生対象データがＭＭＴフォーマットデータである場合は、先に図７を参照して説明したように、ＭＭＴフォーマットデータの構成パケットとなるＭＭＴＰパケットは可変長であり、様々なパケットサイズに設定可能である。
従って、ＡＴＣスタート位置ＳＰＮ（ＳＰＮ＿ＡＴＣ＿ｓｔａｒｔ）２２１のフィールドにパケットナンバーを記録してもデータサイズが把握できない。
【０２６４】
この理由から、再生対象データがＭＭＴフォーマットデータの場合、ＭＭＴフォーマットデータ対応クリップ情報ファイルの、
ＡＴＣスタート位置ＳＰＮ（ＳＰＮ＿ＡＴＣ＿ｓｔａｒｔ）２２１には、
クリップＡＶストリームファイルの先頭（＝ファイルに格納された最初のＭＭＴＰパケットの先頭）からのバイト数を記録する。例えば６４ビットでバイト数を記録する。
【０２６５】
（ｂ）ＳＴＣシーケンス数（ｎｕｍ＿ｏｆ＿ＳＴＣ＿ｓｅｑｕｅｎｃｅ）２２２は、このクリップ情報ファイルによる再生対象となるクリップＡＶストリームファイルに含まれるＳＴＣシーケンス数を記録する領域である。
再生対象データがＭＭＴフォーマットデータの場合、
ＳＴＣシーケンス数（ｎｕｍ＿ｏｆ＿ＳＴＣ＿ｓｅｑｕｅｎｃｅ）＝１とする。
すなわち、１つのＡＴＣシーケンスに１つのＳＴＣシーケンスのみが含まれる設定とする。
【０２６６】
（ｃ）プログラムクロックリフェランス・パケットＩＤ（ＰＣＲ＿ＰＩＤ）２２３は、このクリップ情報ファイルによる再生対象となるクリップＡＶストリームファイルに含まれる各ＳＴＣシーケンス対応のＰＣＲ（プログラムクロックリフェランス）を格納したパケットのパケット識別子を記録する領域である。
再生対象データがＭＭＴフォーマットデータの場合、パケット識別子からのデータ位置特定ができないので、このフィールドには無効値を記録し、利用しない設定とする。
【０２６７】
（ｄ）ＳＴＣスタート位置ＳＰＮ（ＳＰＮ＿ＳＴＣ＿ｓｔａｒｔ）２２４は、このクリップ情報ファイルによる再生対象となるクリップＡＶストリームファイルに含まれる、各ＳＴＣシーケンスのスタート位置のＳＰＮ（ソースパケットナンバー）を記録する領域である。
再生対象データがＭＭＴフォーマットデータの場合、先に説明した（ａ）ＡＴＣスタート位置ＳＰＮ（ＳＰＮ＿ＡＴＣ＿ｓｔａｒｔ）２２１と同様、クリップＡＶストリームファイルの先頭（＝ファイルに格納された最初のＭＭＴＰパケットの先頭）からのバイト数を記録する。例えば６４ビットでバイト数を記録する。
【０２６８】
（ｅ）表示開始時間（ｐｒｅｓｅｎｔａｔｉｏｎ＿ｓｔａｒｔ＿ｔｉｍｅ）２２５、
（ｆ）表示終了時間（ｐｒｅｓｅｎｔａｔｉｏｎ＿ｅｎｄ＿ｔｉｍｅ）２２６
これらは、このクリップ情報ファイルによる再生対象となるクリップＡＶストリームファイルに含まれる各ＳＴＣシーケンスの表示開始時間と、終了時間を記録する領域である。
再生対象データがＭＭＴフォーマットデータの場合、これらの時間情報としてＮＴＰ（ネットワークタイムプロトコル）に従った時間情報を記録する。
【０２６９】
ＮＴＰ（ネットワークタイムプロトコル）に従った時間情報は、例えば、先に図１９他を参照して説明したＭＰＴ、すなわち、ＭＭＴフォーマットにおいて規定されたＭＭＴパッケージテーブル（ＭＰＴ：ＭＭＴ  Ｐａｃｋａｇｅ  Ｔａｂｌｅ）から取得される。
【０２７０】
次に、図３０を参照して、先に図２４を参照して説明したクリップ情報ファイルに記録されるプログラム情報［ＰｒｏｇｒａｍＩｎｆｏ（）］２０３のデータ構成（シンタクス）について説明する。
前述したように、プログラム情報［ＰｒｏｇｒａｍＩｎｆｏ（）］２０３には、クリップ情報ファイルによって再生されるクリップＡＶストリームの再生区間や時間区間の定義情報等を含むプログラム(ｐｒｏｇｒａｍ)に関する情報を記録する。
【０２７１】
図３０に示すプログラム情報［ＰｒｏｇｒａｍＩｎｆｏ（）］に記録される主なデータについて説明する。
（ａ）プログラムシーケンス数［ｎｕｍ＿ｏｆ＿ｐｒｏｇｒａｍ＿ｓｅｑｕｅｎｃｅｓ］２３１には、クリップ情報ファイルに含まれるプログラムシーケンス（ｐｒｏｇｒａｍ＿ｓｅｑｕｅｎｃｅ）の数が記録される。
（ｂ）ＳＰＮプログラムシーケンス開始アドレス［ＳＰＮ＿ｐｒｏｇｒａｍ＿ｓｅｑｕｅｎｃｅ＿ｓｔａｒｔ［ｉ］］２３２には、ＡＶストリームファイル上でプログラムシーケンスが開始する場所の相対アドレスが記録される。
（ｃ）プログラムマップＰＩＤ［ｐｒｏｇｒａｍ＿ｍａｐ＿ＰＩＤ［ｉ］］２３３には、プログラムシーケンス（ｐｒｏｇｒａｍ＿ｓｅｑｕｅｎｃｅ）のマップの格納位置情報が記録される。
なお、プログラムシーケンスとは、クリップＡＶストリームファイルに含まれるＡＶストリーム中の符号化情報が連続な区間である。
例えば、一つの画像符号化態様で符号化された画像データ区間や、一つの音声符号化態様で符号化された音声データ区間等が、各々個別のプログラムシーケンスとして規定される。
【０２７２】
これら、図３０に示すプログラム情報［ＰｒｏｇｒａｍＩｎｆｏ（）］の記録データ、すなわち、
（ａ）プログラムシーケンス数［ｎｕｍ＿ｏｆ＿ｐｒｏｇｒａｍ＿ｓｅｑｕｅｎｃｅｓ］２３１、
（ｂ）ＳＰＮプログラムシーケンス開始アドレス［ＳＰＮ＿ｐｒｏｇｒａｍ＿ｓｅｑｕｅｎｃｅ＿ｓｔａｒｔ［ｉ］］２３２、
（ｃ）プログラムマップＰＩＤ［ｐｒｏｇｒａｍ＿ｍａｐ＿ＰＩＤ［ｉ］］２３３、
これらのデータ記録態様は、このクリップ情報ファイルによる再生対象データが、ＭＰＥＧ−２ＴＳフォーマットである場合については規定されているが、再生対象データがＭＭＴフォーマットデータである場合の規定は無く、新たに規定することが必要となる。
【０２７３】
（ａ）プログラムシーケンス数［ｎｕｍ＿ｏｆ＿ｐｒｏｇｒａｍ＿ｓｅｑｕｅｎｃｅｓ］２３１は、
再生対象データがＭＰＥＧ−２ＴＳフォーマット、ＭＭＴフォーマット、いずれの場合もプログラムシーケンス数を記録すればよい。
【０２７４】
（ｂ）ＳＰＮプログラムシーケンス開始アドレス［ＳＰＮ＿ｐｒｏｇｒａｍ＿ｓｅｑｕｅｎｃｅ＿ｓｔａｒｔ［ｉ］］２３２については、再生対象データがＭＰＥＧ−２ＴＳフォーマットである場合は、ＳＰＮプログラムシーケンスの開始位置のＳＰＮ（ソースパケットナンバー）を記録する。
一方、再生対象データがＭＭＴフォーマットデータである場合は、クリップＡＶストリームファイルの先頭（＝ファイルに格納された最初のＭＭＴＰパケットの先頭）からのバイト数を記録する。例えば６４ビットでバイト数を記録する。
【０２７５】
（ｃ）プログラムマップＰＩＤ［ｐｒｏｇｒａｍ＿ｍａｐ＿ＰＩＤ［ｉ］］２３３については、再生対象データがＭＰＥＧ−２ＴＳフォーマットである場合は、プログラムシーケンス（ｐｒｏｇｒａｍ＿ｓｅｑｕｅｎｃｅ）のマップが格納されているパケットの識別子（ＰＩＤ）を記録する。
一方、再生対象データがＭＭＴフォーマットデータである場合は、無効値を記録し、利用しない設定とする。
【０２７６】
次に、図３１以下を参照して、先に図２４を参照して説明したクリップ情報ファイルに記録されるＣＰＩ情報［ＣＰＩ（）］２０４のデータ構成（シンタクス）について説明する。
【０２７７】
ＣＰＩ情報［ＣＰＩ（）］２０４は、例えば、再生開始点のデータアドレスを取得するためのデータであり、先に図１３〜１５を参照して説明したＥＰ＿ｍａｐやＴＵ＿ｍａｐが記録される。
前述したように、ＣＰＩ（Ｃｈａｒａｃｔｅｒｉｓｔｉｃ  Ｐｏｉｎｔ  Ｉｎｆｏｒｍａｔｉｏｎ）は、クリップ情報ファイルの記録データであり、例えば、再生開始点のデータアドレスを取得するためのデータである。
【０２７８】
図３１に示すように、ＣＰＩタイプ＝１の場合は、ＥＰマップが記録され、ＣＰＩタイプ＝２の場合は、ＴＵマップが記録される。
なお、図３１に示す例は、再生対象データがＭＰＥＧ−２ＴＳフォーマットデータの場合の例である。先に図１６を参照して説明したように、再生対象データがＭＰＥＧ−２ＴＳフォーマットデータの場合は、ＣＰＩタイプ＝１，２の設定があり、ＥＰマップ、ＴＵマップいずれも利用可能な設定とされる。
【０２７９】
一方、再生対象データがＭＭＴフォーマットデータの場合は、先に図１６を参照して説明したように、ＣＰＩタイプ＝３の設定となり、ＥＰマップのみ利用可能な設定とする。
【０２８０】
ＥＰマップは、先に図１３〜図１５を参照して説明したように、クリップＡＶストリームファイルに格納された再生データ中におけるランダム再生開始可能な再生開始位置や再生終了位置に対応するアクセスポイント情報を記録したマップである。
すなわち、ＥＰマップには、再生開始位置を時間軸上で表現したタイムスタンプ（ＰＴＳ：プレゼンテーションタイムスタンプ）と、パケット位置情報に相当するパケット取得のためのアドレス情報（ＳＰＮ：ソースパケットナンバー）との対応データが記録されている。
【０２８１】
再生装置は、ＥＰマップを利用することで、ランダムアクセス可能なデータ位置に対応するタイムスタンプ（ＰＴＳ：プレゼンテーションタイムスタンプ）に基づいて、そのデータ位置に対応するデータを格納したパケットのパケットナンバー（ＳＰＮ）を取得し、取得したＳＰＮの設定パケットを取得して再生を行うことができる。
【０２８２】
ＥＰマップのデータ構成（シンタクス）について、図３２以下を参照して説明する。
図３２は、クリップ情報ファイルに格納されるＥＰマップのデータ構成（シンタクス）を示す図である。
先に図１４（Ａ）を参照して説明したように、クリップＡＶストリーム（Ｃｌｉｐ  ＡＶ  ｓｔｒｅａｍ）は、パケット識別子：ＰＩＤで識別されるソースパケットからなるビデオストリームが多重化されている。ビデオストリームは、ソースパケット毎に、ソースパケット内のトランスポートパケットのヘッダに含まれるＰＩＤにより区別される。
【０２８３】
ＥＰマップは、各ＰＩＤで識別される一つのストリームＰＩＤ（ｏｎｅ＿ｓｔｒｅａｍ＿ＰＩＤ）単位で設定される。
すなわち、図３２のＥＰマップ記録領域２４２に、一つのストリームＰＩＤ（ｏｎｅ＿ｓｔｒｅａｍ＿ＰＩＤ）単位のＥＰマップ（ＥＰ＿ｍａｐ＿ｆｏｒ＿ｏｎｅ＿ｓｔｒｅａｍ＿ＰＩＤ）が記録される。
このＥＰマップ記録領域２４２の具体的なデータ例を図３３に示す。
【０２８４】
図３３に示すように、ＥＰマップは、以下のデータ記録領域を持つ。
（１）詳細ＥＰマップ参照データ（ｒｅｆ＿ｔｏ＿ＥＰ＿ｆｉｎｅ）２５１、
（２）粗いＥＰマップのＰＴＳ（プレゼンテーションタイムスタンプ）（ＰＴＳ＿ＥＰ＿ｃｏａｒｓｅ）２５２、
（３）粗いＥＰマップのＳＰＮ（サースパケットナンバー）（ＳＰＮ＿ＥＰ＿ｃｏａｒｓｅ）２５３、
（４）詳細ＥＰマップのＰＴＳ（プレゼンテーションタイムスタンプ）（ＰＴＳ＿ＥＰ＿ｆｉｎｅ）２５４、
（５）詳細ＥＰマップのＳＰＮ（ソースパケットナンバー）（ＳＰＮ＿ＥＰ＿ｆｉｎｅ）２５５、
【０２８５】
ＥＰマップは、データ量の削減と、ＰＴＳからＳＰＮの検索処理の効率化を実現するため、２つのテーブルによって構成されている。
この２つのテーブル構成について、図３４を参照して説明する。
【０２８６】
ＥＰマップは、図３４に示すように、以下の２つのテーブルから構成される。
（ａ）粗いＥＰマップ（ＥＰ＿ｃｏａｒｓｅ）
（ｂ）詳細ＥＰマップ（ＥＰ＿ｆｉｎｅ）
【０２８７】
（ａ）粗いＥＰマップ（ＥＰ＿ｃｏａｒｓｅ）は、ＰＴＳのビットデータと、ＳＰＮのビットデータの各ビットデータについて、上位ビットのみからなる対応データを格納している。
（ＰＴＳ＿ＥＰ＿ｃｏａｒｓｅ）２５２と、（ＳＰＮ＿ＥＰ＿ｃｏａｒｓｅ）２５３との対応データである。
【０２８８】
一方、（ｂ）詳細ＥＰマップ（ＥＰ＿ｆｉｎｅ）は、ＰＴＳのビットデータと、ＳＰＮのビットデータの下位ビットのみからなる対応データを格納している。
（ＰＴＳ＿ＥＰ＿ｆｉｎｅ）２５４と、（ＳＰＮ＿ＥＰ＿ｆｉｎｅ）２５５との対応データである。
【０２８９】
さらに、粗いＥＰマップ（ＥＰ＿ｃｏａｒｓｅ）には、ＰＴＳ−ＳＰＮ対応データ各々に対応付けて、詳細ＥＰマップ参照データ（ｒｅｆ＿ｔｏ＿ＥＰ＿ｆｉｎｅ）２５１を格納している。
【０２９０】
ＰＴＳに基づいて、ＳＰＮを取得しようとする再生装置は、まず、ＰＴＳの上位ビットに基づいて、粗いＥＰマップ（ＥＰ＿ｃｏａｒｓｅ）を参照して、該当エントリを取得し、さらに、取得したエントリに設定された詳細ＥＰマップ参照データ（ｒｅｆ＿ｔｏ＿ＥＰ＿ｆｉｎｅ）２５１を取得して、その参照位置に対応する詳細ＥＰマップ（ＥＰ＿ｆｉｎｅ）のデータ位置にアクセスして、ＰＴＳの下位ビットに基づいて詳細なＳＰＮを取得する。
【０２９１】
図３３に示すＥＰマップデータには、図３４を参照して説明した２つのテーブルを利用した処理を実行するための以下の各データが記録される。
（１）詳細ＥＰマップ参照データ（ｒｅｆ＿ｔｏ＿ＥＰ＿ｆｉｎｅ）２５１、
（２）粗いＥＰマップのＰＴＳ（プレゼンテーションタイムスタンプ）（ＰＴＳ＿ＥＰ＿ｃｏａｒｓｅ）２５２、
（３）粗いＥＰマップのＳＰＮ（サースパケットナンバー）（ＳＰＮ＿ＥＰ＿ｃｏａｒｓｅ）２５３、
（４）詳細ＥＰマップのＰＴＳ（プレゼンテーションタイムスタンプ）（ＰＴＳ＿ＥＰ＿ｆｉｎｅ）２５４、
（５）詳細ＥＰマップのＳＰＮ（ソースパケットナンバー）（ＳＰＮ＿ＥＰ＿ｆｉｎｅ）２５５、
【０２９２】
しかし、このＥＰデータは、再生対象データがＭＰＥＧ−２ＴＳフォーマットデータである場合に適用可能なデータであり、再生対象データがＭＭＴフォーマットデータである場合は、このまま利用することができない。
従って、ＭＭＴフォーマットデータ対応のクリップ情報ファイルには、ＭＭＴフォーマットデータ対応のＥＰマップを記録する必要がある。
【０２９３】
［７．ＭＭＴフォーマットデータに対応したＥＰマップの構成例について］
次に、ＭＭＴフォーマットデータに対応したＥＰマップの構成例について説明する。
先に、図９、図１０を参照して説明したように画像、音声、字幕等のＭＭＴフォーマットデータを格納したクリップＡＶストリームファイルは、ＭＭＴＰパケットのパケット列（図９）、またはＴＬＶパケットのパケット列（図１０）として記録する予定となっている。
【０２９４】
ＭＭＴＰパケットには、画像、音声、さらに、先に図１９を参照して説明したＭＭＴパッケージテーブル（ＭＰＴ：ＭＭＴ  Ｐａｃｋａｇｅ  Ｔａｂｌｅ）等の制御情報（ＳＩ）等も格納されており、これらのデータを含むパケット列が、クリップＡＶストリームファイルとしてＢＤ等のメディアに記録される。
例えば、図１１を参照して説明したＭＭＴフォーマットデータ格納クリップＡＶストリームファイル７１が、ＭＭＴＰパケット、またはＴＬＶパケットのパケット列によって構成されることになる。
【０２９５】
画像等の再生対象データを格納したパケット（ＭＭＴＰパケットまたはＴＬＶパケット）には、ランダムアクセス可能な再生データを格納したパケットも含まれる。
ランダムアクセス再生を行うためには、クリップ情報ファイルに記録されたＥＰマップを利用した処理が行われることになる。
【０２９６】
従来のＭＰＥＧ−２ＴＳフォーマットデータ対応のＥＰマップには、先に図１２以下を参照して説明したように、クリップＡＶストリームファイルに格納された再生データ中におけるランダム再生開始可能な再生開始位置や再生終了位置に対応するアクセスポイント情報が記録されている。
すなわち、従来型のＴＳパケット対応のＥＰマップには、再生開始位置を時間軸上で表現したタイムスタンプ（ＰＴＳ：プレゼンテーションタイムスタンプ）と、パケット位置情報に相当するパケット取得のためのアドレス情報（ＳＰＮ：ソースパケットナンバー）との対応データが記録されている。
【０２９７】
再生装置は、ＥＰマップを利用することで、ランダムアクセス可能なデータ位置に対応するタイムスタンプ（ＰＴＳ：プレゼンテーションタイムスタンプ）に基づいて、そのデータ位置に対応するデータを格納したパケットのパケットナンバー（ＳＰＮ）を取得し、取得したＳＰＮの設定パケットを取得して再生を行うことができる。
【０２９８】
しかし、このＥＰマップの記録データは、再生対象データがＭＰＥＧ−２ＴＳフォーマットデータである場合に適用可能なデータであり、再生対象データがＭＭＴフォーマットデータである場合は、このまま利用することができない。
この問題点について、図３５を参照して説明する。
【０２９９】
図３５は、記録メディア（ＢＤ）に記録されたＭＭＴフォーマットデータから構成されるクリップＡＶストリームファイルのパケット列の一例を示す図である。
図３５の中段に示すのがクリップＡＶストリームファイルのパケット列であり、個々の四角形がクリップＡＶストリームファイルを構成する個々のパケット（ＭＭＴＰパケットまたはＴＬＶパケット）である。
これらのパケットには、画像、音声、字幕、あるいは制御情報（ＳＩ）等が個別に格納されている。
【０３００】
パケット列のほぼ中央に示すパケット３０２が、ランダムアクセス再生可能な画像データを格納した再生データ格納パケット＃１，３０２であるとする。
なお、クリップＡＶストリームファイルを構成する個々のパケットが、ランダムアクセス再生可能な再生データを格納したパケットであるか否かは、パケットを構成するＭＭＴＰパケットのパケットヘッダに設定されたＲＡＰ（ランダムアクセスポイント）フラグの設定に基づいて判別可能である。
【０３０１】
図３６、図３７を参照してＲＡＰフラグについて説明する。
図３６は、例えば放送局等の送信装置２０から情報処理装置３０に送信されるＭＭＴフォーマットデータを構成するＭＭＴＰパケットのデータ構成（シンタクス）を示す図である。
【０３０２】
先に図３を参照して説明したように、ＭＭＴＰパケットは、ＭＭＴＰヘッダと、ＭＭＴＰペイロードによって構成される。１つのＭＭＴＰパケットのＭＭＴＰペイロードには、１つの種類のデータが格納される。具体的には、例えば、画像（Ｖ）、音声（Ａ）、字幕（Ｓ）、ＭＭＴＰパケットに格納するシグナリング情報（ＭＭＴ−ＳＩ）、これらいずれか一種類のデータが、個別のＭＭＴＰパケットに格納される。
【０３０３】
図３６は、一つのＭＭＴＰパケットのデータ構成を示しており、ヘッダ部３１１とペイロード部３１２によって構成される。
ヘッダ部３１１には、ペイロード部３１２に格納されたデータの種類等の情報が記録される。ヘッダ部３１１の記録データの一つとして、ランダムアクセスポイント情報フラグ（ＲＡＰ＿ｆｌａｇ）３１３が記録される。
【０３０４】
ランダムアクセスポイント情報フラグ（ＲＡＰ＿ｆｌａｇ）３１３は、
ＭＭＴＰパケットがランダムアクセスポイントとなるデータを格納したパケットであるか否かを示すフラグであり、
ランダムアクセスポイントとなるデータ格納したパケットである場合は１、
ランダムアクセスポイントとなるデータ格納したパケットでない場合は０、
この設定のフラグが記録される。
【０３０５】
例えば、メディアに記録されたデータの再生を実行する再生装置は、クリップＡＶストリームファイルを構成するパケット列のＭＭＴＰパケットヘッダに記録されたランダムアクセスポイント情報フラグ（ＲＡＰ＿ｆｌａｇ）を確認して、ランダムアクセスポイントとなり得る再生データを格納しパケットを検出することができる。
【０３０６】
図３７にランダムアクセスポイント情報フラグ（ＲＡＰ＿ｆｌａｇ）の具体的設定例を示す。
メディアからのデータ再生を実行する再生装置は、クリップＡＶストリームファイル内の各ＭＭＴＰパケットのヘッダ情報に格納されたＲＡＰ＿ｆｌａｇの設定値を確認し、ＲＡＰ＿ｆｌａｇ＝１の設定パケットを検出する。
図３７に示す例ではＭＭＴＰパケット３１５，３１６がＲＡＰ＿ｆｌａｇ＝１の設定パケットである。
【０３０７】
再生装置は、このＲＡＰ＿ｆｌａｇ＝１の設定パケットを抽出してランダムアクセス再生処理を開始することができる。
しかし、ここで、問題となるのが、このＲＡＰ＿ｆｌａｇ＝１の設定パケットの中に格納されているデータがＭＭＴフォーマットデータであり、ＭＭＴフォーマットデータの再生開始時間等の情報がこのパケットには記録されていないという問題である。
【０３０８】
図３５に戻り、この問題点について説明する。
再生装置は、図３５に示すパケット３０２が、ランダムアクセス再生可能な再生データを格納したパケットであることをＲＡＰフラグに基づいて確認することができる。
しかし、このパケット３０２に格納された再生対象データ、例えば画像データの再生に必要となる再生時間情報等のタイムスタンプは、このパケット３０２ではなく、制御情報（ＭＰＴ）格納パケット＃１，３０１に格納されている。
【０３０９】
制御情報（ＭＰＴ）格納パケット＃１，３０１は、先に図１９を参照して説明したＭＭＴパッケージテーブル（ＭＰＴ：ＭＭＴ  Ｐａｃｋａｇｅ  Ｔａｂｌｅ）を格納したパケットである。
ＭＭＴパッケージテーブル（ＭＰＴ）は、例えば画像、音声、字幕等、のデータ種類（アセットタイプ）毎に、データの属性情報（アセット記述子）を詳細に記録したテーブルである。
【０３１０】
ＭＭＴパッケージテーブル（ＭＰＴ）には、先に図２１を参照して説明したように、アセット記述子（ａｓｓｅｔ＿ｄｅｓｃｒｉｐｔｏｒｓ＿ｂｙｔｅ）として、ＭＰＵ単位の再生時間（提示時間）情報（タイムスタンプ）が記録される。
【０３１１】
なお、ＭＰＵは、先に図３を参照して説明したように、図３（ａ）に示すＭＰＵ（Ｍｅｄｉａ  Ｐｒｅｓｅｎｔａｔｉｏｎ  Ｕｎｉｔ）であり、ＭＭＴフォーマットにおける１つのデータ処理単位である。図３（ａ）に示す例は、画像データのＭＰＵの例であり、いわゆる符号化、復号処理単位としてのＧＯＰ（Ｇｒｏｕｐ  ｏｆ  Ｐｉｃｔｕｒｅｓ）と同じ単位である。
【０３１２】
ＭＭＴパッケージテーブル（ＭＰＴ）に記録されるＭＰＵタイムスタンプ記述子は、このＭＰＵ単位の再生時間情報に相当する。
先に図２１を参照して説明したように、ＭＰＵタイムスタンプ記述子には、以下の各データが記録される。
ＭＰＵシーケンス番号（ＭＰＵ＿ｓｅｑｕｅｎｃ＿ｎｕｍｂｅｒ）
ＭＰＵ再生時刻（ＭＰＵ＿ｐｒｅｓｅｎｔａｔｉｏｎ＿ｔｉｍｅ）
【０３１３】
ＭＰＵシーケンス番号（ＭＰＵ＿ｓｅｑｕｅｎｃ＿ｎｕｍｂｅｒ）には、ＭＰＵの識別子が記録される。
ＭＰＵ再生時刻（ＭＰＵ＿ｐｒｅｓｅｎｔａｔｉｏｎ＿ｔｉｍｅ）には、ＭＰＵの再生時間（提示時間）がＮＴＰ（ネットワークタイムプロトコル）に従った時間情報として記録される。
なお、ＮＴＰ時間（ＮＴＰタイムスタンプ）は、例えば６４ビットデータの絶対時刻情報、すなわち予め規定された基準時刻からの経過時間を示す絶対時刻情報である。上位３２ビットで１秒以上の時間情報（経過時間情報）を示し、下位３２ビットで１秒以下の時間情報（経過時間情報）を示す。
なお、全体を３２ビットとして、上位１６ビットで１秒以上の時間情報を示し、下位１６ビットで１秒以下の時間情報を示す短形式のＮＴＰ時間情報を用いる設定も可能である。
【０３１４】
このように、ＭＭＴパッケージテーブル（ＭＰＴ）には、先に図２１を参照して説明したように、ＭＰＵタイムスタンプ記述子として、ＭＰＵ単位の再生（提示）時間情報を示すタイムスタンプ（ＰＴＳ  Ｐｒｅｓｅｎｔａｔｉｏｎ  Ｔｉｍｅｓｔａｍｐ）が記録される。
【０３１５】
さらに、ＭＭＴパッケージテーブル（ＭＰＴ）には、ＭＰＵ拡張タイムスタンプ記述子として、ＭＰＵ単位の復号（デコード）時間情報を示すタイムスタンプ（ＤＴＳ  Ｄｅｃｏｄｉｎｇ  Ｔｉｍｅｓｔａｍｐ）が記録される。
【０３１６】
ＭＭＴパッケージテーブル（ＭＰＴ）に記録されるＭＰＵ拡張タイムスタンプ記述子のデータ構成（シンタクス）を図３８に示す。
図３８に示すように、ＭＰＵ拡張タイムスタンプ記述子には、以下の各データが記録される。
ＭＰＵシーケンス番号（ＭＰＵ＿ｓｅｑｕｅｎｃ＿ｎｕｍｂｅｒ）３１７、
ＭＰＵ復号時間オフセット（ＭＰＵ＿ｄｅｃｏｄｉｎｇ＿ｔｉｍｅ＿ｏｆｆｓｅｔ）３１８、
【０３１７】
ＭＰＵシーケンス番号（ＭＰＵ＿ｓｅｑｕｅｎｃ＿ｎｕｍｂｅｒ）３１７には、ＭＰＵの識別子が記録される。
ＭＰＵ復号時間オフセット（ＭＰＵ＿ｄｅｃｏｄｉｎｇ＿ｔｉｍｅ＿ｏｆｆｓｅｔ）３１８には、ＭＰＵの復号時間と再生時間（提示時間）との差分情報が記録される。
【０３１８】
このように、ＭＭＴパッケージテーブル（ＭＰＴ）には、アセット記述子（ａｓｓｅｔ＿ｄｅｓｃｒｉｐｔｏｒｓ＿ｂｙｔｅ）として、ＭＰＵ単位の再生時間（提示時間）情報を示すタイムスタンプ（ＰＴＳ  Ｐｒｅｓｅｎｔａｔｉｏｎ  Ｔｉｍｅｓｔａｍｐ）と、ＭＰＵ単位の復号時間を示すタイムスタンプ（ＤＴＳ  Ｄｅｃｏｄｉｎｇ  Ｔｉｍｅｓｔａｍｐ）とが記録される。
【０３１９】
図３５に示すランダムアクセス再生可能な再生データ格納パケット＃１，３０２に格納されたデータの復号、再生処理を行うためには、図３５に示す制御情報（ＭＰＴ）格納パケット＃１，３０１に記録されたタイムスタンプ（ＰＴＳ／ＤＴＳ）を取得することが必要となる。
【０３２０】
なお、再生データ格納パケット＃１，３０２と、この再生データり再生に必要となるタイムスタンプ等の制御情報を格納した制御情報（ＭＰＴ）格納パケット＃１，３０１との送信間隔については規定があり、放送局等の送信装置からの各パケットの送信間隔は２７００ｍｓ〜５００ｍｓの範囲とするように規定されている。
なお、制御情報（ＭＰＴ）格納パケット＃１については、受信エラー等の対策として、再生データ格納パケット＃１，３０２の後に再送することも許容されている。
【０３２１】
放送局等の送信装置から受信されるパケット列を受信して、ＢＤ等のメディアに記録する記録装置は、受信パケット列を順次、メディアに記録することになる。
この結果として、図３５の中段に示すパケット列（ＭＭＴＰパケット列またはＴＬＶパケット列）がメディアに記録される。
【０３２２】
このようなパケット列が記録されたメディアから再生処理を行う再生装置は、再生データ格納パケット＃１，３０２の再生に必要となるタイムスタンプ等の制御情報を格納した制御情報（ＭＰＴ）格納パケット＃１を、再生データ格納パケット＃１，３０２の前後のパケット列を順次、調べていけば見つけることができる。
【０３２３】
図３５に示す（処理例ａ）は、再生データ格納パケット＃１，３０２の再生に必要となるタイムスタンプ等の制御情報を格納した制御情報（ＭＰＴ）格納パケット＃１，３０１を先行配信パケットから選択してタイムスタンプ情報を取得する処理例を示している。
一方、（処理例ｂ）は、再生データ格納パケット＃１，３０２の再生に必要となるタイムスタンプ等の制御情報を格納した制御情報（ＭＰＴ）格納パケット＃１，３０３を後続配信パケットから選択してタイムスタンプ情報を取得する処理例を示している。
【０３２４】
しかし、これらの処理例ａ，ｂのいずれの処理を実行する場合でも、パケット検索が必要となり、データ再生処理の開始時間が遅れてしまう、いわゆる処理遅延が大きくなってしまうという問題がある。
【０３２５】
以下、この問題を解決する構成について説明する。
上記の問題を解決するため、ＭＭＴフォーマットデータ対応のクリップＡＶストリームファイルをＢＤ等のメディアに記録する際に、ＭＭＴフォーマットデータ対応のＥＰマップを記録したクリップ情報ファイルを生成してメディアに記録する。
以下、このＭＭＴフォーマットデータ対応のＥＰマップの複数の具体例について説明する。
【０３２６】
ＭＭＴフォーマットデータ対応のＥＰマップについて、以下の３つの具体例について、順次、説明する。
（ａ）ＭＭＴフォーマットデータ対応のＥＰマップ例１
（ｂ）ＭＭＴフォーマットデータ対応のＥＰマップ例２
（ｃ）ＭＭＴフォーマットデータ対応のＥＰマップ例３
【０３２７】
（７−１．ＭＭＴフォーマットデータ対応のＥＰマップ例１）
まず、図３９以下を参照して、
（ａ）ＭＭＴフォーマットデータ対応のＥＰマップ例１
について説明する。
【０３２８】
図３９は、「（ａ）ＭＭＴフォーマットデータ対応のＥＰマップ例１」のデータ構成（シンタクス）を示す図である。
（ａ）ＭＭＴフォーマットデータ対応のＥＰマップ例１は、データ記録フィールドとして、以下の各フィールドを有している。
ＮＴＰ時間記録領域（ＮＴＰ＿ｔｉｍｅ）３２１、
ＭＭＴバイトアドレス記録領域（ＭＭＴ＿ｂｙｔｅ＿ａｄｒｅｓｓ）３２２、
バイトオフセット記録領域（ｂｙｔｅ＿ｏｆｆｓｅｔ）３２３、
【０３２９】
ＮＴＰ時間記録領域（ＮＴＰ＿ｔｉｍｅ）３２１には、６４ビットのＮＴＰ（ネットワークタイムプロトコル）時間を記録する。
この時間情報は、例えば、このＥＰマップを適用して再生される再生データに含まれるランダムアクセス先の再生開始位置を時間軸上で表現したタイムスタンプ（ＰＴＳ：プレゼンテーションタイムスタンプ）に相当する。
なお、ＥＰマップに記録されるＮＴＰ（ネットワークタイムプロトコル）に従った時間情報は、例えば、先に図１９他を参照して説明したＭＰＴ（ＭＭＴパッケージテーブル）等の制御情報（ＳＩ）から取得される。
【０３３０】
ＭＭＴバイトアドレス記録領域（ＭＭＴ＿ｂｙｔｅ＿ａｄｒｅｓｓ）３２２には、このＥＰマップを適用して再生される再生対象データを格納したパケットのパケット位置を示すアドレス情報を記録する。
具体的には、例えば画像（Ｖ）、音声（Ａ）、あるいは字幕等、再生対象データ格納パケット（ＭＭＴＰパケットまたはＴＬＶパケット）の位置情報として、このパケットが格納されたクリップＡＶストリームファイルの先頭パケット（ＭＭＴＰパケットまたはＴＬＶパケット）の先頭位置からのバイト数を記録する。例えば６４ビットでバイト数を記録する。
【０３３１】
再生装置は、
ＭＭＴバイトアドレス記録領域（ＭＭＴ＿ｂｙｔｅ＿ａｄｒｅｓｓ）３２２、
このデータを利用して、再生データ格納パケットのパケット位置を即座に検出することが可能となる。
すなわち、図４０（１），（２）に示す再生データ格納パケット＃１，３３２に対する矢印位置であるＥＰマップの示すエントリポイントを即座に検出できる。
【０３３２】
なお、先に図３３、図３４を参照して説明したＭＰＥＧ−２ＴＳフォーマット対応のＥＰマップは、
ＰＴＳ（プレゼンテーションタイムスタンプ）と、ＳＰＮ（ソースパケットトナンバー）との対応データを記録した構成である。
これに対して、ＭＭＴフォーマットでは、
ＰＴＳの代わりに、ＮＴＰ（ネットワークタイムプロトコル）時間を利用し、
ＳＰＮの代わりに、ＭＭＴバイトアドレスを利用する構成とする。
【０３３３】
このようにデータを置き換える理由は、ＭＭＴフォーマットに従って放送局等から送信されるデータには、ＭＰＥＧ−２ＴＳフォーマットで規定されるＰＴＳやＳＰＮに一致するデータがないこと。また、ＭＰＥＧ−２ＴＳフォーマットのＴＳパケットのサイズが固定（１８８バイト）であるのに対して、ＭＭＴフォーマットに従ったＭＭＴＰパケットは固定されていない可変長パケットであることが理由である。
【０３３４】
なお、図３３、図３４を参照して説明したＭＰＥＧ−２ＴＳ対応のＥＰマップは、２つのマップ、すなわち、
（ａ）粗いＥＰマップ（ＥＰ＿ｃｏａｒｓｅ）
（ｂ）詳細ＥＰマップ（ＥＰ＿ｆｉｎｅ）
これらの２つのマップの構成を有しているが、図３９（ａ）に示すＭＭＴフォーマットデータ対応のＥＰマップは、１つのマップからなる設定である。
【０３３５】
さらに、図３９（ａ）に示すＭＭＴフォーマットデータ対応のＥＰマップには、
バイトオフセット記録領域（ｂｙｔｅ＿ｏｆｆｓｅｔ）３２３が設定される。
このバイトオフセット記録領域（ｂｙｔｅ＿ｏｆｆｓｅｔ）３２３には、このＥＰマップを適用して再生される再生データを格納した再生データ格納パケットのパケット位置と、その再生データ格納パケットの再生処理に適用するタイムスタンプ情報等を格納した制御情報格納パケットとの離間距離に相当するオフセット情報がバイト情報として記録される。
【０３３６】
オフセット情報の具体例について、図４０を参照して説明する。
図４０には、図３９のバイトオフセット記録領域（ｂｙｔｅ＿ｏｆｆｓｅｔ）３２３に記録するオフセット情報の以下の２つの例を示している。
（例１）再生データに先行するタイムスタンプ格納パケット位置を示すオフセット情報（ｂｙｔｅ＿ｏｆｆｓｅｔ）の例
（例２）再生データの後のタイムスタンプ格納パケット位置を示すオフセット情報（ｂｙｔｅ＿ｏｆｆｓｅｔ）の例
【０３３７】
まず、「（例１）再生データに先行するタイムスタンプ格納パケット位置を示すオフセット情報（ｂｙｔｅ＿ｏｆｆｓｅｔ）の例」について説明する。
この（例１）は、図３９に示すＥＰマップを適用した再生対象データを格納した再生データ格納パケット＃１，３３２に先行して、そのパケットの再生に適用するタイムスタンプ情報を格納した制御情報格納パケット＃１，３３１が記録されている場合の例である。
【０３３８】
この場合、図３９に示すＥＰマップのバイトオフセット記録領域（ｂｙｔｅ＿ｏｆｆｓｅｔ）３２３に記録するオフセット情報は、図４０（１）に示すように、再生データ格納パケット＃１，３３２の先頭位置から、先行する制御情報格納パケット＃１，３３１の先頭位置の距離に相当するバイト情報となる。
【０３３９】
また、図４０（２）に示す「（例２）再生データの後のタイムスタンプ格納パケット位置を示すオフセット情報（ｂｙｔｅ＿ｏｆｆｓｅｔ）の例」は、図３９に示すＥＰマップを適用した再生対象データを格納した再生データ格納パケット＃１，３３２の後側のデータ記録位置に、このパケットの再生に適用するタイムスタンプ情報を格納した制御情報格納パケット＃１，３３３あが記録されている場合の例である。
【０３４０】
この場合、図３９に示すＥＰマップのバイトオフセット記録領域（ｂｙｔｅ＿ｏｆｆｓｅｔ）３２３に記録するオフセット情報は、図４０（２）に示すように、再生データ格納パケット＃１，３３２の先頭位置から、後側の制御情報格納パケット＃１，３３３の先頭位置の距離に相当するバイト情報となる。
【０３４１】
図３９に示すＥＰマップのバイトオフセット記録領域（ｂｙｔｅ＿ｏｆｆｓｅｔ）３２３に記録するオフセット情報は、このように図４０（１），（２）に示す２つのパターンがあり、これらを区別するための情報もＥＰマップに記録する。
具体的には、例えば、再生データ格納パケットと、制御情報格納パケットの離間距離を示すバイト情報を３１ビット情報として記録し、さらに、制御情報格納パケットが、再生データ格納パケットより前方のデータ記録位置にあるか、後方のデータ記録位置にあるかを識別するための制御情報記録位置識別フラグ（Ｐｌｕｓ＿ｍｉｎｕｓ＿ｆｌａｇ）を１ビット記録する。
【０３４２】
例えば、図４０（１）に示すように、再生データ格納パケットより、前方位置に制御情報格納パケットが位置していることを示す場合は、
制御情報記録位置識別フラグ（Ｐｌｕｓ＿ｍｉｎｕｓ＿ｆｌａｇ＝０
とする。
また、図４０（２）に示すように、再生データ格納パケットより、後方位置に制御情報格納パケットが位置していることを示す場合は、
制御情報記録位置識別フラグ（Ｐｌｕｓ＿ｍｉｎｕｓ＿ｆｌａｇ＝１
とする。
【０３４３】
このように、再生データ格納パケットと、制御情報格納パケットの離間距離とその方向を含む情報をＥＰマップに記録することで、再生装置は、ＥＰマップを参照して、ランダムアクセス再生可能な再生データを格納した再生データ格納パケットに対応するタイムスタンプ（ＰＴＳ／ＤＴＳ）を記録した制御情報格納パケットの記録位置を即座に把握することが可能となり、再生遅延を発生させることのないスムーズな再生処理を開始することが可能となる。
【０３４４】
再生装置が、ＭＭＴフォーマットデータを格納したクリップＡＶストリームを再生対象として選択し、ＥＰマップを適用したランダムアクセス再生処理を行う場合の処理手順は以下の通りとなる。
まず、再生装置は、図３９に示すＥＰマップから、
ＮＴＰ時間記録領域（ＮＴＰ＿ｔｉｍｅ）３２１、
ＭＭＴバイトアドレス記録領域（ＭＭＴ＿ｂｙｔｅ＿ａｄｒｅｓｓ）３２２、
これらのデータを読み取り、ランダムアクセスポイントとなるデータ位置を検出し、再生データ格納パケットから再生対象データを取得する。
【０３４５】
次に、図３９に示すＥＰマップから、
バイトオフセット記録領域（ｂｙｔｅ＿ｏｆｆｓｅｔ）３２３、
を読み取り、取得した再生データの再生に適用するタイムスタンプ（ＰＴＳ／ＤＴＳ）を記録した制御情報格納パケットの記録位置を確認し、制御情報格納パケットを取得して、制御情報からタイムスタンプ（ＰＴＳ／ＤＴＳ）を取得する。
さらに、取得したタイムスタンプ（ＤＴＳ／ＰＴＳ）に従って規定されるデコード開始時間、再生開始時間に従ってデコード処理と再生処理を実行する。
【０３４６】
このように、再生装置は、図３９に示すＭＭＴフォーマットデータ対応のＥＰマップを参照することで、遅延のないスムーズなランダムアクセス再生処理を実行することができる。
【０３４７】
なお、図３９に示すＥＰマップは１つのオフセット情報のみを記録可能な構成としているが、例えば、メディアに記録した再生データ格納パケットに対応する制御情報格納パケットが、メディアに複数個、記録されている場合がある。
これらのすべての制御情報格納パケットの位置を示すように複数のバイトオフセット情報を記録する構成としてもよい。
【０３４８】
図４１は、このような設定を持つＥＰマップの構成例を示している。
図４１は、「（ａ−２）ＭＭＴフォーマットデータ対応のＥＰマップ例１（変形例）」のデータ構成（シンタクス）を示す図である。
（ａ−２）ＭＭＴフォーマットデータ対応のＥＰマップ例１（変形例）においては、
タイムスタンプの記録された制御情報格納パケットの位置を示すバイトオフセット記録領域（ｂｙｔｅ＿ｏｆｆｓｅｔ）３２３の前段に、
「ループ設定データ（ｆｏｒ（ｉ＝０；ｉ＜ｎｕｍ＿ｏｆ＿ｔｉｍｅｓｔａｍｐ；ｉ＋＋）記録領域３２４」
を設定した構成を持つ。
【０３４９】
「ループ設定データ（ｆｏｒ（ｉ＝０；ｉ＜ｎｕｍ＿ｏｆ＿ｔｉｍｅｓｔａｍｐ；ｉ＋＋）記録領域３２４」以下には、複数のバイトオフセット（ｂｙｔｅ＿ｏｆｆｓｅｔ）を記録可能としたループが設定される。
このようなループ設定とすることで、複数の制御情報格納パケットの位置を示す複数のバイトオフセット（ｂｙｔｅ＿ｏｆｆｓｅｔ）が記録可能となる。
【０３５０】
（７−２．ＭＭＴフォーマットデータ対応のＥＰマップ例２）
次に、図４２に示す、
（ｂ）ＭＭＴフォーマットデータ対応のＥＰマップ例２
ついて説明する。
図４２は、「（ｂ）ＭＭＴフォーマットデータ対応のＥＰマップ例２」のデータ構成（シンタクス）を示す図である。
この図４２に示すＥＰマップ例２は、データ記録フィールドとして、以下の各フィールドを有している。
ＮＴＰ時間記録領域（ＮＴＰ＿ｔｉｍｅ）３４１、
ＭＭＴバイトアドレス記録領域（ＭＭＴ＿ｂｙｔｅ＿ａｄｒｅｓｓ）３４２、
バイトオフセット記録領域（ｂｙｔｅ＿ｏｆｆｓｅｔ）３４３、
これらの記録領域の名称は、先に説明した図３９（ａ）に示す例１と同様の名称であるが、本例において、
「ＭＭＴバイトアドレス記録領域（ＭＭＴ＿ｂｙｔｅ＿ａｄｒｅｓｓ）３４２」は、
このＥＰマップを適用して再生される再生対象データを格納したパケットのパケット位置を示すアドレス情報ではなく、このＥＰマップを適用して再生される再生対象データの再生処理に適用する再生制御情報格納パケットのパケット位置を示すアドレス情報の記録領域である。
【０３５１】
この設定を持つＥＰマップを利用して再生を行う再生装置は、
ＥＰマップに記録された、
ＭＭＴバイトアドレス記録領域（ＭＭＴ＿ｂｙｔｅ＿ａｄｒｅｓｓ）３４２、
このデータを利用して、制御情報格納パケットのパケット位置を即座に検出することが可能となる。
すなわち、図４３に示す制御情報（ＭＰＴ）格納パケット＃１，３５１に対する矢印位置であるＥＰマップの示すエントリポイントを即座に検出できる。
【０３５２】
バイトオフセット記録領域（ｂｙｔｅ＿ｏｆｆｓｅｔ）３４３は、先に図３９〜図４０を参照して説明した例１と同様、このＥＰマップを適用して再生される再生データを格納した再生データ格納パケットのパケット位置と、その再生データ格納パケットの再生処理に適用するタイムスタンプ情報等を格納した制御情報格納パケットとの離間距離に相当するオフセット情報がバイト情報として記録される。
【０３５３】
なお、先に図３９〜図４１を参照して説明した例１では、再生データ格納パケットのパケット位置を基準位置として、その基準位置から、タイムスタンプ情報等を格納した制御情報格納パケットまでの離間距離をバイトオフセット記録領域（ｂｙｔｅ＿ｏｆｆｓｅｔ）３２３に記録していた。
【０３５４】
本例では、タイムスタンプ情報等を格納した制御情報格納パケットのパケット位置を基準位置として、この基準位置から、再生データ格納パケットのパケット位置までの距離をバイトオフセット記録領域（ｂｙｔｅ＿ｏｆｆｓｅｔ）３４３に記録する。
【０３５５】
図４３を参照してバイトオフセット記録領域（ｂｙｔｅ＿ｏｆｆｓｅｔ）３４３の記録データについて説明する。
ＥＰマップは、画像、音声、字幕等の個々のストリーム単位で設定される。
画像対応のＥＰマップには、図４３に示すように、タイムスタンプ情報等を格納した制御情報格納パケット３５１のパケット位置を基準位置として、この基準位置から、再生データとしての画像（Ｖ）を格納した再生データ（Ｖ）格納パケット３５２のパケット位置までの距離（ｂｙｔｅ＿ｏｆｆｓｅｔ（Ｖ））が記録される。
【０３５６】
さらに、音声（Ａ１）対応のＥＰマップには、図４３に示すように、タイムスタンプ情報等を格納した制御情報格納パケット３５１のパケット位置を基準位置として、この基準位置から、再生データとしての音声（Ａ１）を格納した再生データ（Ａ１）格納パケット３５３のパケット位置までの距離（ｂｙｔｅ＿ｏｆｆｓｅｔ（Ａ１））が記録される。
【０３５７】
さらに、音声（Ａ２）対応のＥＰマップには、図４３に示すように、タイムスタンプ情報等を格納した制御情報格納パケット３５１のパケット位置を基準位置として、この基準位置から、再生データとしての音声（Ａ２）を格納した再生データ（Ａ２）格納パケット３５４のパケット位置までの距離（ｂｙｔｅ＿ｏｆｆｓｅｔ（Ａ２））が記録される。
【０３５８】
なお、図には示していないが、字幕についても同様に、再生データとしての字幕を格納した再生データ格納パケットのパケット位置までの距離（ｂｙｔｅ＿ｏｆｆｓｅｔ）を記録したＥＰマップが設定される。
このように、ＥＰマップは、画像、音声、字幕等の個々のストリーム単位で設定される。
【０３５９】
また、先に図３７〜図３９を参照して説明した例１と同様、ＥＰマップには、再生データ格納パケットと制御情報格納パケットの離間距離のみならず、制御情報格納パケットの記録位置を基準位置として、再生データ格納パケットが前方、後方のいずれに記録されているかを示す方向情報、すなわち再生データ記録位置識別フラグ（Ｐｌｕｓ＿ｍｉｎｕｓ＿ｆｌａｇ）を記録する設定としてもよい。
【０３６０】
再生装置が、ＭＭＴフォーマットデータを格納したクリップＡＶストリームを再生対象として選択し、図４２に示すＥＰマップを適用したランダムアクセス再生処理を行う場合の処理手順は以下の通りとなる。
まず、再生装置は、図４２に示すＥＰマップから、
ＮＴＰ時間記録領域（ＮＴＰ＿ｔｉｍｅ）３４１、
ＭＭＴバイトアドレス記録領域（ＭＭＴ＿ｂｙｔｅ＿ａｄｒｅｓｓ）３４２、
これらのデータを読み取り、制御情報格納パケットの記録位置を検出する。
【０３６１】
次に、図４２に示すＥＰマップから、
バイトオフセット記録領域（ｂｙｔｅ＿ｏｆｆｓｅｔ）３４３、
を読み取り、ランダムアクセス再生対象データを格納した再生データ格納パケットの記録位置を確認し、再生データを取得する。
【０３６２】
さらに、制御情報格納パケットからタイムスタンプ（ＰＴＳ／ＤＴＳ）を取得し、取得したタイムスタンプ（ＤＴＳ／ＰＴＳ）に従って規定されるデコード開始時間、再生開始時間に従ってデコード処理と再生処理を実行する。
【０３６３】
このように、再生装置は、図４２に示すＭＭＴフォーマットデータ対応のＥＰマップを参照することで、遅延のないスムーズなランダムアクセス再生処理を実行することができる。
【０３６４】
（７−３．ＭＭＴフォーマットデータ対応のＥＰマップ例３）
次に、図４４に示す、
（ｃ）ＭＭＴフォーマットデータ対応のＥＰマップ例３
について説明する。
図４４は、「（ｃ）ＭＭＴフォーマットデータ対応のＥＰマップ例３」のデータ構成（シンタクス）を示す図である。
この図４４に示すＥＰマップ例３は、データ記録フィールドとして、以下の各フィールドを有している。
ＮＴＰ時間記録領域（ＮＴＰ＿ｔｉｍｅ）３６１、
ＭＭＴバイトアドレス記録領域（ＭＭＴ＿ｂｙｔｅ＿ａｄｒｅｓｓ）３６２、
ＭＰＴ記録タイムスタンプ情報記録領域３６３、
【０３６５】
ＮＴＰ時間記録領域（ＮＴＰ＿ｔｉｍｅ）３６１、
ＭＭＴバイトアドレス記録領域（ＭＭＴ＿ｂｙｔｅ＿ａｄｒｅｓｓ）３６２、
これらの記録領域のデータは、先に説明した図３８（ａ）に示す例１と同様のデータである。
ＭＭＴバイトアドレス記録領域（ＭＭＴ＿ｂｙｔｅ＿ａｄｒｅｓｓ）３６２は、このＥＰマップを適用して再生される再生対象データを格納したパケットのパケット位置を示すアドレス情報である。
【０３６６】
ＭＰＴ記録タイムスタンプ情報記録領域３６３は、
ＭＭＴフォーマットデータとして送信装置から送信される制御情報（ＳＩ）に含まれるＭＭＴパッケージテーブル（ＭＰＴ：ＭＭＴ  Ｐａｃｋａｇｅ  Ｔａｂｌｅ）に記録されているタイムスタンプ（ＰＴＳ／ＤＴＳ）情報のコピーデータを記録する領域である。
記録装置は、送信装置から送信される制御情報（ＳＩ）に含まれるＭＭＴパッケージテーブル（ＭＰＴ：ＭＭＴ  Ｐａｃｋａｇｅ  Ｔａｂｌｅ）を参照して、
再生（提示）時間情報を示すタイムスタンプであるＰＴＳ（プレゼンテーションタイムスタンプ）、さらに、復号時間を示すタイムスタンプであるＤＴＳ（デコーディングタイムスタンプ）に関するデータを抽出して、ＥＰマップに記録する。
【０３６７】
送信装置から送信される制御情報（ＳＩ）に含まれるＭＭＴパッケージテーブル（ＭＰＴ：ＭＭＴ  Ｐａｃｋａｇｅ  Ｔａｂｌｅ）には、先に図２１を参照して説明したように、ＭＰＵタイムスタンプ記述子として、ＭＰＵ単位の再生（提示）時間情報を示すタイムスタンプ（ＰＴＳ  Ｐｒｅｓｅｎｔａｔｉｏｎ  Ｔｉｍｅｓｔａｍｐ）が記録されている。
さらに、先に図３８を参照して説明したように、ＭＰＵ拡張タイムスタンプ記述子として、ＭＰＵ単位の復号時間情報を示すタイムスタンプ（ＤＴＳ  Ｄｅｃｏｄｉｎｇ  Ｔｉｍｅｓｔａｍｐ）が記録されている。
記録装置は、これらのデータをＭＭＴパッケージテーブル（ＭＰＴ）から取得してＥＰマップに記録する。
【０３６８】
図４５を参照して、メディアに対するデータ記録を行う際の処理と、メディアからのデータ再生を行う際の処理について説明する。
まず、メディアに対するデータ記録を行う記録装置は、送信装置から送信される制御情報（ＳＩ）に含まれるＭＭＴパッケージテーブル（ＭＰＴ：ＭＭＴ  Ｐａｃｋａｇｅ  Ｔａｂｌｅ）を格納した制御情報格納パケット３５１から、再生（提示）時間情報を示すタイムスタンプであるＰＴＳ（プレゼンテーションタイムスタンプ）、さらに、復号時間を示すタイムスタンプであるＤＴＳ（デコーディングタイムスタンプ）に関するデータを抽出して、ＥＰマップに記録する。図４５に示すステップＳ１１の処理である。
なお、ＥＰマップは、クリップ情報ファイルに記録される。
【０３６９】
次に、メディアからのデータ再生を実行する再生装置の処理について説明する。
図４４に示すデータ構成を持つＥＰマップを利用して再生を行う再生装置は、図４５に示すように、ステップＳ２１において再生時にＥＰマップを参照して再生処理を実行する。
まず、図４４に示すＥＰマップに記録された、
ＮＴＰ時間記録領域（ＮＴＰ＿ｔｉｍｅ）３６１、
ＭＭＴバイトアドレス記録領域（ＭＭＴ＿ｂｙｔｅ＿ａｄｒｅｓｓ）３６２、
このデータを利用して、図４５に示す再生データ格納パケット＃１，３７２のパケット位置を検出する。
【０３７０】
次に、図４４に示すＥＰマップから、
ＭＰＴ記録タイムスタンプ情報記録領域３６３、
の記録データを読み取り、タイムスタンプ（ＰＴＳ／ＤＴＳ）を取得し、取得したタイムスタンプ（ＤＴＳ／ＰＴＳ）に従って規定されるデコード開始時間、再生開始時間に従ってデコード処理と再生処理を実行する。
【０３７１】
このように、再生装置は、図４４に示すＭＭＴフォーマットデータ対応のＥＰマップを参照することで、遅延のないスムーズなランダムアクセス再生処理を実行することができる。
【０３７２】
［８．情報記録媒体に対するデータ記録処理を実行する情報処理装置の構成と処理について］
次に、図４６以下を参照して情報記録媒体に対するデータ記録処理を実行する情報処理装置の構成と処理について説明する。
【０３７３】
先に説明したように、本開示の情報処理装置は、ＭＭＴフォーマットに従った入力データを、ＢＤＡＶフォーマットデータとして、ＢＤやＨＤ、あるいはフラッシュメモリ等の情報記録媒体に記録する。
さらに、このデータ記録処理に際して、プレイリストやクリップ情報ファイル等のデータベースファイルに、ＭＭＴフォーマットデータ対応の制御情報、属性情報等を記録する。
【０３７４】
これらの情報は、例えば、ＭＭＴフォーマットに従った入力データに含まれる制御情報であるＴＬＶ−ＳＩや、ＭＭＴ−ＳＩを構成する様々な情報記録テーブルから取得する。情報処理装置は、受信データから様々な情報を取得して、ＢＤＡＶフォーマットにおいて規定されるプレイリストやクリップ情報ファイル等のデータベースファイルに、メディア記録コンテンツ対応の情報を記録する。
【０３７５】
以下、このようなプレイリストやクリップ情報ファイルを記録した情報記録媒体の生成処理、具体的には、ＢＤ等の情報記録媒体に対するデータ記録処理を実行する情報処理装置の構成と、処理シーケンスについて説明する。
【０３７６】
図４６は、ＢＤ等の情報記録媒体に対するデータ記録処理を実行する情報処理装置４００の構成を示す図である。
情報処理装置４００は、情報記録媒体（記録メディア）４２０に、クリップＡＶストリームファイル、さらに、プレイリストやクリップ情報ファイル等のデータベースファイルを記録する。
【０３７７】
データ入力部４０１は、情報記録媒体４２０に対するＭＭＴフォーマットデータ４３１、すなわち画像データ、音声データ、字幕データ等を含むＭＭＴフォーマットデータ４３１を入力する。
データ入力部４０１は、ＭＭＴフォーマットデータ４３１を送信する例えば放送局やコンテンツサーバ等からの送信データを受信する受信部、あるいは、ＭＭＴフォーマットデータ４３１を記録したメディアからのデータ読み取りを実行するメディア読み取り部等によって構成される。
【０３７８】
データ入力部４０１から入力するＭＭＴフォーマットデータ４３１は、先に図２を参照して説明したデータフォーマットに従ったデータであり、例えばＨＥＶＣ画像等の高精細画像データが含まれている。
【０３７９】
ＭＭＴフォーマットデータ４３１は、制御部４０３の制御によって、記憶部４０４に格納される。
ユーザ入力部４０２は、例えば情報記録媒体４２０に対するデータ記録の開始要求等を入力する。
【０３８０】
ユーザ入力部４０２から、データ記録開始要求を入力すると、この入力をトリガとして、記憶部４０４に格納されたＭＭＴフォーマットデータ４３１が、デマルチプレクサ（ＤｅＭＵＸ）４０５に入力される。
デマルチプレクサ（ＤｅＭＵＸ）４０５は、ＭＭＴフォーマットデータ４３１から、画像、音声、字幕等の各データを格納したパケットや、通知情報や制御情報等を格納したシグナリング情報（ＴＬＶ−ＳＩ，ＭＭＴ−ＳＩ）等の補助情報を取得し、データ種別のパケットに分類し、各パケットを、データ種類に応じて、記録データ生成部４０６の字幕データ生成部４１１、画像データ生成部４１２、音声データ生成部４１３、補助情報生成部４１４に入力する。
【０３８１】
字幕データ生成部４１１は、データ入力部４０１が入力し、記憶部４０４に格納されたＭＭＴフォーマットデータ３３１から、字幕データを取得し、ＢＤＡＶフォーマットにおいて規定されるストリームファイル格納用データを生成する。
画像データ生成部４１２は、データ入力部４０１が入力し、記憶部４０４に格納されたＭＭＴフォーマットデータ３３１から、画像データを取得し、ＢＤＡＶフォーマットにおいて規定されるストリームファイル格納用データを生成する。
音声データ生成部４１３は、データ入力部４０１が入力し、記憶部４０４に格納されたＭＭＴフォーマットデータ４３１から、音声データを取得し、ＢＤＡＶフォーマットにおいて規定されるストリームファイル格納用データを生成する。
【０３８２】
補助情報生成部４１４は、データ入力部４０１が入力し、記憶部４０４に格納されたＭＭＴフォーマットデータ４３１から、通知情報や制御情報等を格納したシグナリング情報（ＴＬＶ−ＳＩ，ＭＭＴ−ＳＩ）等の補助情報を取得し、ＢＤＡＶフォーマットにおいて規定されるデータベースファイルとしてのプレイリストファイルやクリップ情報ファイル、クリップＡＶストリームファイルに格納すべきデータを生成する。
【０３８３】
マルチプレクサ（ＭＵＸ）４１５は、字幕データ生成部４１１、画像データ生成部４１２、音声データ生成部４１３が変換した字幕、画像、音声各データ、および補助情報生成部４１４がＭＭＴフォーマットデータ３３１のシグナリング情報（ＴＬＶ−ＳＩ，ＭＭＴ−ＳＩ）等から取得した様々な情報を入力し、これらのデータを格納したストリームファイルを生成する。
【０３８４】
データベースファイル生成部４１６は、補助情報生成部４１４がＭＭＴフォーマットデータ４３１のシグナリング情報（ＴＬＶ−ＳＩ，ＭＭＴ−ＳＩ）から取得した様々な情報を記録したプレイリストファイルやクリップ情報ファイル等のデータベースファイルを生成する。
【０３８５】
記録データ生成部４０６の生成したストリームファイルデータと、プレイリストファイル、クリップ情報ファイル等のデータベースファイルを含む記録データ４３２は、制御部４０３の制御の下、記録部４０６によって、ドライブ４０７を介して情報記録媒体４２０に出力され、記録される。
【０３８６】
次に、図４６に示す情報処理装置４００が実行する情報記録媒体４２０に対するデータ記録処理のシーケンスについて、図４７に示すフローチャートを参照して説明する。
【０３８７】
図４７に示すフローに従った処理は、例えば情報処理装置の記憶部に格納されたプログラムに従って、プログラム実行機能を有するＣＰＵを備えたデータ処理部（制御部）の制御の下で実行することができる。
以下、図４９のフローに示す各ステップの処理について、順次、説明する。
【０３８８】
（ステップＳ１０１）
まず、情報処理装置４００は、ステップＳ１０１において、データ入力部４０１を介して記録用データであるＭＭＴフォーマットデータを入力する。
なお、この記録用データには画像データ、音声データ、字幕データ、さらに、通知情報や制御情報等を格納したシグナリング情報（ＴＬＶ−ＳＩ，ＭＭＴ−ＳＩ）等が含まれる。
【０３８９】
（ステップＳ１０２）
次に、ステップＳ１０２において、情報処理装置４００は、入力したＭＭＴフォーマットデータのデマルチプレクス処理、すなわち、データ種類単位のデータ分離処理を行う。画像、音声、字幕、制御情報等の分離処理を実行する。
【０３９０】
（ステップＳ１０３）
次に、ステップＳ１０３において、情報処理装置４００は、ステップＳ１０２で分離した制御情報、例えばシグナリング情報（ＴＬＶ−ＳＩ，ＭＭＴ−ＳＩ）をメモリに格納する。
【０３９１】
（ステップＳ１０４）
次に、ステップＳ１０４において、情報処理装置４００は、ステップＳ１０２で分離した画像、音声、字幕核データの少なくともいずれかのデータの再エンコード処理を実行する。
なお、この処理は、情報記録媒体に記録するデータのエンコード態様を変更する場合に行う処理であり、受信データをそのまま記録する場合は、この再エンコード処理は不要である。
【０３９２】
（ステップＳ１０５）
次に、ステップＳ１０５において、情報処理装置４００は、ステップＳ１０３でのエンコード後のデータを含む画像、音声、字幕、さらに、再生制御情報等を含むデータの多重化処理を実行する。すなわち、クリップＡＶストリームファイルの生成処理を実行する。
なお、クリップＡＶストリームファイルに格納する再生制御情報は、例えば図１９等を参照して説明したＭＰＴ（ＭＭＴパッケージテーブル）から取得した情報等である。
【０３９３】
（ステップＳ１０６）
次に、ステップＳ１０６において、情報処理装置４００は、入力したＭＭＴフォーマットデータの構成データを利用して、クリップ情報ファイルを生成する。
例えば、先に図２４〜図４５を参照して説明したクリップ情報ファイル、すなわち、ＭＭＴフォーマットデータを格納したクリップＡＶストリームファイルに対応するクリップ情報ファイルを生成する。
このクリップ情報ファイルにはＥＰマップが含まれる。
【０３９４】
なお、このステップＳ１０６のクリップ情報ファイルの生成処理の詳細シーケンスについては、図４８〜図５０に示すフローを参照して、後段で詳細に説明する。
【０３９５】
（ステップＳ１０７）
次に、ステップＳ１０７において、情報処理装置４００は、入力したＭＭＴフォーマットデータの構成データを利用して、プレイリストファイルを生成する。
例えば、先に図１２〜図１８を参照して説明したプレイリストファイル、すなわち、ＭＭＴフォーマットデータを格納したクリップＡＶストリームファイルに対応するプレイリストファイルを生成する。
なお、このステップＳ１０７のプレイリストファイル生成処理の詳細については、図５１を参照して、後段で説明する。
【０３９６】
（ステップＳ１０８）
次に、ステップＳ１０８において、情報処理装置４００は、入力したＭＭＴフォーマットデータを利用してその他のデータベースファイルを生成する。
【０３９７】
（ステップＳ１０９）
次に、ステップＳ１０９において、情報処理装置４００は、生成したＡＶストリームファイルとデータベースファイルを利用してＢＤＡＶフォーマットデータを生成する。
【０３９８】
（ステップＳ１１０）
次に、ステップＳ１１０において、情報処理装置４００は、ステップＳ１０９で生成したＢＤＡＶフォーマットデータを情報記録媒体（メディア）に記録する。
【０３９９】
次に、ステップＳ１０６において実行するクリップ情報ファイル生成処理の詳細シーケンスについて、図４８〜図５０に示すフローチャートを参照して説明する。
図４８〜図５０に示すフローチャートは、先に説明した３種類のＥＰマップの生成処理のシーケンスを個別に説明するフローである。すなわち、
図４８は、ＭＭＴフォーマットデータ対応ＥＰマップ例１（図３９〜図４１）
図４９は、ＭＭＴフォーマットデータ対応ＥＰマップ例２（図４２〜図４３）
図５０は、ＭＭＴフォーマットデータ対応ＥＰマップ例３（図４４〜図４５）
これら３種類の異なるＥＰマップの生成処理を含むフローである。て
【０４００】
なお、図４８〜図５０に示すフローチャートは、ＭＭＴフォーマットデータを格納したクリップＡＶストリームファイルの制御に利用されるクリップ情報の生成シーケンスである。
まず、図４８に示すフロー、すなわち、先に図３９〜図４１を参照して説明したＭＭＴフォーマットデータ対応ＥＰマップ例１に相当するＥＰマップを生成してクリップ情報ファイルに記録する処理を含むクリップ情報ファイル生成処理フローの各ステップの処理について、順次、説明する。
【０４０１】
（ステップＳ１２１）
まず、ステップＳ１２１において、情報処理装置４００は、クリップＡＶストリームファイルに格納したＭＭＴフォーマットデータであるＭＭＴＰパケットのＲＡＰ（ランダムアクセスポイント）フラグを確認する。
先に図３７等を参照して説明したように、ＲＡＰフラグ＝１の設定されたＭＭＴＰパケットは、ランダムアクセスポイントを含むデータである。
【０４０２】
（ステップＳ１２２）
次に、ステップＳ１２２において、情報処理装置４００は、ＲＡＰフラグ＝１の設定されたＭＭＴＰパケットのパケット位置と、時刻情報（ＮＴＰ時間）との対応データをＥＰマップに記録する。
この処理は、先に図３９〜図４１を参照して説明したＭＭＴフォーマットデータ対応のＥＰマップの生成処理である。パケット位置情報は、クリップＡＶストリームファイルの先頭（＝ファイルに格納された最初のＭＭＴＰパケットの先頭）からのバイト位置を利用する。また、時間情報はＮＴＰ（ネットワークタイププロトコル）時間を利用する。
【０４０３】
（ステップＳ１２３）
次に、ステップＳ１２３において、情報処理装置４００は、ＲＡＰフラグ＝１の再生データ格納パケットと、タイムスタンプを格納した制御情報格納パケットとの離間距離と、方向を取得し、オフセット情報（ｂｙｔｅ＿ｏｆｆｓｅｔ）として、ＥＰマップに記録する。
この処理も、先に図３９〜図４１を参照して説明したＭＭＴフォーマットデータ対応のＥＰマップの生成処理である。
例えば、再生データ格納パケットと、制御情報格納パケットの離間距離を示すバイト情報（ｂｙｔｅ＿ｏｆｆｓｅｔ）を３１ビット情報として記録し、さらに、制御情報格納パケットが、再生データ格納パケットより前方のデータ記録位置にあるか、後方のデータ記録位置にあるかを識別するための制御情報記録位置識別フラグ（Ｐｌｕｓ＿ｍｉｎｕｓ＿ｆｌａｇ）を１ビット記録する。
【０４０４】
（ステップＳ１２４）
次に、ステップＳ１２４において、情報処理装置４００は、クリップ情報ファイルのアプリケーションタイプ（Ａｐｐｌｉｃａｔｉｏｎ＿ｔｙｐｅ）と、クリップストリームタイプ（Ｃｌｉｐ＿ｓｔｒｅａｍ＿ｔｙｐｅ）の値を［３］に設定する。
【０４０５】
この処理は、先に図２５〜図２７を参照して説明した処理であり、クリップ情報ファイルの制御対象データとなるクリップＡＶストリームファイルの格納データがＭＭＴフォーマットデータであることを識別可能とするための設定値を記録する処理である。
【０４０６】
（ステップＳ１２５）
次に、ステップＳ１２５において、情報処理装置４００は、クリップ情報ファイルの記録レート（ｒｅｃｏｒｄｉｎｇ＿ｒａｔｅ）、平均レート（ａｖｅｒａｇｅ＿ｒａｔｅ）を記録する。
【０４０７】
この処理は、先に図２５を参照して説明した
ＴＳ平均レート（ＴＳ＿ａｖｅｒａｇｅ＿ｒａｔｅ）２１４、
ＴＳ記録レート（ＴＳ＿ｒｅｃｏｒｄｉｎｇ＿ｒａｔｅ）２１５、
これらのデータ記録処理である。前述したように、このクリップ情報ファイルによる再生対象データであるクリップＡＶストリームファイルのトランスポートストリームの平均ビットレートと、記録レートをｂｙｔｅｓ／ｓｅｃｏｎｄの単位で表したものである。
【０４０８】
このビットレート情報は、ＴＳパケットを基準として算出することを前提としており、再生対象データがＭＭＴパケットを持つＭＭＴフォーマットである場合、ＭＭＴフォーマットに応じたビットレートを算出して記録する。あるいは、再生対象データがＭＭＴフォーマットである場合、このフィールドには無効値を記録し、ビットレート情報を利用しない設定としてもよい。
【０４０９】
（ステップＳ１２６）
次に、ステップＳ１２６において、情報処理装置４００は、クリップ情報ファイルの構成データである、
クリップ情報（ＣｌｉｐＩｎｆｏ）、
シーケンス情報（ＳｅｑｕｅｎｃｅＩｎｆｏ）、
プログラム情報（ＰｒｏｇｒａｍＩｎｆｏ）、
ＣＰＩ情報（ＣＰＩ）、
クリップマーク（ＣｌｉｐＭａｒｋ）、
これらの各データを生成する。
なお、これらの各データ生成処理において、再生対象データがＭＭＴフォーマットデータである場合、例えば、時間情報としてはＮＴＰ時刻情報、パケット位置はストリームファイル（クリップＡＶストリームファイル）に格納された最初のＭＭＴＰパケットの先頭からのバイト数データを取得して記録する。
【０４１０】
これらの処理により、ＭＭＴフォーマットデータ対応のクリップ情報ファイルを生成する。
なお、制御対象がＭＰＥＧ−２ＴＳフォーマットデータを格納したクリップＡＶストリームファイルである場合は、従来と同様のクリップ情報ファイル生成処理を行えばよい。
【０４１１】
次に、図４９に示すフローチャートについて説明する。図４９に示すフローは、先に図４２〜図４３を参照して説明したＭＭＴフォーマットデータ対応ＥＰマップ例２に相当するＥＰマップを生成してクリップ情報ファイルに記録する処理を含むクリップ情報ファイル生成処理フローの各ステップの処理について、順次、説明する。
【０４１２】
（ステップＳ１３１）
まず、ステップＳ１３１において、情報処理装置４００は、クリップＡＶストリームファイルに格納したＭＭＴフォーマットデータであるＭＭＴＰパケットのＲＡＰ（ランダムアクセスポイント）フラグを確認する。
【０４１３】
（ステップＳ１３２）
次に、ステップＳ１３２において、情報処理装置４００は、タイムスタンプ（ＰＴＳ／ＤＴＳ）を格納した制御情報格納パケット位置の識別情報となるＭＭＴバイトアドレス（ＭＭＴ＿ｂｙｔｅ＿ａｄｒｅｓｓ）、ＮＴＰ時間（ＮＴＰ＿ｔｉｍｅ）を、ＥＰマップに記録する。
この処理は、先に図４２〜図４３を参照して説明したＭＭＴフォーマットデータ対応のＥＰマップの生成処理である。
【０４１４】
本例においては、ＥＰマップに記録するアドレス情報は、再生データではなく制御情報（ＭＰＴ）格納パケットのアドレス情報とする。
アドレス情報は、クリップＡＶストリームファイルの先頭（＝ファイルに格納された最初のＭＭＴＰパケットの先頭）からのバイト位置を利用する。また、時間情報はＮＴＰ（ネットワークタイププロトコル）時間を利用する。
【０４１５】
（ステップＳ１３３）
次に、ステップＳ１３３において、情報処理装置４００は、タイムスタンプ（ＰＴＳ／ＤＴＳ）を格納した制御情報格納パケットと、ＲＡＰフラグ＝１の再生データ格納パケットとの離間距離と、方向を取得し、オフセット情報（ｂｙｔｅ＿ｏｆｆｓｅｔ）として、ＥＰマップに記録する。
この処理も、先に図４２〜図４３を参照して説明したＭＭＴフォーマットデータ対応のＥＰマップの生成処理である。
例えば、再生データ格納パケットと、制御情報格納パケットの離間距離を示すバイト情報（ｂｙｔｅ＿ｏｆｆｓｅｔ）を３１ビット情報として記録し、さらに、再生データ格納パケットが、制御情報格納パケットより前方のデータ記録位置にあるか、後方のデータ記録位置にあるかを識別するための制御情報記録位置識別フラグ（Ｐｌｕｓ＿ｍｉｎｕｓ＿ｆｌａｇ）を１ビット記録する。
【０４１６】
（ステップＳ１３４〜Ｓ１３６）
次のステップＳ１３４〜Ｓ１３６の処理は、図４８を参照して説明したステップＳ１２４〜Ｓ１２６の処理と同様の処理であるので説明を省略する。
【０４１７】
次に、図５０に示すフロー、すなわち、先に図４４〜図４５を参照して説明したＭＭＴフォーマットデータ対応ＥＰマップ例３に相当するＥＰマップを生成してクリップ情報ファイルに記録する処理を含むクリップ情報ファイル生成処理フローの各ステップの処理について、順次、説明する。
【０４１８】
（ステップＳ１４１）
まず、ステップＳ１４１において、情報処理装置４００は、クリップＡＶストリームファイルに格納したＭＭＴフォーマットデータであるＭＭＴＰパケットのＲＡＰ（ランダムアクセスポイント）フラグを確認する。
【０４１９】
（ステップＳ１４２）
次に、ステップＳ１４２において、情報処理装置４００は、ＲＡＰフラグ＝１の設定されたＭＭＴＰパケットのパケット位置と、時刻情報（ＮＴＰ時間）との対応データをＥＰマップに記録する。
この処理は、先に図４４〜図４５を参照して説明したＭＭＴフォーマットデータ対応のＥＰマップの生成処理である。パケット位置情報は、クリップＡＶストリームファイルの先頭（＝ファイルに格納された最初のＭＭＴＰパケットの先頭）からのバイト位置を利用する。また、時間情報はＮＴＰ（ネットワークタイププロトコル）時間を利用する。
【０４２０】
（ステップＳ１４３）
次に、ステップＳ１４３において、情報処理装置４００は、ＲＡＰフラグ＝１の再生データ格納パケットに格納された再生データに対応するタイムスタンプ（ＰＴＳ／ＤＴＳ）関連データを、ＭＰＴから取得して、ＥＰマップに記録する。
この処理も、先に図４４〜図４５を参照して説明したＭＭＴフォーマットデータ対応のＥＰマップの生成処理である。
図４４に示すＥＰマップのＭＰＴ記録タイムスタンプ情報記録領域３６３に対するデータ記録処理であり、ＭＭＴフォーマットデータとして送信装置から送信される制御情報（ＳＩ）に含まれるＭＭＴパッケージテーブル（ＭＰＴ：ＭＭＴ  Ｐａｃｋａｇｅ  Ｔａｂｌｅ）に記録されているタイムスタンプ（ＰＴＳ／ＤＴＳ）情報のコピーデータを記録する。
【０４２１】
（ステップＳ１４４〜Ｓ１４６）
次のステップＳ１４４〜Ｓ１４６の処理は、図４８を参照して説明したステップＳ１２４〜Ｓ１２６の処理と同様の処理であるので説明を省略する。
【０４２２】
次に、図４７に示すフロー中のステップＳ１０７において実行するプレイリストファイル生成処理の詳細シーケンスについて、図５１に示すフローチャートを参照して説明する。
なお、図５１に示すフローチャートは、ＭＭＴフォーマットデータを格納したクリップＡＶストリームファイルの制御に利用されるプレイリストの生成シーケンスである。
図５１に示すフローの各ステップの処理について、順次、説明する。
【０４２３】
（ステップＳ１５１）
まず、ステップＳ１５１において、情報処理装置４００は、プレイリストファイルに記録するＣＰＩタイプ（ＰＬ＿ＣＰＩ＿ｔｙｐｅ）の値を［３］に設定する。
【０４２４】
この処理は、先に図１２〜図１６を参照して説明した処理に対応する。
図１６の「（２）新たなＣＰＩタイプ記録データ（ＭＰＥＧ−２ＴＳ対応データとＭＭＴ対応データを記録）」を参照して説明したように、
ＰＬ＿ＣＰＩタイプ（ＰＬ＿ＣＰＩ＿ｔｙｐｅ）＝３は、このプレイリストファイルに規定されたプレイアイテム（ＰｌａｙＩｔｅｍ）によって参照されるクリップ情報ファイル内のＣＰＩタイプが、ＭＭＴ対応のＥＰマップであることを意味する。
【０４２５】
（ステップＳ１５２）
次に、ステップＳ１５２において、情報処理装置４００は、プレイリストファイルに記録する各プレイアイテムの時間情報（ＩＮ＿ｔｉｍｅ，ＯＵＴ＿ｔｉｍｅ）をＮＴＰ時間情報として記録する。
【０４２６】
この処理は、先に図１７、図１８を参照して説明した処理に相当する。
図１８（２）の「（２）新たなプレイアイテム情報記録データ（ＭＭＴ対応プレイリスト）」に示すように、
開始時間（ＩＮ＿ｔｉｍｅ）は、プレイアイテム（ＰｌａｙＩｔｅｍ）再生開始点の再生開始時間情報である。再生対象データがＭＭＴフォーマットデータである場合、ＮＴＰ（ネットワークタイムプロトコル）に従った時間情報を記録する。
終了時間（ＯＵＴ＿ｔｉｍｅ）は、プレイアイテム（ＰｌａｙＩｔｅｍ）再生終了点の再生終了時間情報である。再生対象データがＭＭＴフォーマットデータである場合、ＮＴＰ（ネットワークタイムプロトコル）に従った時間情報を記録する。
【０４２７】
ＮＴＰ（ネットワークタイムプロトコル）に従った時間情報は、例えば図１に示す放送サーバ（放送局）２１等の送信装置２０が送信する放送コンテンツ等を含むＭＭＴフォーマットデータに併せて送信される。
テレビ（ＴＶ）３２等の情報処理装置３０は、送信装置２０が送信するＮＴＰ（ネットワークタイムプロトコル）に従った時間情報を取得して、プレイリストに記録する。
【０４２８】
（ステップＳ１５３）
次に、ステップＳ１５３において、情報処理装置４００は、プレイリストファイルの構成データである、
プレイアイテム（ＰｌａｙＩｔｅｍ）、
プレイリストマーク（ＰｌａｙＬｉｓｔＭａｒｋ）、
これらの各データを生成する。
【０４２９】
なお、これらの各データ生成処理において、再生対象データがＭＭＴフォーマットデータである場合、例えば、時間情報としてはＮＴＰ時刻情報、パケット位置はストリームファイル（クリップＡＶストリームファイル）に格納された最初のＭＭＴＰパケットの先頭からのバイト数データを取得して記録する。
【０４３０】
これらの処理により、ＭＭＴフォーマットデータ対応のプレイリストファイルを生成する。
なお、制御対象がＭＰＥＧ−２ＴＳフォーマットデータを格納したクリップＡＶストリームファイルである場合は、従来と同様のプレイリストファイル生成処理を行えばよい。
【０４３１】
情報処理装置３００は、図４７〜図５１を参照して説明したフローに従った処理を行なうことで、入力したＭＭＴフォーマットデータをＢＤＡＶフォーマットに従ったプレイリストファイル、クリップ情報ファイル、クリップＡＶストリームファイルとして記録し、再生することが可能となる。
【０４３２】
［９．情報記録媒体からのデータ再生処理を実行する情報処理装置の構成と処理について］
次に、図５２以下を参照して情報記録媒体からのデータ再生処理を実行する情報処理装置の構成と処理について説明する。
【０４３３】
再生処理を実行する情報処理装置は、装置に装着した情報記録媒体に記録されたデータの読み取り、再生処理を実行する。
【０４３４】
図５２は、ＢＤ等の情報記録媒体５２０に記録されたデータの再生処理を実行する情報処理装置５００の構成を示す図である。
情報処理装置５００は、図５２に示す情報記録媒体（記録メディア）５２０に記録されたデータを読み取り、出力装置（表示部＋スピーカ）５３０に出力する。なお、出力装置５３０は、例えばテレビ等であり、ディスプレイ、スピーカ等を備えた表示装置である。
なお、情報処理装置５００は先に図４６を参照して説明したデータ記録を行う情報処理装置４００と同一の装置である場合もある。すなわち、データ記録再生の両機能を有する情報処理装置である。
【０４３５】
情報記録媒体（記録メディア）５２０は、図４７〜図５１を参照して説明した処理によって生成されたＡＶストリームファイルと、プレイリスト、クリップ情報ファイル等のデータベースが記録された記録媒体である。
【０４３６】
制御部５０１は、例えば、ユーザ入力部５０２からの再生指示情報の入力に基づいて、情報記録媒体５２０の記録データを、記録再生部５０４、ドライブ５０３を介して読み取り、データバッファとしての記憶部５０５に格納し、その格納データを再生処理部５０６に出力する。
【０４３７】
再生処理部５０６は、制御部５０１の制御の下、情報記録媒体５２０から読み出された再生データ、すなわち、画像、音声、字幕等の各データを格納したクリップＡＶストリームファイルから各データを取得して再生データを生成する。
【０４３８】
デマルチプレクサ（ＤｅＭＵＸ）５１１は、画像、音声、字幕、さらに、プレイリストファイル、クリップ情報ファイル等の各データを格納したデータ格納パケットを取得し、データ種別のパケットに分類し、各パケットを、データ種類に応じて、字幕データ生成部５１２、画像データ生成部５１３、音声データ生成部５１４、補助情報生成部５１５に出力する。
【０４３９】
字幕データ生成部５１２、画像データ生成部５１３、音声データ生成部５１４は、パケットに格納されたデータの復号処理等を実行し、復号データを出力データ生成部５１６に出力する。
出力データ生成部５１６は、字幕、画像、音声の各データを、入出力インタフェース４０７を介して出力装置（表示部＋スピーカ）５３０に出力する。
【０４４０】
なお、情報記録媒体５２０は、再生対象データを格納したストリームファイルとして、
ＭＰＥＧ−２ＴＳフォーマットデータを格納したストリームファイルと、
ＭＭＴフォーマットデータを格納したストリームファイルを有する場合がある。
この場合、情報処理装置５００は、ＢＤＡＶフォーマットにおいて規定されたプレイリストファイルとクリップ情報ファイルを適用して、ＭＰＥＧ−２ＴＳフォーマットデータを格納したストリームファイル、および、ＭＭＴフォーマットデータを格納したストリームファイルの再生処理を実行することになる。
【０４４１】
補助情報生成部５１５は、例えば、プレイリストファイル、クリップ情報ファイルに格納された録画コンテンツリスト表示用データを取得して録画コンテンツリストを生成し、生成リストが出力装置（表示部＋スピーカ）５３０に出力される。
【０４４２】
出力装置（表示部＋スピーカ）５３０は、情報処理装置５００から入力する字幕、画像、音声等の各データを、出力装置（表示部＋スピーカ）５３０を介して出力する。
【０４４３】
なお、情報記録媒体５２０は、ＭＭＴフォーマットデータを、ＢＤＡＶフォーマットに従って記録したデータを格納しており、また、情報処理装置５００は、ＢＤＡＶフォーマット規定のデータベースファイルであるプレイリストファイルとクリップ情報ファイルの記録情報を取得して再生制御処理を実行する。
【０４４４】
次に、図５２に示す情報処理装置５００が実行する情報記録媒体５２０からのデータ再生処理のシーケンスについて、図５３に示すフローチャートを参照して説明する。
【０４４５】
図５３に示すフローに従った処理は、例えば情報処理装置５００の記憶部に格納されたプログラムに従って、プログラム実行機能を有するＣＰＵを備えたデータ処理部（制御部）の制御の下で実行することができる。
【０４４６】
なお、図５３に示すフローに従った処理を実行する情報処理装置は、図５２に示す情報処理装置５００であり、情報記録媒体（記録メディア）５２０を装着し、装着した情報記録媒体５２０に記録されたデータを読み取り、出力装置（表示部＋スピーカ）５３０に出力する。なお、出力装置５２０は、例えばテレビ等であり、ディスプレイ、スピーカ等を備えた表示装置である。
【０４４７】
情報記録媒体（記録メディア）５２０は、図４７〜図５１を参照して説明した処理によって生成されたＡＶストリームと、プレイリスト、クリップ情報ファイル等のデータベースが記録された記録媒体である。
以下、図５３のフローに示す各ステップの処理について、順次、説明する。
【０４４８】
（ステップＳ２０１）
まず、情報処理装置５００の制御部５０１は、ステップＳ２０１において、例えばユーザの入力した再生データ指定情報に従い、指定された再生データ対応の再生制御情報を格納したプレイリストファイルを情報記録媒体（メディア）から読み取る。
【０４４９】
（ステップＳ２０２）
次に、情報処理装置５００の制御部５０１は、ステップＳ２０２において、プレイリストファイルに記録されたＰＬ＿ＣＰＩタイプ（ＰＬ＿ＣＰＩ＿ｔｙｐｅ）を読み出す。
先に図１２〜図１６を参照して説明したように、ＰＬ＿ＣＰＩタイプ（ＰＬ＿ＣＰＩ＿ｔｙｐｅ）は、プレイリストファイルに規定されたプレイアイテム（ＰｌａｙＩｔｅｍ）によって参照されるクリップ情報ファイル内のＣＰＩタイプを示す情報である。
なお、ＣＰＩ（Ｃｈａｒａｃｔｅｒｉｓｔｉｃ  Ｐｏｉｎｔ  Ｉｎｆｏｒｍａｔｉｏｎ）は、クリップ情報ファイルの記録データであり、例えば、再生開始点のデータアドレスを取得するためのデータである。
【０４５０】
図１６に示すように、ＰＬ＿ＣＰＩタイプ（ＰＬ＿ＣＰＩ＿ｔｙｐｅ）＝１は、このプレイリストファイルに規定されたプレイアイテム（ＰｌａｙＩｔｅｍ）によって参照されるクリップ情報ファイル内のＣＰＩタイプが、ＭＰＥＧ−２ＴＳ対応のＥＰマップであることを意味する。
ＰＬ＿ＣＰＩタイプ（ＰＬ＿ＣＰＩ＿ｔｙｐｅ）＝２は、このプレイリストファイルに規定されたプレイアイテム（ＰｌａｙＩｔｅｍ）によって参照されるクリップ情報ファイル内のＣＰＩタイプが、ＭＰＥＧ−２ＴＳ対応のＴＵマップであることを意味する。
ＰＬ＿ＣＰＩタイプ（ＰＬ＿ＣＰＩ＿ｔｙｐｅ）＝３は、このプレイリストファイルに規定されたプレイアイテム（ＰｌａｙＩｔｅｍ）によって参照されるクリップ情報ファイル内のＣＰＩタイプが、ＭＭＴ対応のＥＰマップであることを意味する。
このように、ＰＬ＿ＣＰＩタイプ（ＰＬ＿ＣＰＩ＿ｔｙｐｅ）＝１〜３の３種類の定義を可能として、３つのＣＰＩタイプを識別可能としている。
【０４５１】
（ステップＳ２０３）
次に、情報処理装置５００の制御部５０１は、ステップＳ２０３において、ステップＳ２０２で読み出したＰＬ＿ＣＰＩタイプ（ＰＬ＿ＣＰＩ＿ｔｙｐｅ）の設定値が［３］であるか否かを判定する。
すなわち、このプレイリストファイルに規定されたプレイアイテム（ＰｌａｙＩｔｅｍ）によって参照されるクリップ情報ファイル内のＣＰＩタイプが、ＭＭＴ対応のＥＰマップであるか否かを判定する。
【０４５２】
ＰＬ＿ＣＰＩタイプ（ＰＬ＿ＣＰＩ＿ｔｙｐｅ）＝３である場合は、ステップＳ２０３の判定がＹｅｓとなり、ステップＳ２０５に進む。
一方、ＰＬ＿ＣＰＩタイプ（ＰＬ＿ＣＰＩ＿ｔｙｐｅ）が３でない場合は、ステップＳ２０３の判定がＮｏとなり、ステップＳ２０４に進む。
【０４５３】
（ステップＳ２０４）
ＰＬ＿ＣＰＩタイプ（ＰＬ＿ＣＰＩ＿ｔｙｐｅ）が３でない場合は、ステップＳ２０４の処理を実行する。
ＰＬ＿ＣＰＩタイプが３以外の場合、このプレイリストファイルに規定されたプレイアイテム（ＰｌａｙＩｔｅｍ）によって参照されるクリップ情報ファイル内のＣＰＩタイプが１または２であり、再生対象データがＭＰＥＧ−２ＴＳフォーマットデータである。
この場合、情報処理装置５００は、従来の再生処理手法を適用して、ＭＰＥＧ−２ＴＳフォーマットデータの再生処理を実行する。
【０４５４】
（ステップＳ２０５）
一方、ＰＬ＿ＣＰＩタイプ（ＰＬ＿ＣＰＩ＿ｔｙｐｅ）が３の場合は、ステップＳ２０５において、このプレイリストファイルによる再生対象データがＭＭＴフォーマットデータであると判定する。
【０４５５】
（ステップＳ２０６）
次に、情報処理装置５００は、ステップＳ２０６において、ＭＭＴフォーマットデータ対応のプレイリストとクリップ情報ファイルを適用してＭＭＴフォーマットデータの格納されたクリップ情報ファイルの格納データの再生処理を実行する。
【０４５６】
次に、ＭＭＴフォーマットデータの再生処理の具体例として、クリップ情報ファイルに記録されたＭＭＴフォーマットデータ対応のＥＰマップを適用したランダムアクセス再生処理のシーケンスについて、図５４に示すフローチャートを参照して説明する。
【０４５７】
なお、ＭＭＴフォーマットデータ対応のＥＰマップは、例えば先に図３９〜図４５を参照して説明したいずれかのデータ構成を持つＥＰマップであり、ランダムアクセス可能なデータ位置に対応する時間情報とストリームファイル（クリップＡＶストリームファイル）に格納された最初のＭＭＴＰパケットの先頭からのバイト位置情報との対応データを有する。
さらに再生データ格納パケットと制御情報格納パケットとの相対的位置関係を示すオフセット情報、またはタイムスタンプ情報が記録されたＥＰマップである。
図５４に示すフローチャートの各ステップの処理について説明する。
【０４５８】
（ステップＳ２１１）
まず、情報処理装置５００は、ステップＳ２１１において、ランダムアクセス再生に適用するプレイリストのプレイアイテム情報から、クリップ情報ファイル名（Ｃｌｉｐ＿ｉｎｆｏｒｍａｔｉｏｎ＿ｆｉｌｅ＿ｎａｍｅ）を読み取る。
【０４５９】
これは、先に図１７を参照して説明したプレイリストファイル中のプレイアイテム（ＰｌａｙＩｔｅｍ）情報に記録されたデータである。
【０４６０】
（ステップＳ２１２）
次に、情報処理装置５００は、ステップＳ２１２において、ステップＳ２１１でプレイリストファイルから読み取ったクリップ情報ファイル名（Ｃｌｉｐ＿ｉｎｆｏｒｍａｔｉｏｎ＿ｆｉｌｅ＿ｎａｍｅ）を有するクリップ情報ファイルを情報記録媒体（メディア）から読み取る。
【０４６１】
（ステップＳ２１３）
次に、情報処理装置５００は、ステップＳ２１３において、クリップ情報ファイルのシーケンス情報（ＳｅｑｕｅｎｃｅＩｎｆｏ）から、再生に適用するクロック情報であるＡＴＣ，ＳＴＣを特定する。なお、これらの時間情報は、再生対象データがＭＭＴフォーマットデータである場合、ＮＴＰ時間情報として記録されている。
【０４６２】
なお、クリップ情報ファイルのシーケンス情報（ＳｅｑｕｅｎｃｅＩｎｆｏ）は、先に図２８を参照して説明したデータ構成を有し、ここに、ＡＴＣ（アライバルタイムクロック）と、ＳＴＣ（システムタイムクロック）に関する情報が規定されている。
ＡＴＣ（アライバルタイムクロック）と、ＳＴＣ（システムタイムクロック）については、先に図２９を参照して説明した通りであり、データ再生に適用されるクロック情報である。
【０４６３】
（ステップＳ２１４）
次に、情報処理装置５００は、ステップＳ２１４において、クリップ情報ファイルのシーケンス情報（ＳｅｑｕｅｎｃｅＩｎｆｏ）から、再生開始位置（ＳＰＮ＿ＳＴＣ＿Ｓｔａｒｔ）と、再生開始時間（ｐｒｅｓｅｎｔａｔｉｏｎ＿ｓｔａｒｔ＿ｔｉｍｅ）を取得する。
【０４６４】
再生対象データがＭＭＴフォーマットデータである場合、再生開始位置情報は、例えば、ストリームファイル（クリップＡＶストリームファイル）に格納された最初のＭＭＴＰパケットの先頭からのバイト数であり、再生開始時間は、ＮＴＰ時間情報となる。これらの情報が、クリップ情報ファイルのシーケンス情報（ＳｅｑｕｅｎｃｅＩｎｆｏ）として記録されている。
【０４６５】
（ステップＳ２１５）
次に、情報処理装置５００は、ステップＳ２１５において、クリップ情報ファイルのＣＰＩ情報として記録されたＥＰマップの記録情報に従って、再生データ対応のタイムスタンプ（ＰＴＳ／ＤＴＳ）を取得する。
この処理は、先に図３９〜図４５を参照して説明したＭＭＴフォーマットデータ対応のＥＰマップを利用した処理である。
この具体的処理シーケンスについては、図５５〜図５７に示すフローチャートを参照して後段で説明する。
【０４６６】
（ステップＳ２１６）
次に、情報処理装置５００は、ステップＳ２１６において、クリップ情報ファイルのクリップ情報（ＣｌｉｐＩｎｆｏ）に記録された記録レート（ｒｅｃｏｒｄｉｎｇ＿ｒａｔｅ）に従って、クリップＡＶストリームファイルに格納されたＭＭＴフォーマットデータを読み取る。
【０４６７】
クリップ情報ファイルのクリップ情報（ＣｌｉｐＩｎｆｏ）には、先に図２５を参照して説明したように、記録レート（ｒｅｃｏｒｄｉｎｇ＿ｒａｔｅ）情報が記録されており、この情報に従って、情報記録媒体（メディア）に記録されたクリップＡＶストリームファイルに格納されたＭＭＴフォーマットデータを読み取る。
なお、図２５では、記録レート情報として、ＴＳ＿ｒｅｃｏｒｄｉｎｇ＿ｒａｔｅと記載されているが、再生対象データがＭＭＴパケットを持つＭＭＴフォーマットである場合、ＭＭＴフォーマットに応じたビットレートがここに記録されている。
【０４６８】
（ステップＳ２１７）
次に、情報処理装置５００は、ステップＳ２１７において、情報記録媒体（メディア）から読み出したクリップＡＶストリームファイルに格納されたＭＭＴフォーマットデータのデマルチプレクス処理、デコード処理、再生処理を実行する。
【０４６９】
次に、上述した図５４に示すフローのステップＳ２１５の処理、すなわち、
クリップ情報ファイルのＣＰＩ情報として記録されたＥＰマップの記録情報に従って、再生データ対応のタイムスタンプ（ＰＴＳ／ＤＴＳ）を取得する処理の詳細シーケンスについて、図５５〜図５７に示すフローチャートを参照して説明する。
【０４７０】
この処理は、先に図３９〜図４５を参照して説明したＭＭＴフォーマットデータ対応のＥＰマップを利用した処理である。すなわち、先に説明した３種類のＥＰマップの生成処理のシーケンスを個別に説明するフローである。
図５５は、ＭＭＴフォーマットデータ対応ＥＰマップ例１（図３９〜図４１）
図５６は、ＭＭＴフォーマットデータ対応ＥＰマップ例２（図４２〜図４３）
図５７は、ＭＭＴフォーマットデータ対応ＥＰマップ例３（図４４〜図４５）
これら３種類の異なるＥＰマップの生成処理を含むフローである。て
【０４７１】
まず、図５５に示すフロー、すなわち、先に図３９〜図４１を参照して説明したＭＭＴフォーマットデータ対応ＥＰマップ例１に相当するＥＰマップを利用して、再生データ対応のタイムスタンプ（ＰＴＳ／ＤＴＳ）を取得する処理のシーケンスについて説明する。
【０４７２】
（ステップＳ２２１）
まず、情報処理装置５００は、ステップＳ２２１において、クリップ情報ファイルのＣＰＩ情報として記録されたＥＰマップから、ＭＭＴバイトアドレス（ＭＭＴ＿ｂｙｔｅ＿ａｄｒｅｓｓ）、ＮＴＰ時間（ＮＴＰ＿ｔｉｍｅ）を読み取り、再生データ格納パケットの開始位置を判別する。
【０４７３】
ここで利用するＥＰマップは、図３９、または図４１に示すＥＰマップである。
これらのＥＰマップには、以下のデータ記録領域が設定されている。
ＮＴＰ時間記録領域（ＮＴＰ＿ｔｉｍｅ）３２１、
ＭＭＴバイトアドレス記録領域（ＭＭＴ＿ｂｙｔｅ＿ａｄｒｅｓｓ）３２２、
バイトオフセット記録領域（ｂｙｔｅ＿ｏｆｆｓｅｔ）３２３、
【０４７４】
まず、再生処理を実行する情報処理装置５００は、ＥＰマップから、ＭＭＴバイトアドレス（ＭＭＴ＿ｂｙｔｅ＿ａｄｒｅｓｓ）、ＮＴＰ時間（ＮＴＰ＿ｔｉｍｅ）を読み取り、これらのデータに基づいて再生データ格納パケットの開始位置を判別する。
【０４７５】
（ステップＳ２２２）
次に、情報処理装置５００は、ステップＳ２２２において、ＥＰマップに記録されたバイトオフセット（ｂｙｔｅ＿ｏｆｆｓｅｔ）を読み取り、タイムスタンプ（ＰＴＳ／ＤＴＳ）を格納した制御情報格納パケットの位置を判別する。
【０４７６】
図３９、または図４１に示すＥＰマップに記録されたバイトオフセット（ｂｙｔｅ＿ｏｆｆｓｅｔ）は、図４０を参照して説明したように、再生データ格納パケットと制御情報格納パケットの離間距離と相対方向を識別可能なデータである。
再生データ格納パケットの位置は、ステップＳ２２１において確認済みであり、ステップＳ２２２において、ＥＰマップに記録されたバイトオフセット（ｂｙｔｅ＿ｏｆｆｓｅｔ）を読み取り、このデータに従って、制御情報格納パケットの位置を判別する。
【０４７７】
（ステップＳ２２３）
情報処理装置は、次に、ステップＳ２２３において、制御情報格納パケットから、再生データ対応のタイムスタンプ（ＰＴＳ／ＤＴＳ）を取得する。
ＭＭＴフォーマットデータとして送信される制御情報であるＭＰＴ（ＭＭＴパッケージテーブル）は、先に図１９を参照して説明したデータ構成を有する。
このＭＰＴには、先に図２１を参照して説明したように、ＭＰＵタイムスタンプ記述子として、ＭＰＵ単位の再生（提示）時間情報を示すタイムスタンプ（ＰＴＳ  Ｐｒｅｓｅｎｔａｔｉｏｎ  Ｔｉｍｅｓｔａｍｐ）が記録されている。
さらに、先に図３８を参照して説明したように、ＭＰＵ拡張タイムスタンプ記述子として、ＭＰＵ単位の復号時間情報を示すタイムスタンプ（ＤＴＳ  Ｄｅｃｏｄｉｎｇ  Ｔｉｍｅｓｔａｍｐ）が記録されている。
情報処理装置は、ステップＳ２２３において、制御情報格納パケットに格納されたＭＰＴから、再生データ対応のタイムスタンプ（ＰＴＳ／ＤＴＳ）を取得する。
【０４７８】
次に、図５６に示すフローチャートについて説明する。図５６に示すフローは、先に図４２〜図４３を参照して説明したＭＭＴフォーマットデータ対応ＥＰマップ例２に相当するＥＰマップを利用して、図５４のフローのステップＳ２１５のタイムスタンプ（ＰＴＳ／ＤＴＳ）取得処理を実行するシーケンスを説明するフローチャートである。
図５６に示すフローの各ステップの処理について説明する。
【０４７９】
（ステップＳ２３１）
まず、情報処理装置５００は、ステップＳ２３１において、クリップ情報ファイルのＣＰＩ情報として記録されたＥＰマップから、ＭＭＴバイトアドレス（ＭＭＴ＿ｂｙｔｅ＿ａｄｒｅｓｓ）、ＮＴＰ時間（ＮＴＰ＿ｔｉｍｅ）を読み取り、タイムスタンプ（ＰＴＳ／ＤＴＳ）を格納した制御情報格納パケットの開始位置を判別する。
【０４８０】
ここで利用するＥＰマップは、図４２に示すＥＰマップである。
このＥＰマップには、以下のデータ記録領域が設定されている。
ＮＴＰ時間記録領域（ＮＴＰ＿ｔｉｍｅ）３４１、
ＭＭＴバイトアドレス記録領域（ＭＭＴ＿ｂｙｔｅ＿ａｄｒｅｓｓ）３４２、
バイトオフセット記録領域（ｂｙｔｅ＿ｏｆｆｓｅｔ）３４３、
【０４８１】
まず、再生処理を実行する情報処理装置５００は、ＥＰマップから、ＭＭＴバイトアドレス（ＭＭＴ＿ｂｙｔｅ＿ａｄｒｅｓｓ）、ＮＴＰ時間（ＮＴＰ＿ｔｉｍｅ）を読み取り、これらのデータに基づいて制御情報格納パケットの開始位置を判別する。
【０４８２】
（ステップＳ２３２）
次に、情報処理装置５００は、ステップＳ２３２において、ＥＰマップに記録されたバイトオフセット（ｂｙｔｅ＿ｏｆｆｓｅｔ）を読み取り、再生データ格納パケットの位置を判別する。
【０４８３】
図４２に示すＥＰマップに記録されたバイトオフセット（ｂｙｔｅ＿ｏｆｆｓｅｔ）は、図４３を参照して説明したように、再生データ格納パケットと制御情報格納パケットの離間距離と相対方向を識別可能なデータである。
制御情報格納パケットの位置は、ステップＳ２３１において確認済みであり、ステップＳ２３２において、ＥＰマップに記録されたバイトオフセット（ｂｙｔｅ＿ｏｆｆｓｅｔ）を読み取り、このデータに従って、再生データ格納パケットの位置を判別する。
【０４８４】
（ステップＳ２３３）
情報処理装置は、次に、ステップＳ２３３において、制御情報格納パケットから、再生データ対応のタイムスタンプ（ＰＴＳ／ＤＴＳ）を取得する。
これらのタイムスタンプ（ＰＴＳ／ＤＴＳ）は、ＭＭＴフォーマットデータとして送信される制御情報であるＭＰＴ（ＭＭＴパッケージテーブル）から取得される。
【０４８５】
次に、図５７に示すフローチャートについて説明する。図５７に示すフローは、先に図４４〜図４５を参照して説明したＭＭＴフォーマットデータ対応ＥＰマップ例３に相当するＥＰマップを利用して、図５４のフローのステップＳ２１５のタイムスタンプ（ＰＴＳ／ＤＴＳ）取得処理を実行するシーケンスを説明するフローチャートである。
図５７に示すフローの各ステップの処理について説明する。
【０４８６】
（ステップＳ２４１）
まず、情報処理装置５００は、ステップＳ２４１において、クリップ情報ファイルのＣＰＩ情報として記録されたＥＰマップから、ＭＭＴバイトアドレス（ＭＭＴ＿ｂｙｔｅ＿ａｄｒｅｓｓ）、ＮＴＰ時間（ＮＴＰ＿ｔｉｍｅ）を読み取り、再生データ格納パケットの開始位置を判別する。
【０４８７】
ここで利用するＥＰマップは、図４４に示すＥＰマップである。
このＥＰマップには、以下のデータ記録領域が設定されている。
ＮＴＰ時間記録領域（ＮＴＰ＿ｔｉｍｅ）３６１、
ＭＭＴバイトアドレス記録領域（ＭＭＴ＿ｂｙｔｅ＿ａｄｒｅｓｓ）３６２、
ＭＰＴ記録タイムスタンプ情報記録領域３６３、
【０４８８】
まず、再生処理を実行する情報処理装置５００は、ＥＰマップから、ＭＭＴバイトアドレス（ＭＭＴ＿ｂｙｔｅ＿ａｄｒｅｓｓ）、ＮＴＰ時間（ＮＴＰ＿ｔｉｍｅ）を読み取り、これらのデータに基づいて再生データ格納パケットの開始位置を判別する。
【０４８９】
（ステップＳ２４２）
次に、情報処理装置５００は、ステップＳ２３２において、ＥＰマップのＭＰＴ記録タイムスタンプ情報記録領域３６３に記録された再生データ対応のタイムスタンプ（ＰＴＳ／ＤＴＳ）を取得する。
これらのタイムスタンプ（ＰＴＳ／ＤＴＳ）は、ＭＭＴフォーマットデータとして送信される制御情報であるＭＰＴ（ＭＭＴパッケージテーブル）からＥＰマップにコピー記録されたデータである。
【０４９０】
図５５〜図５７に示すフローチャートを参照して説明したように、図５４に示すフローのステップＳ２１５における再生データのタイムスタンプ（ＰＴＳ／ＤＴＳ）取得処理は、適用するＥＰマップの構成に応じて、図５５〜図５７のフローのいずれかの処理を選択して実行することになる。
すなわち、図３９〜図４１を参照して説明したＥＰマップ例１が利用される場合は、図５５に示すフローに従った処理を実行する。
また、図４２〜図４３を参照して説明したＥＰマップ例２が利用される場合は、図５６に示すフローに従った処理を実行する。
さらに、図４４〜図４５を参照して説明したＥＰマップ例３が利用される場合は、図５７に示すフローに従った処理を実行する。
【０４９１】
［１０．情報処理装置の構成例について］
次に、情報記録媒体に対するデータ記録、情報記録媒体からのデータ再生を実行する情報処理装置として適用可能な情報処理装置のハードウェア構成例について、図５８を参照して説明する。
【０４９２】
ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２、または記憶部６０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）６０３には、ＣＰＵ６０１が実行するプログラムやデータなどが記憶される。これらのＣＰＵ６０１、ＲＯＭ６０２、およびＲＡＭ６０３は、バス６０４により相互に接続されている。
【０４９３】
ＣＰＵ６０１はバス６０４を介して入出力インタフェース６０５に接続され、入出力インタフェース６０５には、各種スイッチ、キーボード、マウス、マイクロホンなどよりなる入力部６０６、ディスプレイ、スピーカなどよりなる出力部６０７が接続されている。ＣＰＵ６０１は、入力部６０６から入力される指令に対応して各種の処理を実行し、処理結果を例えば出力部６０７に出力する。
【０４９４】
入出力インタフェース６０５に接続されている記憶部６０８は、例えばハードディスク等からなり、ＣＰＵ６０１が実行するプログラムや各種のデータを記憶する。通信部６０９は、インターネットやローカルエリアネットワークなどのネットワークを介したデータ通信の送受信部、さらに放送波の送受信部として機能し、外部の装置と通信する。
【０４９５】
入出力インタフェース６０５に接続されているドライブ６１０は、磁気ディスク、光ディスク、光磁気ディスク、あるいはメモリカード等の半導体メモリなどのリムーバブルメディア６１１を駆動し、データの記録あるいは読み取りを実行する。
【０４９６】
［１１．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０４９７】
なお、本明細書において開示した技術は、以下のような構成をとることができる。
（１）  ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部は、
ＭＭＴフォーマットデータを再生データとして格納したＭＭＴフォーマットストリームファイルと、前記ＭＭＴフォーマットストリームファイルの再生制御情報を格納した再生制御情報ファイルを生成し、
前記データ処理部は、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成する情報処理装置。
【０４９８】
（２）  前記データ処理部は、
前記制御情報格納パケットのアクセス情報を記録したＥＰマップ、または、
前記タイムスタンプ情報を記録したＥＰマップのいずれかのＥＰマップを生成して、前記再生制御情報ファイルに格納する（１）に記載の情報処理装置。
【０４９９】
（３）  前記タイムスタンプ情報は、
再生時間情報を規定したＰＴＳ（Ｐｒｅｓｅｎｔａｔｉｏｎ  Ｔｉｍｅｓｔａｍｐ）と、復号時間情報を規定したＤＴＳ（Ｄｅｃｏｄｉｎｇ  Ｔｉｍｅｓｔａｍｐ）の少なくともいずれかのタイムスタンプを含む（１）または（２）に記載の情報処理装置。
【０５００】
（４）  前記データ処理部は、
前記制御情報格納パケットのアクセス情報として、
前記再生データ格納パケットと、前記制御情報格納パケットの記録位置の離間距離に相当するオフセット情報を記録した再生制御情報ファイルを生成する（１）〜（３）いずれかに記載の情報処理装置。
【０５０１】
（５）  前記データ処理部は、
前記再生データ格納パケットの記録位置識別情報と、
前記再生データ格納パケットの記録位置を基準位置として、前記基準位置と前記制御情報格納パケットの記録位置との離間距離に相当するオフセット情報を記録した再生制御情報ファイルを生成する（１）〜（４）いずれかに記載の情報処理装置。
【０５０２】
（６）  前記データ処理部は、
前記制御情報格納パケットの記録位置識別情報と、
前記制御情報格納パケットの記録位置を基準位置として、前記基準位置と前記再生データ格納パケットの記録位置との離間距離に相当するオフセット情報を記録した再生制御情報ファイルを生成する（１）〜（４）いずれかに記載の情報処理装置。
【０５０３】
（７）  前記データ処理部は、
前記再生データ格納パケットの記録位置識別情報と、
前記タイムスタンプ情報を記録した再生制御情報ファイルを生成する（１）〜（４）いずれかに記載の情報処理装置。
【０５０４】
（８）  前記データ処理部は、
前記タイムスタンプ情報を、
ＭＭＴフォーマットデータとして送信されるＭＭＴパッケージテーブル（ＭＰＴ）から取得する（７）に記載の情報処理装置。
【０５０５】
（９）  情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記データ処理部は、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行し、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行う情報処理装置。
【０５０６】
（１０）  前記データ処理部は、
前記制御情報格納パケットのアクセス情報を記録したＥＰマップ、または、
前記タイムスタンプ情報を記録したＥＰマップのいずれかのＥＰマップを利用して再生処理を行う（９）に記載の情報処理装置。
【０５０７】
（１１）  前記タイムスタンプ情報は、
再生時間情報を規定したＰＴＳ（Ｐｒｅｓｅｎｔａｔｉｏｎ  Ｔｉｍｅｓｔａｍｐ）と、復号時間情報を規定したＤＴＳ（Ｄｅｃｏｄｉｎｇ  Ｔｉｍｅｓｔａｍｐ）の少なくともいずれかのタイムスタンプを含む（９）または（１０）に記載の情報処理装置。
【０５０８】
（１２）  前記データ処理部は、
前記再生制御情報ファイルから、
前記再生データ格納パケットの記録位置識別情報と、
前記再生データ格納パケットの記録位置を基準位置として、前記基準位置と前記制御情報格納パケットの記録位置との離間距離に相当するオフセット情報を読み取り、
前記オフセット情報に基づいて前記制御情報格納パケットの記録位置を判別して、前記制御情報格納パケットに記録されたタイムスタンプ情報に従って、再生処理を実行する（９）〜（１１）いずれかに記載の情報処理装置。
【０５０９】
（１３）  前記データ処理部は、
前記再生制御情報ファイルから、
前記制御情報格納パケットの記録位置識別情報と、
前記制御情報格納パケットの記録位置を基準位置として、前記基準位置と前記再生データ格納パケットの記録位置との離間距離に相当するオフセット情報をを読み取り、
前記オフセット情報に基づいて前記再生データ格納パケットの記録位置を判別して、前記再生データ格納パケットから再生データを取得し、
前記制御情報格納パケットに記録されたタイムスタンプ情報に従って再生処理を実行する（９）〜（１１）いずれかに記載の情報処理装置。
【０５１０】
（１４）  前記データ処理部は、
前記再生制御情報ファイルから、
前記再生データ格納パケットの記録位置識別情報と、
前記タイムスタンプ情報を読み取り、読み取ったタイムスタンプ情報に従って再生処理を実行する（９）〜（１１）いずれかに記載の情報処理装置。
【０５１１】
（１５）  ＭＭＴ（ＭＰＥＧ  Ｍｅｄｉａ  Ｔｒａｎｓｐｏｒｔ）フォーマットデータを再生データとして格納したＭＭＴフォーマットストリームファイルと、
前記ＭＭＴフォーマットストリームファイルの再生制御情報を格納した再生制御情報ファイルを記録し、
前記再生制御情報ファイルは、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルであり、
前記ＭＭＴフォーマットストリームファイル格納データの再生を行う再生装置が、前記タイムスタンプ情報を取得して、再生に利用可能としたデータ記録構成を有する情報記録媒体。
【０５１２】
（１６）  前記再生制御情報ファイルは、
前記制御情報格納パケットのアクセス情報を記録したＥＰマップ、または、
前記タイムスタンプ情報を記録したＥＰマップのいずれかのＥＰマップを記録した再生制御情報ファイルである（１５）に記載の情報記録媒体。
【０５１３】
（１７）  情報処理装置において実行する情報処理方法であり、
前記情報処理装置は、
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記データ処理部が、
ＭＭＴフォーマットデータを再生データとして格納したＭＭＴフォーマットストリームファイルと、前記ＭＭＴフォーマットストリームファイルの再生制御情報を格納した再生制御情報ファイルを生成し、
前記データ処理部は、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成する情報処理方法。
【０５１４】
（１８）  情報処理装置において実行する情報処理方法であり、
前記情報処理装置は、
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記データ処理部が、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行し、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行う情報処理方法。
【０５１５】
（１９）  情報処理装置において情報処理を実行させるプログラムであり、
前記情報処理装置は、
ＭＭＴ（ＭＰＥＧ  Ｍｅｄｉａ  Ｔｒａｎｓｐｏｒｔ）フォーマットデータを入力し、情報記録媒体に対するデータ記録フォーマットであるＢＤＡＶフォーマット、またはＳＰＡＶフォーマットに従った記録データを生成するデータ処理部を有し、
前記プログラムは、前記データ処理部に、
ＭＭＴフォーマットデータを再生データとして格納したＭＭＴフォーマットストリームファイルと、前記ＭＭＴフォーマットストリームファイルの再生制御情報を格納した再生制御情報ファイルを生成させ、
さらに、前記プログラムは、前記データ処理部に、
前記再生制御情報ファイルとして、
ランダムアクセス再生可能な再生データを格納した再生データ格納パケットに格納されたデータの再生に適用するタイムスタンプ情報を記録した制御情報格納パケットのアクセス情報、または前記タイムスタンプ情報を記録した再生制御情報ファイルを生成させるプログラム。
【０５１６】
（２０）  情報処理装置において情報処理を実行させるプログラムであり、
前記情報処理装置は、
情報記録媒体の記録データの再生処理を実行するデータ処理部を有し、
前記情報記録媒体は、ＭＭＴ（ＭＰＥＧ  Ｍｅｄｉａ  Ｔｒａｎｓｐｏｒｔ）フォーマットデータを、ＢＤＡＶフォーマット、またはＳＰＡＶフォーマットに従って記録したデータを格納した情報記録媒体であり、
前記プログラムは、前記データ処理部に、
ＭＭＴフォーマットデータを格納したＭＭＴフォーマットストリームファイルを利用したデータ再生処理に際して、
前記ＭＭＴフォーマットストリームファイルの再生制御情報を格納した再生制御情報ファイルを適用した再生処理を実行させ、
再生データ格納パケットに格納されたデータのランダム再生処理を行う場合、
ランダム再生処理に適用するタイムスタンプ情報を記録した制御情報格納パケットのアクセス情報を記録した再生制御情報ファイル、または、
前記タイムスタンプ情報を記録した再生制御情報ファイルのいずれかを参照して、タイムスタンプ情報の取得処理を行い、取得したタイムスタンプ情報を適用して再生処理を行わせるプログラム。
【０５１７】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０５１８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０５１９】
以上、説明したように、本開示の一実施例の構成によれば、ＭＭＴフォーマットデータをＢＤＡＶまたはＳＰＡＶフォーマットデータとしてメディアに記録して再生可能とする構成が実現される。
具体的には、例えば、ＭＭＴフォーマットデータを再生データとして格納したＭＭＴフォーマットストリームファイルと、ＭＭＴフォーマット対応の再生制御情報ファイルを生成してメディアに記録する。再生制御情報ファイルには、ランダムアクセス再生データを格納した再生データ格納パケットの格納データ再生に適用するタイムスタンプ情報を記録した制御情報格納パケットのアクセス情報、またはタイムスタンプ情報を記録する。再生装置は、再生データ格納パケットの格納データ再生時に必要となるタイムスタンプを即時に取得して再生することができる。
本構成により、ＭＭＴフォーマットデータをＢＤＡＶまたはＳＰＡＶフォーマットデータとしてメディアに記録して再生可能とする構成が実現される。
【符号の説明】
【０５２０】
２０  送信装置
２１  放送サーバ
２２  データ配信サーバ
３０  情報処理装置
３１  ＢＤプレーヤ
３２  ＴＶ
３３  ＰＣ
３４  携帯端末
４０  情報記録媒体（メディア）
４１  ＢＤ
４２  ＨＤＤ
４３  フラッシュメモリ
４００  情報処理装置
４０１  データ入力部
４０２  ユーザ入力部
４０３  制御部
４０４  記憶部
４０５  デマルチプレクサ
４０６  記録データ生成部
４０７  記録部
４０８  ドライブ
４１１  字幕データ生成部
４１２  画像データ生成部
４１３  音声データ生成部
４１４  補助情報生成部
４１５  マルチプレクサ
４１６  データベースファイル生成部
４２０  情報記録媒体
５００  情報処理装置
５０１  制御部
５０２  ユーザ入力部
５０３  ドライブ
５０４  記録再生部
５０５  記憶部
５０６  再生処理部
５０７  入出力Ｉ／Ｆ
５１１  デマルチプレクサ
５１２  字幕データ生成部
５１３  画像データ生成部
５１４  音声データ生成部
５１５  補助情報生成部
５１６  出力データ生成部
５２０  情報記録媒体
５３０  出力装置（表示部＋スピーカ）
６０１  ＣＰＵ
６０２  ＲＯＭ
６０３  ＲＡＭ
６０４  バス
６０５  入出力インタフェース
６０６  入力部
６０７  出力部
６０８  記憶部
６０９  通信部
６１０  ドライブ
６１１  リムーバブルメディア
【図１】
2018135259.tif 000003
【図２】
2018135259.tif 000004
【図３】
2018135259.tif 000005
【図４】
2018135259.tif 000006
【図５】
2018135259.tif 000007
【図６】
2018135259.tif 000008
【図７】
2018135259.tif 000009
【図８】
2018135259.tif 000010
【図９】
2018135259.tif 000011
【図１０】
2018135259.tif 000012
【図１１】
2018135259.tif 000013
【図１２】
2018135259.tif 000014
【図１３】
2018135259.tif 000015
【図１４】
2018135259.tif 000016
【図１５】
2018135259.tif 000017
【図１６】
2018135259.tif 000018
【図１７】
2018135259.tif 000019
【図１８】
2018135259.tif 000020
【図１９】
2018135259.tif 000021
【図２０】
2018135259.tif 000022
【図２１】
2018135259.tif 000023
【図２２】
2018135259.tif 000024
【図２３】
2018135259.tif 000025
【図２４】
2018135259.tif 000026
【図２５】
2018135259.tif 000027
【図２６】
2018135259.tif 000028
【図２７】
2018135259.tif 000029
【図２８】
2018135259.tif 000030
【図２９】
2018135259.tif 000031
【図３０】
2018135259.tif 000032
【図３１】
2018135259.tif 000033
【図３２】
2018135259.tif 000034
【図３３】
2018135259.tif 000035
【図３４】
2018135259.tif 000036
【図３５】
2018135259.tif 000037
【図３６】
2018135259.tif 000038
【図３７】
2018135259.tif 000039
【図３８】
2018135259.tif 000040
【図３９】
2018135259.tif 000041
【図４０】
2018135259.tif 000042
【図４１】
2018135259.tif 000043
【図４２】
2018135259.tif 000044
【図４３】
2018135259.tif 000045
【図４４】
2018135259.tif 000046
【図４５】
2018135259.tif 000047
【図４６】
2018135259.tif 000048
【図４７】
2018135259.tif 000049
【図４８】
2018135259.tif 000050
【図４９】
2018135259.tif 000051
【図５０】
2018135259.tif 000052
【図５１】
2018135259.tif 000053
【図５２】
2018135259.tif 000054
【図５３】
2018135259.tif 000055
【図５４】
2018135259.tif 000056
【図５５】
2018135259.tif 000057
【図５６】
2018135259.tif 000058
【図５７】
2018135259.tif 000059
【図５８】
2018135259.tif 000060
【国際調査報告】
2018135259.tif 000061
2018135259.tif 000062
2018135259.tif 000063
2018135259.tif 000064